(57)【要約】  産業、商業および住居建築産業用の価値、構造的な一体性、心地良さおよびエネルギーほぞんの立場で、より良い品質を提供する建築プロセス。本発明は垂直な複合断熱支持鋼部材である単一の構成部材から始め板ビーム複合断熱壁システム、床梁システム温度調節屋根システム、および連接した断熱パターンを用いて活性熱強制エアー空洞および不活性空洞を生成する。本発明を利用する全体の概念として構成部材およびパーツの設計に際し、プレハブ建築プロセスを容易化すると共に、エネルギーを保存するようその目的が向けられている。
2011508837.tif 000002
【特許請求の範囲】
【請求項１】
組み立て装置の構成と形成、および各種仕様によるプレハブ建築断面構造体のプロセスであり、種々の複合絶縁支持部材／構成部材を有し、次いで屋根、壁および床用の断面構造体に組み込まれ、上記複合絶縁支持部材／構成部材は上記複合連接絶縁パターンの改良された一部もしくは全てから一体的に構成され製造され、当該複合連接絶縁パターンは構成部材から構成部材への望ましくない熱移送を阻止し、更に内部スペースから外部スペースへの望ましくない熱移送を阻止し、それ故空洞／通路／チャンネル／パス／開口部を経由して活性熱／冷却強制エアーを抜けるための非先行的な効果的な回答を与え、上記複合絶縁支持部材／構成部材はより高い絶縁値を有する革新的かつ効果的絶縁方法として、何らかの建築構造体全体にわたり建造され、そしてその際（主たる気候制御ユニットを備えた）活性加熱モードから（補助気候制御ユニットを備えた）受動加熱モードへの熱繊維を容易化しつつ、床内、壁内および天井内を通過するのみならず全体の建築構造体をカバーする熱的な強制エアーブランケットを形成し、そして更に個別の熱／冷却強制エアーシステムから構成される建築構造体のための上述した組み立てられた構成部材およびプレハブプロセスの望ましい効果を提供し、当該熱冷却強制エアーシステムは屋根強制エアーシステム、屋根裏強制エアーシステム、天井強制エアーシステム、壁／窓強制エアーシステムおよび床強制エアーシステムを含むがそれに限定されず、前記熱冷却強制エアーシステムは活性熱強制エアー空洞／通路／チャンネル／パス／開口部による接続された活性強制エアー網目状化されたシステムにおいて共に稼動し、熱活性強制ホットエアーの要求に限定されるものではなく、暖かい気候のための冷却活性強制エアーの使用に適用されることを含むがそれに限定されない革新的でかつ効果的なより高い絶縁値として何らかの建築構造体にわたり熱／冷却強制エアーを分配するためのより効率的な手段を提供する気候用の冷却強制エアーの使用に適用されプレハブ断面構造体および構成部材により現場での建造能力を与えつつ、革新的および効率的かつより高い絶縁値としての何らかの建築構造体全体にわたる熱／冷却強制エアーを分配するためのより効率的な手段を提供し、上記組立て体装置は
a)  主たる稼動トラスアンカーステーション、一個の床マウントステーションおよび３個の天井フレームサポートから構成される少なくとも一組の屋根トラス組立て体装置と、
b) 断面壁構造を予め製作するための少なくとも１個の金属ワークフレーム集合体装置、および貯蔵所への複合絶縁パターンを採用しかつおよび／もしくは製作現場の床の上に設置されかつ直立した完成した複合断面壁を搬送するためおよび移動するための壁フレーム集合体と、
c) トラック上で車輪とともに可動である１個は主たる床マウントステーションで３個は補助組み立てステーションである４個の床梁組立て体ステーションから構成される少なくとも１組の床集合体装置と、
d) 主たる絶縁物質及び活性強制空気空洞、非活性空洞、ガラス真空絶縁パネル（ＶＩＰ）及び亜鉛引き鋼材シートに関連した強制空気空洞を備える複合絶縁パターンと、  
e) 複合絶縁パターンのすべてもしくは一部からなる断面構造体のプレハブ屋根トラスシステムと、  
f)複合絶縁パターンのすべてもしくは一部からなる断面構造体プレハブ壁システムと、
g) 種々の床梁形成体によって生成される空孔スペースからなる断面構造体のプレハブ床システムと、
h) エアーカーテンとしての活性強制エアー絶縁及びエアーカーテンとしての窓活性強制除氷器を備えた窓システムと、 
i) 底部の断面壁、及び上記複合絶縁パターンのすべてもしくは一部からなるコンクリート床システムと、 
j) 屋根トラス、天井梁、垂直支持間柱、頂部／底部プレート、小口、土台プレート、および床梁さらに絶縁壁パネルを備えた多数の構造部材と、  
k)  複合絶縁パターンと組み立てられた構造的部材と一緒に種々の流路を生成して熱的ブランケット／外被を生成するよう柔軟性を与える活性強制エアー通路の網目状体と、  
l) 上記複合絶縁パターンの効率を強化するための複合絶縁バリアを生成する亜鉛引き鋼材と共に活性強制エアー空洞と、  
m) 上記複合絶縁パターンの部分を強化しその部分からなる不活性空洞と、
n) 標準的な従来のやっかいなシート金属管状化システムを除去し次いで住居の基礎内及び商業及び産業建築の各床の上のより有効なスペースを開放し易くする手段を提供する壁内、床内、天井内および窓内の全てのシステムにおける活性強制エアー通路／開口部／チャンネル／パス／空洞の網目状体と、
o)（主たる気候制御に匹敵する摩擦エネルギーを消費する）少なくとも１個の補助的な独立した気候制御ユニットに商業及び産業建築構造のための各床上の受動加熱モードを容易にする能力を与える複合絶縁パターンと共同する一緒に活性強制エアーシステムの網目状体と、
p）住居、商業及び産業建築用の柔軟な活性強制エアーフロー通路と、  
q) 刷りガラスおよび非刷りガラス真空絶縁パネルＶＩＰの種々の機能と、
r) 商業及び産業建築用活性強制通路にとって利用されるべき空孔スペースと、 
s) 複合絶縁パターンの全てもしくは部分から構成されるボックスアウトスペースシステムの網目状化をなすボックスアウト低部スペースとボックスアウト垂直及び水平円柱構造と、更に 
t) 壁構造体に配置される隠れた雨排水口とを備えてなることを特徴とする組み立て装置の構成と形成、および各種仕様による組み合わせ構造のプロセス。
【請求項２】
どのように屋根の寄棟および切妻スタイル及び屋根構造の寄棟、切妻スタイルの組み合わせにおける１／２断面屋根トラスに組み込まれかつ「半分」屋根トラス形成体を置くように構成されるかについて方向付きの「半」断面屋根構造体を組み立てかつ前もって作製するステップを含むモジュール屋根構造を構築する方法であって、当該組み立て装置は、
a)   種々の屋根ピッチを考慮するための２個の一列に配置され位置した装置の上に置かれる高さ調整可能な昇降機構を具備し、かつスペーサー付縦方向のアンカーバーで固定され取り付けられるべき一列に配置されかつ配列されたたる木部材用及び中心支持部材用のO.C.仕様を調整し、上記たる木部材及び上記中心支持部材は可動性用トラック上に取り付けられかつ車輪を有し、  
b) ４個の延在した天井枠支持ステーションであって、全ては調整可能なＯ.Ｃ.スペーサーで設置され、全ては互いに対向して同一レベル／高さで一列に配置され、全ては屋根四角形成体内に位置し、１つは特許請求の範囲第３a項に記載の上記可動トラスアンカーステーションの前端部に垂直に配置された耐久性のある床マウント天井枠支持ステーションであり、残りの３個は上記１個に対面し、上記耐久性のある床マウント天井枠支持ステーションのO.C.スペーサーは垂直方向に一列に配置される可能性を有し、全てのその他のＯ.Ｃ.スペーサーは可動トラスアンカーステーション組立体の上に固定され、上記支持ステーションは輸送および貯蔵の容易さのための半断面屋根トラス柱を動かすことを完成する際真っ直ぐな位置へ９０度旋回させる機構を有し、  
c)  設置されたＯ.Ｃ.スペーサー付きの他の３個の天井フレームサポートステーションは全て車輪付のトラック上を滑り、柔軟性を与え互いに接近もしくは離隔するように移動し天井梁に置くことにより、フットプリント四角形の種々の寸法を組み立てさせ、上記１個の天井枠支持ステーションはその一端が上記床マウント枠支持ステーション上にあり、上記他の天井枠支持ステーションの多端は上記対向した可動枠支持ステーション上にあり、全ての上記の天井梁はＯ．Ｃ．スペーサー内に配置され、次いで全てのたる木部材は上記Ｏ.Ｃ.スペーサー内に更に位置されるとともに一列に配列され、当該Ｏ.Ｃ.スペーサーは上記可動アンカートラスステーションの縦方向のアンカーバー上の同一のＯ.Ｃ.仕様で調整され、それによって全ての支持織物部材のみならずピッチ高さを調整し、当該支持織物部材は１／２切妻屋根を形成する仕様に対して適切な位置にいちずけられることもでき、さらに隅棟屋根は２個のたる木部材を位置ずけることによって組み立て可能であり、    当該たる木部材は上記可動トラスアンカーステーションの縦方向のアンカーバー上の１個の高い「中心」ポイントからスタートし、次いで対向する可動フレーム支持ステーションの上の屋根四角の２個のさらに低いコーナーに傾斜させ、それによって床マウント枠支持ステーション上および対向した稼動枠支持ステーション上の仕様に関して適切な位置に置かれた全ての天井梁を有し、寄せ棟スロープを形成し、全ての支持織物部材は寄棟屋根を形成する仕様に対して適切な位置に締結されかつ位置され、上記床装置組立体の各構造的な装置の形成は寄棟屋根切妻屋根もしくは双方の組み合わせスタイルを組み立てる機能を達成することが可能であることを特徴とする特許請求の範囲第１項記載の複合絶縁建築構成部材及び建築断面構造体を前もって作製するための組み立て装置。
【請求項３】
モジュラー壁構造を構成する方法は、全てのプレハブ壁構成部材は断面壁にどのように組み込まれるべきかおよび次いでどのように各断面壁が完成の後輸送されるか更にオンラインでバイヤーによって視覚および監視されるべきディジタル化され入手可能な全プロセスをさらに有するについての指示と共にマスターワークフレーム（ＭＷＦ）を構成するステップを含み、上記組み立て装置は、
a) 壁パネル組立体装置は並列の外部縁の両側に矩形状のマスターワークフレーム（ＭＷＦ）から構成されており、各外縁は動力化された機構をそなえた他の外縁に向けて対向して配置される床マウント垂直壁支持部材（ＶＷＳＭ）に固定されており、当該動力機構は上記ＭＷＦをして従来の電子リモートデバイスによって容易に制御される垂直／水平および上向き下向き位置で旋回させ、稼動可能な水平方向の高さに位置した際、頂部および底部の土台プレートおよび全ての間柱、壁パネル、窓およびドア小口および測深／電子的な備品および窓枠を受け、これらの構成要素のすべては平坦に配置されるべきであり又上記ＭＷＦ上に組立てられるべきであり、さらに１６“あるいは２４”Ｏ.Ｃ.で離隔しており、この仕様以外の他のＯ.Ｃ.仕様に関して限定されることは意味せず、かくして上記機構が直立しかつ自立する際、垂直方向の位置において上記ＭＷＦを回転し、ここにおいてドライウオールおよびＯＳＢ壁外装および全ての他の必要な詳細な仕事は次いで達成可能であり、
b) 上記ＭＷＦは、当該ＭＷＦの頂部および底部縁部の上に外方に設置され頂部および底部リリースバーから構成され、上記ＭＷＦはそれらの端部の双方に載置したマニュアル調整可能機能機構を備えており、上記端部は間柱／プレート／複合絶縁パネル／小口、及び窓枠を適切な位置に保持する機能を達成し、すべての保持対象部材は組立てプロセス中離隔した状態にあり、完成した際、断面壁を係合を解き放ちかつ開放する機能を達成し、
c) 上記ＭＷＦは更に２個の垂直壁支持部材（ＶＷＳＭ）から構成され、当該垂直壁支持部材は頂部マウント部材と基部マウント部材から構成され、これらの部材にとって両方の垂直壁支持部材（ＶＷＳＭ）はＭＷＦ組み立て体の対向側部に載置され、主たるフレームの各側にガイド棒が固定され、ＶＷＳＭの双方のボデーが一対の金属保持部材を有し、当該金属保持部材は調整可能で水平に移動可能であり、ガイド棒は上記主たる枠に緩く固定され、必要とされる壁仕様サイズによって決定される位置における未完成及び完成断面壁を係合及び係合を開放する機能を達成し、
d) 上記ＭＷＦは負荷ＭＷＦがその垂直位置に回転する際、下方に位置する重量支持部材とともに輸送フォークリフトを挿入するための開口部付き材木プレートから更に構成されており、
e) 壁枠生産組立て体は各端部から延存する両側の上の支持脚付きの水平方向支持装置から構成されており、動力トラックは上記支持脚の下面に設置され、当該動力トラックは
搬送フォ−クを各脚の内部の上に置かれかつ垂直壁組立て体部材の各ワークエリアに向けて配置されるビデオカメラを移動させ生ライブストリーミングビデオを観測用インターネットサーバに供給し、この際
電動モータは貯蔵所へ完成壁構造体を搬送及び輸送する２個の主たる機能で搬送フォ−クをトラックに沿って後方及び前方へ駆動しバイヤーにパスワードでオンラインによりプロセスライブを視聴させる生産プロセスのライブビデオクリップを送る監視システムを提供することを特徴とする特許請求の範囲第１項記載の複合絶縁建築構成物及び建築断面構造体を前もって作製するための組み立て装置。
【請求項４】
モジュールの床構造体を構築する装置の設計およびその方法は組立てられるべき種々の床梁およびフローリングのプレハブプロセスにおける床構造体を種々のサイズの断面床内に組み込むステップと、四個の床梁組立てステーションによって達成されるステップ等を備え全ての床梁組立てステーションは同様な構成および機能を有し、１個の床梁組み立てステーションは非可動床マウント張りでかつ他の３個の床梁ステーションは車輪付きでトラック上で可動であり、上記組立体は、
a)上記４個の床梁組立てステーションの各々一つは安全レール付きの引き伸ばされ水平化されたプラットホームを備え、当該プラットホームは職人のための地面から上方５から６フィート持ち上げることが可能な同期式昇降機構付きの２個の位置した装置の上に設置されると共にそれらに接続され上記床面および下方で稼動し、    
b) 上記４個の床梁組立て体ステーションについて、１個は非可動床マウント床梁組立てステーションとして記載した床マウントステーションであり他の３個は車輪付きの可動ステーションであり、当該３個の床梁ステーションは車輪付きでトラック上を可動可能であり、全てのステーションは例えば垂直および平行な矩形形状体において４方向位置に置かれかつ配置され、ここにおいて「北」位置における非可動床マウントステーションは「南」位置における３個の可動ステーションの１つとして固定されており、上記可動床マウントステーションは柔軟な可動性を有し、さらに上記「北」床マウントステーションから離隔して移動可能であり、床梁の種々の長さおよび幅の形成体に種々の仕様で組みたてられるべき断面の主要な床のための２個の対向するプラットホーム上に置かれることを可能にし、しかるに他の２個の可動ステーションは車輪およびトラックの連動した可動性で「東」および「西」の形成体において配置可能であり、上記他の２個の可動ステーションは形成体内で互いに離隔するように速やかに移動可能であり、上記他の２個の可動ステーションは北および南の縦方向形成体の両側で付加的な断面床をして組み立て可能にさせ、より更に断面床は上記可動「東」および「西」の補助組み立て体ステーションによって建造することが出来、次いで主たる床に取り付け可能であり、         
c) 種々の長さを有する床梁は断面の主たる床として組み立てられるべきＯ.Ｃ.仕様により縦方向のプラットホームに置くことができ、上記昇降機構はまた副次的床外被、空孔スペースおよび全ての必要な構成部材を容易に表面およびもしくは下側に設置されることを可能にし、
d) 種々の長さを有する断面付加的床は柔軟な可動性を有する上記２個の対向した可動床梁で組立て可能であり、補助組立て体ステーションは種々の長さを有するアレイ上の床梁を置くことによって設置され、  それらの端部は幅方向のプラットホームの上に取り付けられ、それらの全ての他の端部は主たる床の置かれた縦方向の床梁の枠の側部プレートに取り付けられ、全ての付加的な床は上記２個の可動床梁の東および西横方向形成体に組み立て可能であり、上記補助組立て体ステーションは当該２個のステーションを離隔するように移動し完成した断面の付加的な床を分離して組み込むことが可能であり、かつ分離して出荷可能である仕様を調整することを特徴とする特許請求の範囲第１項記載の複合絶縁建築構成部材および建築断面構造体を予め製造するための組立て体。
【請求項５】
複合絶縁パターンの形成および機能は本発明において例示された最も重要な絶縁物質として硬い泡を採用し、しかしながら容易に使用可能である性質上硬いもしくは柔らかい絶縁物質によって限定されることを意味せず利用できる絶縁物質としての硬い泡を置換し、例えば活性強制エアー空洞、不活性空洞、ガラスＶＩＰおよび活性強制空気等の絶縁効率を生成する本発明の一環としての５個の焦点となる主題から構成され、複合絶縁パターンは亜鉛引きされた金属シートに関連しており、本発明において記述される「複合絶縁パターン」の一環としての硬いもしくは柔らかい最も重要な物質に限定されるものではなく、上記複合絶縁建築構成部材は、
a)単一あるいは一連の硬い泡部材は他の絶縁に限定されず、主たる絶縁物質として性質上硬いもしくは軟らかい泡部材のいずれかを採用することができ、上記泡部材は垂直の間柱および壁パネルの構造体内に置かれ他の絶縁手段を囲み、天井および壁パネル構造の一部である複合絶縁パターンを構成し、   
b)少なくとも一個の強制エアー活性空洞が絶縁物質によっておよびそれらの中で生成され、当該絶縁物質は複合した硬い泡シートを挟む形態に限定されるものではなく、上記複合した硬い泡シートは複合絶縁パターンの一部として少なくとも単一もしくは連接した空洞を形成する縁としての泡ストリップによって離隔され、    
c)少なくとも一個の強制エアー空洞は絶縁物質によって及びそれらの中で生成されることが可能であり、しかしながらその生成形態は強制熱もしくは冷却エアーを通過せしめることあるいは室温のエアーを通過させることにも限定されるものではなく、気候制御のためには上記強制エアー活性空洞が複合絶縁パターンの一部であることに限定されず、
d)少なくとも一個の強制エアー活性空洞が絶縁物質によっておよびそれらの中で生成され、その生成形態は複合した硬い泡シートを挟むことに限定されるものではなく、当該複合した硬い泡シートは縁付きの泡ストリップによって離隔され、当該泡ストリップは単一の空洞を形成すると共に少なくとも１個の亜鉛引きされた鋼材シートを有し、上記複合した硬い泡シートは上記単一の空洞内に置かれると共に上記複合の絶縁パターンの一部であり、     
e)選択において少なくとも一個の刷りガラスＶＩＰは絶縁物質との間に配置されるべき応用に依存し、この応用形態は複合した硬い泡部材を挟むことや、もしくは上記複合絶縁パターンの一部として泡を吹き付けることにも限定されることを意味せず、     
f)少なくとも一個の不活性空洞は絶縁物質間において生成され、その生成形態は絶縁物質としての硬い泡部材を使用してエアーをチャンネルへ強制エアーなしで通過させ複合絶縁パターンの一部を形成することに限定されず、
g)上記複合絶縁パターンの柔軟な形成体は上記垂直間柱および壁パネル内に配置され、この配置形態はそれらの厚さもしくはサイズによっておよび単数であるか複数であるかによって更に互いの順序正しい配置により限定されるものではなく、上記複合絶縁パターンの柔軟な形成体はエネルギー保存の目的のために本発明において提示されるものとしてのそれらの使用にまで拡大することを特徴とする特許請求の範囲第１項記載の構造体を予め製作するための複合絶縁建築構成部材。
【請求項６】
屋根ラインシステム、屋根裏システム、天井システムおよび屋根強制エアーシステムを含む屋根エアー強制システムの形成体であり、上記屋根エアー強制システムは、
a)たる木部材が両側部および突き出しフランジを有するそれらの底部の中心において外側に面する２個の背中合わせの「Ｃ」チャンネルを有するそれらの引き伸ばされた細長い頂部において構成され、上記突き出したフランジの両面上において、上記織物支持部材および上記中心支持部材は取り付けられかつ締結され、次いで複数の硬い泡絶縁パネルを設け、各絶縁パネルは複数の配列された屋根裏部材およびその間で設置され、各屋根裏部材はピッチ（屋根ライン）に添う一つのローピッチ端部からハイピッチ端部への「Ｃ」チャンル溝内に具合よく嵌合され、次いで屋根ラインのセンターピークの真っ直ぐ下で大きな絶縁された吹き消しチャンネルを生成し、当該吹き消しチャンネルは、配列された硬い泡パネルに垂直に配置された硬い泡シート部材から製作され上記硬い泡パネルは上記絶縁され他吹き消しチャンネルの開口部に夫々接続された空洞を備え、
b)a項において記載された上記強制エアー屋根ラインの機能は複数の泡絶縁パネルのアレイを位置ずけることであり、各絶縁パネルはシールされた長い縁部として２個の泡ストリップと共に挟まれた硬い泡部材の少なくとも２シートによって構成され、内部で垂直方向に設置された大きな硬い泡絶縁吹き消しチャンネルへの各開口部に接続されている流入エアー用に開口したローピッチ端部およびハイピッチ端部との間及びそれらのピッチエンドで、２個の開口端部付き空洞を形成し、設置されるべき太陽熱駆動型のブロアのために簡易的に設計されているローピッチ端部から各空洞へ次いでハイピッチ端部へ向けかつ大きな吹き消しチャンネル内に流入する全ての望ましくない温度エアーを収集（吸引）するたる木部材を介して最も高いピッチレベルの下で
収集された望ましくないエアーを方向ずけかつ消失させ、必要とされる何処でももしくは適切な所何処でもそして上記吹き出しチャンネルと一緒に活性強制エアー空洞付き更に上述した屋根ラインパネルそれらの機能を要求し、同様な目的のために従来の設計された木製のトラスシステム上に設置するかもしくは仕様されることに限定されず、
c)  ドロップ・ダウン天井梁の形成体および機能を備え、そのコアボディは、両端部上に延在する全長の上部１個のＯＳＢストリップ部材でありかつ低い側のボディは両方の低い側の端部付のドロップ・ダウン部であり、全長の上部の両端部において２個に等しい拡張を確定するドロップ・ダウン部の両端部で９０度のカットオフを生成する拡張した上部の各端部に先行して等しく終端し、ＯＳＢストリップ部材の全長上部上に嵌合用の溝付きの９０度フランジに面して一組の外部と共に両方の縁部において溝により形状を決められた全長の亜鉛引き鋼材を有し、壁上の土台プレート上に位置せしめられるべき９０度フランジのフェイス・ダウン側の２個の延長部付きの１個の上部断面ボディとしてなり、全体の建築構造体をおよび９０度フランジのトップフェイスアップストッリプ／スペースの組み立ての間、上記複合絶縁パネル（不活性空洞ガラスＶＩＰおよび硬い泡部材）屋根裏部のペイロードが休止し、上記ＯＳＢ低い側のドロップ・ダウン部は、上記底部の縁と同一レベルに背中合わせに位置した２個の亜鉛引きの鋼ドロップ・ダウン９０度フランジを有し、ＯＳＢドロップ・ダウン低部の長さを整合させ上記ドロップ・ダウンＯＳＢの両フランジ上のストリップスペースを生成し、当該ＯＳＢは位置すべき硬い泡空洞部材の内包のために準備された複合天井梁で位置し、全体のＯＳＢストッリプ部材はより長い上部および中間の短いより低いドロップ・ダウン等を備え、両端部における９０度カットオフは天井梁のコアボディを形成し、しかるに上記２個の上部方向および下部方向の亜鉛引きの鋼部材はＯＳＢビーム部材に取り付けられ、金属から金属へ（天井から土台）への熱移送を短絡させる「ゼロ」接触を有し、そして上記ドロップ・ダウンのペイロードを提供し、ここで上記絶縁部材の天井部分は活性強制エアー空洞から構成され、天井ドライウォールはフェイスダウン９０度フランジの棚の上に設置されており、複合絶縁天井パネル屋根裏部は硬い泡／不活性空洞／ガラスＶＩＰから構成され更に活性強制熱ブランケットの一部として機能する従来の材木天井梁の上に設置されるべきおよび使用されるべき複合絶縁パターンから構成され天井パネルと一緒に天井ドロップ・ダウン部を更に要求し、 
d）上記壁構造織物体の形成体はナット及びボルトによって締結可能な両端部を備えた亜鉛引き鋼織物部材のアレイをたる木部材の張り出し延在フランジを位置させ、そして次いで鋼織物部材の他端はナットおよびボルトにより固定され得る天井梁の頂部に締結され、１／２屋根トラス枠の織物体を形成し、かつ１／２トラス枠の屋根２個の半分を有し、それらのフランジは次いで一緒にセンター支持部材の各々に結合およびボルト締めにより固定可能であり、上記織物の間の屋根裏スペースで屋根トラス構造の全体の片になり、
e)完成した屋根構造体付き「屋根ライン、屋根裏さらに天井」からなる屋根システムの形成体および組み合わされた機能は開放された状態の強制エアー空洞で硬い泡の絶縁パネルで囲まれる屋根、たる木部材から構成され、上記頂部における吹き消しチャンネルを用いて望ましくない温度エアフローを収集し、上記天井ラインの天井の梁のドロップ・ダウン部における不活性空洞および不活性ガラスＶＩＰで複合絶縁されたパネルを収容するように構成された屋根の梁の上部を備え上記天井上の天井梁のドロップ・ダウン部は活性熱強制エアー空洞／通路の活性熱強制エアー空洞／通路を硬い泡パネルで容易化し、絶縁部材で全体の屋根裏および開放エリアを閉鎖しかつ屋根裏スペースの絶縁された側壁に設置されたプログラム可能な排気ファンを利用し、屋根裏は容易にシールされるように設計され、択一的なグリーンエネルギー発生ファンによって湿度および温度は調整され、非先行絶縁Ｒ値の天井ラインの下で屋根裏スペースおよび部屋スペースを分割する頂部の土台プレート上に置かれるドロップ・ダウン部で天井梁の付加的な機能を更に定義し、屋根ラインおよび屋根裏およびドロップ・ダウン天井から構成される上記屋根システムを要求し、これらの構成部材は従来の設計された材木屋根トラスシステムと一緒に設置されおよび使用されるべきことに限定されてはならず、
当該屋根トラスシステムは同様な目的で機能し、改良された絶縁が提供され、調整された温度および気候制御が調整されることを特徴とする特許請求の範囲第１項記載の複合絶縁建材構成部材。
【請求項７】
複合絶縁壁パネル、複合絶縁垂直間柱および絶縁された頂部／底部土台プレートから構成される少なくとも１個の完成した断面壁を備えた活性強制エアー壁システムの機能であって、壁小口は全て適用仕様要求に依存して上記複合絶縁パターンの一部もしくは全てを採用し、熱冷却活性エアーがそこを介して通過し、上記活性強制エアー壁システムは頂部／底部プレート上の連接開口部に関連した空洞／複数の空洞に向けられており、全ては網目状化され他の空洞／複数の空洞および開口部に接続可能であり、上記空洞および開口部は例えば天井システム、他の断面壁、床システム、窓システムおよび底部壁システム等の同様な建築構造体の他の熱／冷却活性強制エアーシステム内に設置されており、熱／冷却活性エアー絶縁を提供し該絶縁は建築物全体のブランケット／囲みを形成し、床内加熱についても同様であり、それにより活性加熱モードから受動過熱モードへ遷移し熱／冷却活性エアー流路の柔軟性を適用し、活性強制エアーフローパスの方向ずけをすることができ    上方／下方にかつ垂直方向から強制エアーを通過させることができ、さらに  ルートを変更することもでき、上記垂直壁パネルボディの上空洞／複数の空洞内で並列な水平なパーテションストリップ物質を予め固定することによって単に水平対向方向に進行し、上記垂直壁パネルボディは垂直な間柱ボディの上予めカットされグループ化された開口部によって調整され、上部／中部／底部の水平流路を生成し、上記活性強制エアー壁システムは本発明の壁組立て体装置の上に組立て可能であり、そして測深及び電気設備品は特許請求の範囲第２項に記載された不活性およびビルド‐インタイプの個々の垂直の間柱壁パネルに接続されたスペースを介して断面壁パネル内で予め設置されることが可能であり、上記壁パネルシステムは、
a) 本発明において例示される硬い泡部材を採用する一連の複合パネルは硬い泡部材を含むのみならず、他の硬い泡部材もしくは軟らかな絶縁物質によって限定されることを意味せず、これら複合パネルを用いて絶縁物質として硬い泡部材を置換し複合絶縁パターンの生成を容易化しこれらの複合絶縁パターンは種々の絶縁手段を構成し組み込まれるべき複合絶縁パターンの一部もしくは全てを含むことも選択に依存して上記断面壁を形成する壁パネルおよび断面壁の機能を構築しそして上記壁パネルを形成し、
b)複合壁は絶縁物質との間に配置されるべき少なくとも１個の刷りガラスＶＩＰから構成され、当該絶縁物質は硬い泡部材を挟むこともしくは泡を噴霧することに限定されず、上記複合壁は断面壁パネルの絶縁パターンの一部として存在し、              
c)他の複合パネルは上記絶縁物質内で生成される少なくとも１個の強制エアー活性空洞から構成され、当該絶縁物質は縁としての泡ストリップにより離隔して硬い泡シートを挟むことによって限定されるものではなく、上記泡ストリップは上記断面壁パネルの絶縁パターンの一部として単一もしくは連接の空洞を形成し、   
d)少なくとも一個の強制エアー活性空洞から構成される他の複合壁は上記絶縁物質によっておよび当該絶縁物質内で生成可能であり、上記絶縁物質は進行する強制熱もしくは冷却エアー内を通過して温度を調節するか、あるいは上記壁パネルの絶縁パターンの一部として気候制御のためにもあるいは室温エアー内を通過することにも限定されることを意味せず、
e)他の複合パネルは絶縁物質内で生成される少なくとも１個の強制エアー活性空洞から構成され、上記他の複合壁は単一の空洞を形成する縁部としての泡ストリップによって離隔した硬い泡部材によって挟まれることを含むがそれに限定されるものではなく、上記他の複合パネルは上記壁パネルの絶縁パターンの一部である単一の空洞内に配置される少なくとも１個の亜鉛引きの鋼シートを有しており、    
f)他の複合壁は上記、絶縁物質内で生成される複合強制エアー活性空洞から構成され上記絶縁物質は連接の空洞を形成する縁部としての泡ストリップによって離隔した硬い泡部材によって挟まれることを含むがそれに限定されるものではなく、上記他の複合壁は上記壁パネルの絶縁パターンの一部として複合亜鉛引きの鋼材シートと共に配置されており、
g)他の複合壁は絶縁物質間で生成されるべき少なくとも１個の不活性空洞から構成され、上記絶縁物質はチャンネルへ強制されていないエアー絶縁物質としての硬い泡部材を使用することに限定されることを意味せず、上記壁パネルの絶縁パターンの一部を形成し、
h)他の複合パネルは上記空洞内の壁パネルの直立した泡ボディ内での垂直に通過する強制エアー空洞／複数の空洞へ水平に予め固定されるパーティションーストリップ物質から構成され、上記垂直の土台の間柱における開口部に一致すると共に接続される壁パネル内の水平の活性強制エアー通路を生成し、
i)複数の複合垂直間柱は複合壁パネルおよび絶縁された頂部／底部プレートで一体化された部分的もしくは全ての複合絶縁パターンから構成され、上記断面壁を形成し、  
j)複数の絶縁された頂部および底部のプレートは複合壁パネルおよび複合垂直間柱で一体化された部分的およびもしくは全ての絶縁パターンから構成され、上記断面壁を形成し、k)本発明に例示された断面壁の構成であって、その構成の幅長さ高さの測定およびＯＣ配置の測定の立場の仕様は最大エネルギー効率的効果の収率を向上させるために種々の要求に基づくある仕様に制限およびもしくは限定されることを意味しないことを特徴とする特許請求の範囲第１項記載のプレハブ構造体。
【請求項８】
複合垂直間柱は本発明において例示された硬い泡部材を備える複合絶縁パターンを採用し、上記の硬い泡部材が使用されることを含むだけでなく、他の硬いもしくは柔らかい絶縁物が使用されることも限定されず、「活性および不活性空洞」から構成される硬い泡部材の生成を容易化するために絶縁物としての硬い泡部材を置換し、そして上記硬い泡部材は上記そのガラスＶＩＰを挟むように作用し、本発明における上記１０個の複合絶縁垂直間柱の少なくとも１個は複数の垂直間柱として使用され、上記断面壁を構築するため壁パネル用支持およびロードベアリング部材として置かれ、上記１０個の間柱は種々のユニークな構成を備え、全てはゼロの「金属接触」により一方の側から他方への熱移送を迂回する一つの主たる機能の下で設計されており、この際複合絶縁パターンの効果と一緒に熱移送が行われ、これらの１０個の垂直間柱の各々はそれらの亜鉛引き鋼構造的対応物（ＩＧＳＳＣＭ）を有し、これらの１０個の垂直の間柱は適切な産業上の接着剤を用いて１個の構造体として一緒に締結されることができるかもしくは少なくとも１個のＯＳＢストリップ部材と一緒に螺合されることが可能で、構造的強度の一体性を強化および維持し、一片となり、加えて２個のＩＧＳＳＣＭによって形成される上記１０個の複合絶縁垂直間柱は１個の構造体として締結可能で、それ故２個のＩＧＳＳＣＭによって形成される１０個の間柱構成のいかなる「半分」の部分は全ての２個のＩＧＳＳＣＭの各異なった９個の半分の何れかの１つと混合されさらに整合することが可能であり異なった構成を形成し、そして上記１０個の複合絶縁垂直間柱の１０個の連接は本発明における付加的な混合および整合した複合構成を生成することが可能であるユニークさに基づく１０個の図示された構成に限定されるものではなく、本発明における１０個の複合した垂直の絶縁間柱の少なくとも１個は上記壁パネル用の支持およびロードベアリング部材として例示されるか使用されるべきであり上記断面壁を建造し、そして上記複合垂直間柱は以下の全てから構成されるか選択された何れかから構成される可能性があり、上記複合絶縁建築構成部材は、
a)上記複合絶縁パターンの１個の刷りガラスＶＩＰは上記垂直間柱の中間に位置し、  
b)上記複合絶縁パターンの少なくとも１個の強制エアー空洞は硬いおよびもしくは柔らかい絶縁物質のいずれかによって生成され、
c)１個の亜鉛引き鋼シート部材は利用されるべき複合絶縁パターンの一部であり、要求に応じて選択され上記強制エアー空洞内に置かれており上記Ｒ値を増加させ、
d)開放端部を備えた間柱に生成される上記熱活性強制エアー空洞は同一の建築構造体内で他の強制エアーシステムに接続されており、
e)少なくとも１個の不活性空洞はチャンネルを通過する強制されていないエアーで硬いおよびもしくは柔らかい絶縁物質によっておよびその間であって、上記間柱内で生成され上記複合絶縁パターンの一部として形成され、更に上記不活性空洞は電気的な配線および測深備品用の通路として利用されるアクセスを行い、  
f)上記間柱内に配置されるべき上記複合絶縁パターンの柔軟な形成体はそれらの厚さ／サイズおよび単一性／複数およびそれらの秩序正しい配置によって限定されるものではなく記述し更に例示された形成体によって提示されるような使用にまで拡大され、  
g)複数の複合垂直間柱は複合絶縁パターンから構成されるそれらのボディ上にグループ化された開口部を有しており、
h)複数の複合垂直間柱は複合絶縁パターンから構成され、それらのボディ上に開口部を「有さず」に、
i)本発明において例示される垂直間柱の構成であって、幅／長さ／高さの測定の立場での使用は最大効果の収率を上げるために住居と商業地域／産業地域との間の種々の建築要求基準に基づくある使用に制限およびもしくは限定されるものではないことを特徴とする特許請求の範囲第１項記載の複合絶縁建築構成部材。
【請求項９】
頂部および底部のプレートの形成体は対向した上向きの位置において内方に位置する２個の同一の細長い９０度の亜鉛引き鋼部材を有し、上記頂部および底部プレートの形成体は互いに少なくとも１インチだけ離隔しており、上記鋼部材は挟まれた２個のＯＳＢストリップ部材から構成される複合絶縁部材を更に有し、適切に嵌合され、次いで中間に位置した硬い泡部材のストリップでにかわ接着され、適切に嵌合され、次いで上記亜鉛引きの鋼部材の２個の「非接触」表面に螺合され、金属接触なしで熱移送を迂回（阻止）するように設計されている壁構造体の一部として構成することによって要求されるように機能する頂部および底部プレートで１個の完成した構成部材になり、断面壁の頂部および底部の上に載せられるロードベアリング壁もしくは非ロードベアリング壁のために使用され、通路として作用するボディに沿って連接した重要な開口部を有する断面壁の一体化を維持し構成および仕様に依存して対向した方向からの強制的なエアーの流入および流出を調節することを特徴とする特許請求の範囲第１項に記載の複合絶縁建築構成部材。
【請求項１０】
上記活性強制エアー床システムは発明の主たる床梁、外部床梁および内部床梁から構成され、そしてまた従来の床梁に関連しており床内の活性強制エアーフロー用の通路を形成する副次床外被下の「空孔スペース」を容易化し、上記活性強制エアー床システムは、
a)本発明の主たるＯＳＢ床梁の方法および形成体において、上記ＯＳＢ床梁はその細長いＯＳＢボディに沿って、２個の亜鉛引きの鋼部材を有し、上記亜鉛引きの鋼部材の双方は溝を備え一方の鋼部材は細長い主たるＯＳＢ床梁ボディの頂部縁に設けられ、他方はその底部縁に設けられており、上記溝のその両側部の頂部の亜鉛引き鋼部材は同一の「頂部たな」を分け持つ一組の２個の外側に面する背中合わせ「Ｃ」溝で構成され、上述した溝は中間においておよび「Ｃ」溝の両方の内部壁上に一片として構成され、上記ＯＳＢ床梁ボディ上部の上に予めカットされた開口部を備え、配置された各側に一列に配置された小さな開口部が存在し、底部に設けられた亜鉛引き鋼部材は上記ＯＳＢ床梁ボディの底部を分配する上向きの９０度フランジに外側に面して構成されており、上記溝は上記ＯＳＢ床梁ボディの底部縁上に溝として設けられあるいはマウントされる一片として中間にあり、大きな予めカットされた開口部はまた測深パイプおよび電気的配線ニーズのために準備された頂部および底部の亜鉛引き鋼部材間の細長いＯＳＢボディに沿って中間部上に位置しており、
b)内部の床梁の形成体および機能は床梁ボディとして形成する少なくとも１個のＯＳＢストリップ部材から構成され、更に２個の亜鉛引きの鋼部材を配置し、１個は溝で構成され一方の側の「Ｃ」溝は上記ＯＳＢ床梁ボディの上方縁において溝として設けられもしくはマウントされた溝の同一壁を分かち持ち、他方の亜鉛引き鋼部材は上記「Ｃ」溝の同一側に配列される突出フランジで構成され、
上記「Ｃ」溝は上記ＯＳＢ床梁ボディの底部の縁において溝として設けられもしくはマウントされた溝の同一の底部だなを分け持ち、同一側に位置する上部および下部の並列な突出フランジは同一側に位置し更に上記並列な配置された主たる床梁に対する垂直方向の位置に配列されるべき特許請求の範囲第１０a項に記載の主たるＯＳＢ床梁をアンカーおよび取り囲むべく機能されるように設計されており、   
c)外部の床梁の形成体およびその機能は少なくとも１個の硬い泡ストリップ部材から構成されており、上記外部床梁は複合絶縁ボディとして形成される少なくとも２個のＯＳＢストリップ部材で挟まれており、更に２個の同一の亜鉛引きの鋼部材を備え、各鋼部材は突出フランジおよび溝で形成されており、その内の一方の溝は上記上部縁において溝として設けられるかもしくはマウントされ他方の溝は上記複合絶縁ボディの低部縁において溝として設けられるかもしくはマウントされ、上述の上部および下部の並列な突出フランジが同一側に置かれ上記並列に配列された床梁に対する垂直位置に配列されるべき特許請求の範囲第１０a項記載の主たるＯＳＢ床梁をアンカーおよび取り囲むように設計されており、  
d)活性強制床システムの機能及び設置は特許請求の範囲第１０a項に記載された主たるＯＳＢ床梁に関連しており、配列され置かれた主たるＯＳＢ床梁の上部副次外被を設置することにより実現され、
しかるに主たるＯＳＢ床梁の「Ｃ」溝は、当該「Ｃ」溝の低いたなの上の薄いパーティションを固定することによって配列された主たる床梁に沿っておよびその間に上記副次床面の直下の空孔スペースの生成を容易化するように設計されており、しかるに副次床外被はその上に設置され活性強制空気通路用の空孔スペースを生成し床梁の一端から他端に達する移動する活性熱的強制空気に向けることにより上記副次床外被の上および底部プレートの上の開口部を通過し、上記壁パネル内の短い通路に接続される前にかつ床内過熱における活性強制空気として機能し、ここにおいてその前に同じ空気がエアー調節器を経由して部屋雰囲気へ放出され、当該エアー調節器は上記土台基盤上に設置された短い通路に関連しており、しかるに上記空孔スペースからの同一の強制エアーフローの他のフローパスは他の壁パネル内および他の壁パネルから通路を介して流れ、上記窓構造の底部に一列に配置される開口部を介して通過するそれらのフローパス内において移動し続け、上記窓敷居プレート内に次いで強制空気は強制空気窓除氷カーテンとして機能する開口部内に押し入り、上記空孔スペース内の他の強制エアーフローは、上記床梁の上部の上の上記「Ｃ」に位置した予めカットされた開口部を経由して、他の通路さらに他の壁および窓に垂直に向けられると共に経路が変更され、付加的な請求項として還流強制空気は収集され経路を再変更することができ、その際外部の側板に対して上記床梁の端部における上記副次的な床の下に設置された硬い泡の流れのガイドを経由し、上記パーティションされた空孔スペースはスペースがパーティションされることが可能でありエアーフローのための還流チャンネルとなる気候制御ユニットに還流し、
e)上記空孔スペースは上記ボディ上に生成され、従来の設計された「Ｉ」ビーム床梁は頂部および底部の木材部材を有し、当該双方の頂部および底部の木材部材は主たるボディとしてのＯＳＢストリップ部材上に置かれ、副次的床外被はその上に設置され更に「Ｉ」ビームの頂部木材部材（約厚さにおいてすくなくとも１”）上で閉塞する複合したシート部材を実施することにより、当該複合した薄いシート部材は次にパーティションとして使用されるべき各床梁のフェイスダウン棚に固定されており、上記副次床の直下に上記頂部木材部材と同じ厚さの張り出された狭いスペースを生成し、内部の空孔スペースが床内活性強制エアー通路として活性強制エアーを通過させることにより床内活性強制空気通路として利用可能であり、本発明における他のシステムの場合種々の通路および開口部に接続されており、
f)空孔スペースは従来の単一金属「Ｃ」チャンネル床梁から生成され、ここにおいて、副次的床シート部材がその上に設置され、単一「Ｃ」チャンネル床梁の頂部たなの上で閉塞され、次いでスペースとして用いる「Ｃ」チャンネルのいずれかの側の上の実施された長い部材（少なくとも１インチの木材もしくは泡）のフェース・ダウンたなの上に複合したシート部材を置くことにより、上記副次床シート部材から離隔し副次的床の下の張られる狭いスペース／空洞を生成し、その中の空孔スペースは上記その中を通過する強制エアーにより床内活性強制空気通路として利用可能でありかつ床内過熱および強制エアー窓除氷カーテンとして機能すると言う要求を容易化し、
g)空孔スペースは従来の背中合わせの二重金属「C」チャンネル床梁から生成され、ここで副次的な床シート部材が背中合わせの二重の「C」床梁の頂部のたなに設けられかつ閉塞されておりスペーサーとして使用する上記二重の「Ｃ」チャンネルのいずれかの側の上少なくとも厚さ１インチの設置された長いストリップ部材のフェースダウンたな上に固定された複合薄いシートパーティション部材を実施することにより、上記副次床シート部材から離隔し空孔スペースとしての副次床の下の張られる狭い空間／空洞を生成し、ここにおいてそれは移動する熱的な強制エアーによって床内活性強制エアー通路として利用することが可能であり、床内加熱として機能し更に強制エアー窓除氷カーテンを容易化し、
h)空孔スペースは従来の木材床梁から生成され、ここで副次床シート部材は上記木材床梁の頂部たなの上に設置されかつ閉塞されており、長いストリップ部材はスペーサーとしての木材床梁のいずれかの側の上の頂部縁の上に置かれ、上記副次的な床シート部材から離隔するようフェースダウン棚の上に複合シートパーティション部材を固定することに続いて、上記副次床シート部材から離隔し空孔スペースとしての副次床の下の張られる狭い空間／空洞を生成し、ここにおいてそれは移動する熱的な強制エアーによって床内活性強制エアー通路として利用することが可能であり、床内加熱として機能し強制エアー窓除氷カーテンを容易化し、
i)上記活性熱的な空洞の一体的な形成および多重機能は床梁間の床内空孔スペースを介して流れる強制空気と連動し、当該床梁は強制エアー通路用の床外被の直下に置かれ、当該強制エアー通路は床内過熱もしくは冷却用の活性強制エアー空洞／チャンネル／通路として機能し、上記活性強制エアー窓除氷作用は凝縮物を取り除く機能を果たし、同様に壁内強制周囲エアーは床レベルより高い壁上の調節器を経由して室内へ通風し、それによって床エアー調節器用の床上の切削孔を取り除く機能の要求を促進し、更にフローリング上の破壊を取り除き床ボディの一体性を維持するよう作用することを特徴とする特許請求の範囲第１項に記載の複合絶縁建築構成部材。
【請求項１１】
上記活性強制エアー窓システムの形成体は複合活性強制エアー空洞／通路から構成され、既存の従来（アルゴンガス封入二重もしくは三重の窓ガラス）窓構造に関連した単一の非刷りガラスシートを付加することは全てのスタイルに適用可能であり、蝶番およびスライダーを備えた窓のタイプを含むがそれに限定されるものではなく、活性強制エアー窓絶縁を生成し、強制エアー窓除氷器は１個の活性強制エアー窓システムとして同時に機能し、上記活性強制窓システムの形成体は、
a)上記方法および上記窓活性強制エアーシステムの形成体は２個の分離した強制エアーフローパスを備え、ここにおいて非刷りガラスの単一シートは上記従来の二重窓ガラスの内部の側の上に設置され、上記単一シートは次いで「活性強制エアー空洞／通路」として利用される薄い中空スペースで三重窓ガラス設定を行い、ここで二組の位置したインラインプリカット開口部がその間に存在しかつ垂直に一列に配列され、１組の窓ガラスは低い側の枠／土台プレート上に対面し、上記下側の壁パネルの強制エアー通路に接続され、一方他の組の窓ガラスは上方の窓枠／土台プレートに対面し、そして小口および壁パネル内の強制エアー通路に接続されており、これらの２組の上方及び下方のプリカットの開口部については双方の開口部が上記「活性強制エアー空洞通路」内に一列に配列されており、上記活性強制エアー空洞／通路を介して活性強制エアーを通過させて上記活性強制エアー絶縁窓を製作し、しかるに位置したプリカット開口部の他のラインは記述した単一のガラスシートの上にあり、当該単一のガラスシートは部屋の内部に向けて底部の窓枠／土台プレート外方部に位置し、プリカット開口部は活性強制エアーフローを受けて、そして窓枠／構造体の下での壁パネル内の上記活性強制エアー通路に接続され、また更に上記「床システム」から上記活性強制エアー通路に接続され、上記床システムは床梁に沿って「空孔スペース」内の副次的床を通過し、この床システムは区別されると共に分離され、従来の二重窓ガラスと単一のガラスシートとの間の上記活性強制エアー空洞／通路を介して同時に通過する同一の強制エアーフローには一致せず、この活性強制エアーフローとしては上記「壁システム」から通過して来るエアーフローがあり、
b)a項に記載の活性強制エアーフローパスの流れを方向づける方法であり、上記壁システムからの上記活性強制エアーフローとして機能する上記窓システムを通過し窓を絶縁しかつ他のシステムに接続されており、ここにおいて上記活性強制エアーフローの１つはより低い床レベルから上記壁パネル内の通路を介して上方に通過し、上記主たる床梁の間に配置された上記硬い泡フローガイドを介して上方に移動し、上記床外被上の一列に並んだ開口部を次いで通過し、土台プレートを通過し、上記窓の下の下方の壁パネル内の通路に流入し、次いで上記下方の土台プレート／枠を介して通過し続け、そして従来の窓と非刷りガラスシートとの間に形成される上記活性強制エアー空洞／通路内に流入し、次いで上記小口部材および上記上部壁パネル内の通路内に上記上方窓フレーム／土台プレート上の開口部内および開口部を介して上方向にそのパス上を通過し、ここにおいて上記活性強制エアーは１個のバンガロー建造物のための「強制空気天井システム」内の空洞／通路内に移行し、もしくは床梁内の固い泡「フローガイド」を介して２個の街頭建造物用の上方の床レベル内への通路を介して上方向に移動し続け、およびもしくは他の「上方床壁システム」内に移動し続け、次いで２個の街頭構造体の接続「天井活性強制エアーシステム」内に移動し、
c)窓除氷システムの上記活性強制エアー通路の機能は上記床システム内の強制エアーフローの分離した流れを使用し、上記床梁間の上記副次的床の下の空孔スペース内で水平方向に移動し上記床外被及び上記下部プレート上のプリカット開口部に達すると共にそこを通過し、次いで上記窓の下の窓パネルの表面の下に存在する狭い通路内に上方に移動し、このような狭い通路は製作された狭い「溝」であり、設置に際し、製作される壁パネル硬い泡部材のまさにその表面に配置され、完成した際上記壁パネルの表面に閉塞して存在するドライウオールは狭い通路になり、強制エアーフローの流れは上記狭い通路内に上方に沿って移動し、上記窓構造体の下部の土台プレート／フレーム上の開口部内に移動し、エアーフロー除氷器を経由して開口部から強制的に排出され、上記除氷器は上記窓枠に一列に配置され上記強制エアーフローを押し出すように機能し、かつ上記単一窓ガラスの表面に近接して移動し、次いで部屋の雰囲気内に消失し、そして同時に単一の窓枠の後方で非刷りガラスシートは上記壁システムからの他方の活性強制エアーストリームであり、上記窓を絶縁すべく活性強制エアーフローとして同時に機能する空洞内を移動することを特徴とする特許請求の範囲第１項記載の複合絶縁建築構成部材。
【請求項１２】
上記活性強制エアー通路は上記壁パネル内で水平方向におよび垂直方向に向けることが可能であり、そして上記土台コンクリートスラブ床における活性強制エアーフローシステムは上記土台壁システムに容易に接続可能であり、上記複合絶縁建築部材は、
a)複数の複合絶縁垂直間柱はボディ上に開口部を有し、上記活性強制エアーの流れを容易化し、そしてこれらの開口部は垂直な間柱ボディの低部および／もしくは上部の上で分離してそれに沿って戦略的にグループに分けられ、複合した水平強制エアーフローを容易化し、加えてそれらのボディ上開口部を備えていない一連の間柱をも使用して水平フロー流路から垂直なフロー通路への流れを阻止するおよび／もしくは経路を変更し、同じ断面壁上で機能し、あるいは同一の建築構造体の他の断面壁に接続されており、
b)複数の配列された複合絶縁垂直壁パネルおよび連接された複合絶縁垂直間柱を備え、特許請求の範囲第８項に記載の調整されかつグループ化された開口部を、連接された複合絶縁垂直間柱の中には有するものもあり、当該絶縁垂直間柱は本発明の複合絶縁パターンの部分もしくはすべてを採用し、少なくとも１個の非活性空洞および少なくとも１個の活性強制エアー空洞からなる複合三面壁を形成し、ここで連接した水平強制エアーフローは並列なパーティションストッリプ部材を実施することによって生成可能であり、垂直方向へ拡がる壁パネル内の各選択された垂直空洞を分離し、グループ化された開口部で間柱を調節することによりパネル間での上部／中部／底部へ分離し、そして開口部を備えていない間柱パーティションストリップ部材の種々の長さ部材を実施することが可能であり、上記活性強制のエアー空洞内で水平に固定され垂直パネルの空洞内で必要に応じて水平および垂直な強制空気移動を操作しかつ調節し、
c)複数の頂部および底部プレートは上記断面壁として設置され、当該頂部および低部プレートは同様に構成され、上記頂部および底部プレートは双方共に壁パネルの空洞に接続された集合的な連接開口部を有し、両方向から壁パネル内に上方および下方に強制エアーフローが流れることを容易化し、
d)土台床活性強制エアー通路は、活性熱強制エアーフローの動きのための網目状構造体を形成する管状化あるいは配管の種々のタイプを実施することによりコンクリートスラブの表面の下で生成され、活性熱強制エアーフローの動きのための網目状構造体、網目状構造体を、上記土台床活性強エアー通路は補助制御ユニットによって接続され、管状化もしくは配管化する際の上記エアーの動きは、上記コンクリートスラブの下で機能することのみに限定されるものではなく、しかしながら延長部によって上記土台壁パネル内のエアー通路にも接続可能であり、特許請求の範囲第１２c項に記載の底部プレートにおいて開口部を経由して上記土台壁パネル内へ管状化もしくは配管網目状体を接続することを特徴とする特許請求の範囲第１項記載の強制エアー土台壁システムの複合絶縁建築構成部材。
【請求項１３】
本発明における活性強制エアーシステムは、強制エアー熱ブランケット／囲い体として使用され、部分的もしくは全体の建築構造体のまわりの何らかの壁／天井／床／窓覆い内の空洞、通路、チャンネル、開口部、配管および管状化において強制熱および冷却エアーを循環し、住居もしくは商業用／産業用建築物のための複合もしくは非複合壁構造体のいかなるタイプにおいても使用され、空洞内の熱もしくは冷却温度強制空気を通過する住居もしくは商業／産業建造物のための複合もしくは非複合壁構造体のためのいずれかのタイプにおいて使用され、および／もしくは空気温度強制エアーを有し、壁内の空洞における望ましくない温度を押し流しもしくは阻止し、調節し望ましい室温を維持しR値を増加し、上記活性強制エアーシステムは、
a)不活性空洞と共に協働する活性強制エアーシステムは色んなタイプの壁内に置かれ、本発明においては複合絶縁壁パネルを含んでいるよう記述されているが必ずしもこの複合絶縁壁パネルに限定されず絶縁値として利用されることが可能であり、そして全ての床および全ての天井を含む部分および／もしくは全体の建造物をカバーする熱的ブランケット／囲み体としての気候制御を調節するためにも利用可能であり、
b)本発明における活性強制エアー空洞の生成は使用されるべき他の軟らかいおよびもしくは硬い絶縁物質を含んでおり、その生成形態は泡ストリップで縁の上に封止された導管が接着された状態で離隔し挟まれた硬い泡シート部材を組み立てるように例示されているがこれに限定されず、
c)高い絶縁値を達成する活性強制エアーシステムの形成体、およびその空洞および通路の活性強制エアーシステムの形成体は何らかの特定のタイプの絶縁物質に限定されず、および／もしくは構造的物質にも限定されない軟らかい絶縁物質もしくは硬い絶縁物質でも使用して活性強制空気空洞を生成しているが、例えば硬い泡、スプレー泡、ファイバーガラス、ロースセルロースおよび刷りガラスシートを用いることもできるがこれらに限定されず、その他の構造的物質も採用可能でありその形態としてはシート状、ブロック状、層状、立方体、もしくはコルゲートシート状を含むことも可能であり特に限定されるものではなく、活性強制エアー空洞／通路／チャンネル／開口部／中空スペース／パスを生成するようにいかなる構造体も生成および包含するように、熱いもしくは冷たい温度を調節するためにいかなる建築構造体における絶縁値を増加するために活性強制エアーを通過させ、
d)活性強制エアーシステムの機能は天井、壁及び任意のタイプの床において熱あるいは冷却気候制御を調節する目的のために達成され、さらに床内過熱のために床外被の下での空孔スペーサーを利用し、および活性強制エアーシステムを強制エアー窓絶縁として適用し、更に強制エアー窓は凝集物を取り除き、さらに床上のエアー調節器を除くことを容易化し、かくしてその目的のためにフローリング上の切削孔を取り除き、
e)他の強制熱空洞は活性強制エアーと協働し床外被の直下における床梁間の生成された床内空孔スペースを介してその中をエアーが通過し、上記床外被は活性熱強制エアー空洞／通路として使用されるべき強制エアー通路として作用し、基盤上方の上部の壁に設置されたエアー調節器を経由して室内への壁内周囲エアーを強制的に通風し、
f)上記活性エアー空洞は単一空洞に限定されず強制エアーフローの連接空洞にも適用されるが、上記活性エアー空洞は壁、天井および床内の任意の特定のもしくはある温度設定によって、種々の応用および要求に基づく単一形成体あるいは連接形成体内に位置するかどうかについて限定されるものではなく、
g)活性強制エアー空洞用に生成されたスペースの形成体は適用要求に依存して、特定の幅測定あるいは特定の立方体容積によって限定されず、
h)活性強制エアーシステムは壁の内部もしくは外部側のいずれかに接近して配置されかつ構成されており、温度および／もしくは気候制御を調節する目的のために住居もしくは商業／産業建造物のための適用条件および要求に依存して最大の望ましい絶縁効果を生みだし、
i)上記活性強制エアーシステムは天井および壁構造において使用されるべきコルゲートされた金属構成要素のための既存の従来例と直接一緒に使用され、上記コルゲートされた構成の一方の側もしくは両方の側上の空孔スペースは活性熱強制エアーパスとして利用され、商業用および／もしくは産業用建造物のためのいかなる壁および床のコルゲートされた構造体に限定されるものではなく、
j)チャンネル、開口部、空洞、通路、配管もしくは管状化システムを介してエアーが通過する活性熱強制エアーパスはコンクリートスラブ床内で生成され、取り扱いにくくて高価なスラブ内液体を除去するためにスラブ内の熱活性強制エアー過熱を提供し、かくしてそこを通過するエアーは活性強制エアーと置換され、
k)本発明における上記活性強制エアーシステムは上記エアーフロー運動のパターンに限定されるべきではなく、壁、天井および床内の水平もしくは垂直のパターンにおいてあるいは水平方向／垂直方向の組み合わせパターンの何れかを含むことも可能であり、
l)上記強制エアー空洞／開口部／チャンネル／通路は屋根、屋根裏、天井、全ての壁、さらに床システム内のそれ自身のエアーフローパスの網目構造を構成し、住居、商業および産業建造物に適用され、上記生成された活性強制エアー空洞／開口部／チャンネル／通路／パスの内部的に接続された網目構造を介して手間のかかる従来の（通常の既存の）シート金属管状化システムの除去を容易にし、
m)熱／冷却／活性強制エアーのソースは補助的な気候制御ユニットから分離されるかもしくは直接発生可能であり、そして上記主たる気候制御システムから発生されるものに限定されないことを特徴とする特許請求の範囲第１項に記載された複合絶縁建材構成部材。
【請求項１４】
上記不活性空洞は、
a)本発明における不活性空洞の生成は挟まれた硬い泡シート部材を組立てることにより例示される形態に限定されず、当該硬い泡シート部材は硬いストリップで縁部の上にシールされた導管が接着された状態で離隔しもしくは縁部上の膜でシールされチャンネルを介して「非強制エアー」で１個の単一ユニット／パネルになりこれにより更に壁の内側もしくは外側に接近して位置する壁内、天井内および構造内絶縁として利用できる単一の空洞およびもしくは単一パネル内の連接空洞に限定されるものではなく、更に上記空洞は形成体のいずれのタイプもしくは硬いあるいは軟らかい物質によって生成され、立法容量スペースあるいはサイズにも限定されるものではなく絶縁値を得るか任意の建築構造体のための気候制御に関連した温度を制御し、
b)不活性空洞の他の機能は電気的配線、ケーブルの通路および測深を考慮し、上記活性空洞は絶縁値の平均として作用する何らかの複合壁パネル内で形成する建築構造部材において位置していることを特徴とする特許請求の範囲第１項記載の複合絶縁建築構造体および組立て体。
【請求項１５】
活性強制空気空洞の形成体は亜鉛引き網シートに関連しており、上記建築構成部材の壁における改善された値のための強制エアーにヒートシンク絶縁効果を生成し、使用される他の導電物質の要求に限定されず、同様な活性強制ヒートシンク絶縁効果を生成し、この効果はたとえばアルミニウム／すずはくシート等で関連し、他の導電物質はセラミックもしくはガラスで製造されるか、および／もしくはクレイ（粘土）化合物／要素、亜鉛引き網シートの仕様を含むがそれに限定されず、ヒートシンク効果を生成し、それは活性強制エアー空洞／複数の空洞に関連させられており、ここですべてもしくは部分は絶縁値を得るために利用可能であるか、もしくは関連した温度を調整し任意の部分的および／もしくは全体の建築構造体のための制御を除去し、
a)単一の活性強制エアー空洞の他の形成体は絶縁物質によっておよびその間で生成され、少なくとも単一の亜鉛引き鋼で挿入された前記空洞を生成し、上記シートは２個の半分部分を分離し、２重の活性強制エアー空洞として作用する２個の活性強制エアー空洞、そこを通過する熱／冷却強制エアーを分配する目的で中間の単一の亜鉛引き網に関連し、複合絶縁バリアとして作用し所望のR−値を得て、
b)絶縁物質によっておよびその間での単一の空洞が生成され、この絶縁物質には硬い泡シート部材を含んでもよいがそれに限定されるものではなく、亜鉛引き鋼の２個の離隔したシートは各々が上記絶縁物質の対向側の表面に接着された状態で設置され、上記硬い泡部材は上記単一の空洞の内側対向壁であり、そこを通過する目的で２個の離隔した亜鉛引きの網シート間で強制エアー空洞を形成し、上記絶縁物質の壁の両側に接着された亜鉛引き網シート上の温度に影響を与え絶縁値を得て、
c)さらに１個の絶縁壁パネルの他の形成体は少なくとも２個の空洞の複合強制エアー空洞を構成し、中間の単一亜鉛引きした網シートで各々空洞は個々に配置され／挿入され、各「個別の空洞」を分離しそれ故２個の半分部分になり、次いで各々の半分は１個の空洞になり、そしてついで繰り返され、空洞数を乗算し、各単一空洞の中間の亜鉛引き網シートを挿入することによって、複合強制空洞を形成し、複合亜鉛引き網シートの挿入で各個別の空洞に対して、１個の壁パネル／構造内のすべてがそこを通過する熱／冷却強制空気を分配することに複合強制エアーヒートシンク絶縁効果を生成し所望のR−値を得て、  
d) 単一の強制エアー空洞は絶縁物質によって生成され、２個の亜鉛引き鋼は挿入される際、離隔され中間に置く／挿入され、上記単一の空洞を３個の半分に分離し、オリジナルな幅およびサイズを有する上記単一の空洞内の３個の強制エアー空洞を形成し、当該単一の空洞を介して熱／冷却強制エアーを分配し、多重の強制エアーヒートシンク絶縁効果を生成し望ましいＲ値を得ることを特徴とする特許請求の範囲第１項記載の複合建築構成部材。
【請求項１６】
活性強制エアー空洞／通路／開口部／チャンネルは互いに網目状化する種々の活性強制エアーフローパスを容易化しかつ構成し、上記床／天井／全ての壁／全ての窓の選択された強制エアーシステムに個別におよび戦略的に接続され、ここでそれらの方向のフローモーションが上方／下方水平／垂直パターンに限られるものではなく、種々の建築構造要求を調節し、上記複合絶縁建築構成部材は、
a)強制エアーフローモーションの柔軟性は少なくとも組み合わされた複合絶縁壁部材内で生成され、少なくとも２個の分離した活性強制エアーフローパスを容易化する空洞／通路から構成され反対方向の流れを同時に移動しそれによって１個が垂直方向上方に移動し、しかるに他の還流強制エアーは下方に移動し、同じ指定された壁パネル内に下方にその中に溶け込まれていき、組み込まれた断面壁は還流強制エアーフロー用のボックスアウトの筒／スペースと一致して配置され、下方に移動し上記補助気候制御ユニットに還流し、
b)強制エアーフロー運動の柔軟性は少なくとも単一の組み合わされた複合絶縁壁部材内で作られおり、単一の組み合わされた複合絶縁壁部材は空洞／通路から構成され、少なくとも２個分離した活性強制エアーフローパスを容易化し、水平の対向方向の流れを同時に移動し、それによって１個が壁パネルの位置した低い側の部分を介して同一断面壁の垂直方向上方に移動し、しかるに他の還流強制エアーはパーティションされた上部内およびそれを介して反対方向に水平に移動し、同一の組み立てられた断面壁の中間部分における指定された壁パネル内に組み込まれていき、当該同一の組み込まれた断面壁は還流強制エアーフロー用のボックスアウトの円柱／スペースに一致して配列され、当該還流強制エアーフローは垂直方向下方に移動し上記補助気候制御ユニットに還流し、
c)強制エアーフローモーションの柔軟性は空間／通路からなる単一の組み合わされた複合絶縁断面壁で生成され、上記強制エアーフローはパーティション化された底部および上部の断面に添って流れ、配列された壁パネル上の少なくとも２個の分離した水平フローパスを容易化し、上記２個の分離した水平方向のフローパスは個別にかつ鋭くそのルートが変更され指定されかつパーティション化された垂直方向に通過する壁パネルを介して上方もしくは下方に移動し、そして少なくとも１個の水平フローパスは同一の組立てられた断面壁の中間部における指定された壁パネル内に組み込まれ、当該同一の組み込まれた断面壁は還流強制エアーフロー用のボックスアウトの円柱／スペースに一致して配置され、当該還流強制エアーフローは垂直方向下方に移動し上記補助気候制御ユニットに還流し、
d)活性強制エアーフローはコンクリート土台床における上記補助気候制御ユニットからスタートし、次いでフローパスは全体のコンクリートスラブの表面の下で設置された管状化／配管化織物の網の目状体を介して流れ、次いで補助ヒータへの還流となり、
e)他の活性強制エアーフローはコンクリート低部床内の補助気候制御ユニットからスタートし上記全体のコンクリートスラブの表面の下で管状化／配管織物の網目状態を介して流れるフローパスに続き、次いで上記フローパスに沿って移動し、当該フローパスは上記低部プレート上の開口部を経由して上記壁システムに接続され上記低部断面壁の壁パネル上方に移行し、次いでそのフローパスを継続し他のシステムに移動し究極的に上記補助気候制御ユニットに還流し、
f)（より明瞭な配置された描写のために必要である北原理壁として）ボックスアウト壁から他の活性強制フローはスタートし、ここで上記補助気候制御ユニットは土台におけるボックスアウトスペースに位置されており、そしてボックスアウトスペースから出発する強制エアーフローパスは２個の分離したエアーフローパスに分割され、対向したパーティションされた「低」を介して上記土台の「北原理壁」の対向方向に同時に平行に移動し、上記低部「北原理壁」の両対向端部に到達し、コーナーの土台の双方にグループ化された開口部を通過し、ついでそれらの壁の端部に沿って「東および西の壁」のパーティション化された低い側の部分エアーフローは出て行き、「南側の壁」へそれらのコーナー土台の上にグループ化開口部は「北原理壁」に直接対向し、この南側は水平パーティションを有さず、ここで２個強制エアーフローパスが直面し、２個の強制エアーフローは直ちに２個の完成した半分の立方体のエアーフローの周囲を通過するパターン内を通過し、ボックスアウトされたスペースから分離して出発するので、２個の活性強制エアーフローパスが一致する接合における中間点において接合され、それらのパスを継続し主たる床表面の下でのフローガイドを介して通過し主たるレベルの「南壁」に到達し、上方のフローの下でのフローガイド内に上方へ移動し続け、そして上記上方のカベ「南壁」の下でのフローガイドへ、上方へ移動し続けており、ついで上方へレベルの「南壁」を介して、壁パネルの頂部における開口部に到達し、ついで天井ドロップダウン部内に空洞／通路にエアーフローを強制的に流し、上空レベルの「北原理壁」上の指定されたリターン壁パネルを介して下方にチャンネル化された天井を介して移動し、ついで上記主床におけるフローガイド内への還流壁パネルとして指定された主たるレベルの「北原理壁」へ移動し、
g)他の活性強制エアーフローは「北原理壁」からスタートし、ここで補助気候制御ユニットは土台におけるボックスアウトされたスペースにおいて位置しており、ボックスアウトされたスペースから出発する強制エアーフローは水平に移動する２個の分離した活性強制エアーフローパスに分割され、「北原理土台壁」のパーティションされた対向「中間」部に沿った反対方向に上記壁の端部の反対コーナーの両方に到達し、ここにおいて対向するコーナーの間柱の上のグループ化された開口部を通過し、「東および西側」のそれらの位置した「中間」部の双方へ出て行き、それから各対向側部上にそれらの壁の端部への道のすべてに沿って動き、コーナーのまわり「北向きの壁」を介して達する前に中間のグループ化された開口部を有しておらず、それ故２個の強制エアーフローパスはそのルートを変更され、主床の下に床梁にフローガイド内へ自由に上部方向へ移動することが可能であり、「東および西」主レベル壁を通過し、上記上部レベル「東および西」壁へ上部床の下でフローガイド内へ上方へ移動し、開口部を介して天井のドロップダウン空洞／通路を横切って同時に強制的に通過させ、ついで下方に方向を再び向けて、上記北向きの主たる壁の指定された還流壁パネル内へ一体化され、上記補助気候制御ユニットに還流し、
h)他の活性強制エアーフローは土台「北原理壁」からスタートし、ここで補助気候制御ユニットは土台におけるボックス・アウトされたスペース内に位置し、上記補助気候制御ユニットを出発した活性強制エアーフローはパーティションされた「北原理壁」の「上部」に沿って反対方向へ水平に移動する２個の分離したフローパスに分離され、これらの２個の分離した強制エアーフローパスは「北原理壁」の両方の対向端部の双方における端部コーナー間柱、（上部のグループ化された開口部なしでの）いずれかの他端上の双方のそれらの端部コーナー間柱によって阻止され、主たる床の下でのフローガイドへの上方への移動する対向した活性強制エアーフローパスに面しており、「北原理」の主たるレベルの壁を通過し、「北原理」の上向レベル壁への上面床の下でのフローガイド内への上方への移動を制御し、開口部を介して、天井ドロップダウン部の空洞／通路内での「北原理」に並列化された指定天井パネルを横切って、それから下方に再び方向ずけられ、この北向き原理壁の中間部における指定された壁パネル内へ組み入れられ、強制エアーフローを還流するためのボックスアウトするための筒状体／スペースに一列に位置され、下方に移動し補助気候制御ユニットに還流し、
i)他の活性化した強制エアーフローは土台「北原理壁」からスタートし、ここで補助気候制御ユニットは土台におけるボックスアウトされたスペースにおいて位置し、少なくとも１個の平均ボックスアウト円柱体スペースでボックスアウトされた円柱／スペース網目状体から出発する活性強制エアーフローは建築構造体を横切って伸びており、フローガイドを経由して主たる床梁の「空孔スペース」内への外部床梁を介して接続された開口部を有し、
j)網目状の垂直ボックスアウト化されたスペース内のボックスアウトされたシステムにおける強制エアーフローモーションの柔軟性は、上記強制エアーフローパスの拡大を容易化しかつ貢献し、上記網目状化ボックスアウトスペースは各床／レベルの断面壁の取り付け部の壁パネルに接続され、上記各床／レベルは垂直なボックスアウト円柱によって前面に位置しかつカバーされ、
k)網目化垂直ボックスアウト化されたスペース内のボックスアウトされたシステム内における強制エアーフローモーションの柔軟性は、上記強制エアーフローパスの拡大を容易化しかつ貢献し、上記網目状化ボックスアウトスペースは上記断面壁の取り付けられた「頂」部のドロップダウン天井における空洞／通路に接続され、上記断面壁は上記垂直ボックスアウト円柱により前方に位置しかつカバーされることを特徴とする特許請求の範囲第１項記載の複合絶縁建築構成部材。
【請求項１７】
刷りガラスおよび非刷りガラス真空絶縁パネルVIPは、
a)ガラスVIPとして知られる「非刷り」ガラス真空絶縁パネルの方法および形成体は刷りガラスシートの２個もしくは３個の片から構成され、これらのガラスシートは積層され、離隔し、単一もしくは二重の薄い中空真空空洞／複数の空洞を形成し、薄いガラスストリップと一緒に組み込まれ支持縁を形成し、散乱ガラスペレットは中間に支持点を形成し、離隔したガラスシートの空洞／複数の空洞を設け、従来のプログラマブル加熱装置はまわり道をして機械的に採用され、全ての４個の縁は熱の適切な温度を適用することにより、この簡単なプロセスにより全体としての全体のユニットはシームレスに封止され、ニップルをSMEガラス物質として用いているが、それ以外の物質も用いることもでき、上記全体のユニットは真空処理プロセス用に準備された小さな開口部を有し、その後二重窓ガラスもしくは三重の窓ガラスの「非刷り」ガラスVIPとして構成され、
b)二重および三重窓非刷りガラスVIPの使用および機能が含まれ、真空絶縁部材として使用され、壁内、天井内および間柱内複合絶縁壁パネルの部分として非刷りガラスVIP特徴壁として使用され、
c)「耐久的に真空化された」非刷り二重窓ガラスVIPの方法および形成体であって、当該形成体は非刷りガラスシートの２個の片から構成され、当該ガラスシートは積層され離隔され４個の薄いガラスストリップと一緒に挟まれた単一の薄い中空スペース／空洞を形成し、支持縁および散乱ガラスペレットを形成し、上記ガラスシート間のスペース／空洞内に支持ポイントを形成し、さらに底部縁／ストリップの上に（真空プロセス）ガラスニップルは従来のプログラマブル加熱装置を利用することによって設置されており、この装置の周囲をまわって機械的に採用されており、熱の適切な温度を適用することに４個のガラスストリップ／縁を処理し、このシンプルプロセスにより上記全体のユニットは上記クリアなガラス物質でシームレスにシールされ、全てのガラス物質は真空プロセスの完成のために準備される小さな開口部を有する「ニップル」以外の一片として一緒に溶融され、従来のプロセスを用いることによりその後「耐久性のある真空化された」二重非刷り窓ガラスＶＩＰが製造され、
d)「随意繰り返し」オンサイト真空プロセスの方法および形成体は非刷り二重窓ガラスＶＩＰを利用することによって容易化し、当該窓ガラスＶＩＰは離隔し挟まれた非刷りガラスシートの２個の片から構成され、４個の薄いガラスストリップで単一の薄い中空スペース／空洞を形成し上記支持縁を形成し、散乱ガラスペレットは上記ガラスシート間でかつ上部の縁／ストリップ上でスペース／空洞内での支持ポイントであり、上記随意真空プロセスを容易化するための突出したガラス「流体ドレイン」が設置され、そして従来のプログラム可能な過熱装置は機械的に採用され、４個の縁／ストリップ上の熱の適切な温度を適用することによって迂回し、このシンプルプロセスにより全体として全ユニットはクリアガラス物質でシームレスにシールされ、さらに全てが一片として共に溶融され、ここで上記突出したガラス「流体ドレイン」は従来の機械的な装置の接続のための開口部を有することを除き、当該従来の機械的装置は流体ポンプ、プログラム可能なフロースプリットバルブ、制御デバイスおよび熱流体貯蔵所を備え当該熱流体貯蔵所は２個のコンテナを備え、１個は軽い色の流体で満たされ他方のコンテナは暗い色の流体で満たされており、
e)二重の真空機能の方法および形成体は非刷りガラス三重窓ガラスVIP内に発生し、一方の作用は「耐久性」のあるガラスVIPであり他の隣接した作用はサイトガラスVIP上に「随意に繰り返し」であり、積層されおよび一緒に挟んで離隔して３個の非刷りガラスシートから構成され、４＋４個のガラスストリップで二重薄い中空スペース／空洞を形成し散乱ガラスペレットで全ての周囲を支持する縁を形成し、上記３個のクリアガラスシート間に二重のスペース／空洞内の支持ポイントが設けられ、従来のプログラム可能な加熱装置が道を回って機械的に採用され、全ての４＋４個の薄いガラスストリップ／縁の適切な温度を適用することにより、この単純なプロセスにより、全体のユニットは全体として２個の並んだ隣接ボディ／空洞から構成されており、この全体ユニットはクリアガラス物質で熱によりシームレスに封止され、全ては双方の隣接したボディの双方の底部縁上を除く一片と共に一緒に溶融され、２個底部縁の一方の上に１個のガラス「ニップル」が設置され、この底部縁は「耐久性のある」真空プロセスに対して準備されており、他方の隣接した縁において、「随意の繰り返し」用突出したガラス「流体―ドレイン」はまた設置され、この「流体ドレイン」は機械的な装置に接続され、この機械的な装置は流体ポンプ、プログラマブルフロースプリットバルブ、制御デバイスおよび二重の容器を備えた熱流体貯蔵所から構成され、かくして「非刷り」三重窓ガラスVIPユニットは形成され、さらに当該三重窓ガラスVIPユニットは二重真空機能付きの並んで隣接したボディから構成され、加えて１個のボディは熱流体窓処理で作成され、
f)「随意の繰り返し」の真空の機能と使用は熱流体窓処理と共に非刷りガラス二重窓ガラスVIPを利用することにより簡単化し、それによって先ず充填しなければならなく流体の適切なタイプで生成されたスペース空洞の容量を十分に満たし、この流体としてプログラマブルな流体ポンプデバイスによる熱流体を含むのみならず、それに限定されず、ポンプインされる流体を完全に撤収し、それからこの流体を還流し、それからその指定貯蔵書場所へ還流し、上記空洞内に圧力をかけた真空条件を生成し絶縁値として、圧力をかけた真空条件を提供し、付加機能として、より軽いかもしくは重いカラーのいずれかの機能を選択し、熱流体がポンプバックされ真空化されたスペース／空洞を満たし、ここにおいてより軽いカラー流体は最小私的スペースのために用いられ、かつ暗いカラー流体は最大私的スペースのために用いられ、さらにまた絶縁窓処理使用を提供するものであり、絶縁窓壁構造に限定されるものではなく、サイト上で「随意の繰り返し」真空プロセスを達成し、
g)他の機能および非刷りガラス二重窓ガラスVIPの他の機能および使用はその二重窓ガラス形成体から離隔したクリアなガラスシートを加えることによって、２個の付加的機能で強制されたエアー駆動空洞を生成し、その一つの機能は活性強制空気を通過させることによって活性強制エアーを通過させることであり強制エアー絶縁になり、他の活性強制エアーフローは偏向器を経由して窓敷居から立ち上がり強制エアーフローを位置決めして、さらに上記活性強制エアーを位置決めして、活性強制エアーフロカーテンとして機能するガラス表面に付着し、
h)非刷りガラス三重窓枠ガラスVIP機能および使用において、当該非刷りガラス三重窓枠ガラスVIPは二重の真空機能を達成するよう容易化された２個のボディ／空洞を有し、三重の真空機能を達成するよう容易化され、その一つの機能は真空化された絶縁窓のために使用される非刷りガラスVIPであり、他の空洞は流体ドレインに関連しており、先ず充填されなければならず流体の適切なタイプで生成されたスペース空洞の容量を十分に満たし、流体としてはプログラム可能なポンプデバイスによる熱流体を含むがそれに限定されず、完全にポンプされた流体を撤収し次いでその指定された貯蔵所に還流させ、空洞内の圧力をくわえた条件を生成し絶縁値としての圧力をくわえた条件を提供し、付加的な機能としての絶縁値としての真空化された絶縁値を提供し、熱流体の選択として軽いカラーもしくは暗いカラーのいずれかはポンプされスペース空洞を満たし、ここにおいてより軽いカラー流体は最小私的スペースのために用いられ、かつ暗いカラー流体は最大私的スペースために用いられ、さらにまた絶縁窓処理使用を提供するものであり、絶縁窓壁構造体に限定されるものではなく、サイト上「随意の繰り返し」真空プロセスを達成する機能に関連した窓壁構造体に限定されるものではなく、
i)それらの２個の対向した側面に設けられた空洞を１個のユニットとして三重の非刷りガラス窓ガラスVIPの他の機能と使用であって、耐久性のある真空空洞は内部の部屋に面したやり方で回転可能であり、この間強制流体「随意繰り返し」空洞の対向側が外側に向いて用いられ、この設定は流体のために容易に利用され望ましくない温度をもし必要ならば従来の熱交換機へ押し流し上記回転は逆も同様であり、
j)刷りガラスおよび非刷りガラスVIPの他の機能において、耐久性および随意繰り返し真空プロセスの技術を要求し、所望の絶縁値を得るように温度および気候制御のために利用されるべき全てのドアへの適用に限定されることを意味しないことを特徴とする特許請求の範囲第１項記載の複合絶縁建築構成部材。
【請求項１８】
コルゲートされた金属の天井および壁パネルの既存の（従来の）設置は屋根／天井／壁構造の内部の部品として最近広く使用されており、外部および内部の両側にコルゲートされたスペースを生成し、これらの使用されたコルゲート「空孔スペース」を主張するものではなく、最小の絶縁値でシート金属部材を実施することによって得られ、これらの外部および内部の強制エアーパスを生成する熱／冷却強制空気を通過させることによりこれらのコルゲートされたタイプの壁／天井内に一体化された活性熱／冷却強制エアーパスを生成し、無視された付加的な絶縁値を提供する壁構造、それ故これらの産業上の「空孔スペース」はより良い絶縁値のために変形されかつ利用され、
a)複数のシート金属部材を実施することにより建築構造体を存在させるための存在する内部の「空孔スペース」は軟らかいもしくは硬い絶縁物質を含むがそれに限定されず、絶縁物質は既存のコルゲートされた金属の天井パネル上に設置され「空孔スペース」を生成し、活性強制エアーを通過させ熱／強制エアー絶縁を生成し、
b)新しい建築構造体のための内部の「空孔スペース」はシート物質部材を実施することにより得られ、シート金属部材は軟らかいもしくは硬い絶縁物質を含むがそれに限定されず、絶縁物質は既存のコルゲートされた金属の天井パネル上に設置され「空孔スペース」を生成し、活性強制エアーを通過させ熱／強制エアー絶縁を生成し、
c)新しい建築構造体のための外部の「空孔スペース」はシート物質部材を実施することにより得られ、シート金属部材は軟らかいもしくは硬い絶縁物質を含むがそれに限定されず、絶縁物質はコルゲートされた金属の屋根パネルの外側に設置され「空孔スペース」を生成することを特徴とする本発明において記載された複合絶縁建築部材。
【請求項１９】
機能ならびに実施については、当該複合絶縁建築部材は上記不活性空洞から構成され、上記活性強制エアーフローは刷りガラスおよび刷りガラスＶＩＰと共に上記壁内、天井内、床内、屋根内および窓内を通過し、商業用および産業用建造物のための非先行エネルギー効率を生成し、それにより可能なかぎり活性加熱モードから受動加熱モードへ遷移し、この加熱モードは各レベルの設定を容易化することにより可能となり、上記複合絶縁建築部材はその自身の強制エアーシステムを有し、そのシステムは商業および産業用建築物のための個別のレベルのためのそれ自身の独立した過熱／冷却機構制御ユニットにより活性化され、エネルギー消費およびフリーイングアップなより有用なスペースの立場で手のかかる網目状化されたシートメタル導管を配設するシステムと共に従来の巨大な気候システムの容量およびもしくは環境に与える強い影響をかなりな程度低減し、
a)商業用および産業用建造物のための各個別レベル活性強制エアーシステムは熱ブランケットの周囲の覆いを提供し、活性強制エアーフローパスは壁内、天井内、床内および窓内を通過し次いで各個別の床／レベルに対する配置された空洞／通路／管状化／配管を介して上記独立な気候制御ユニットに還流し、
b)活性熱強制エアーフローは上記独立した制御ユニットから離れ、各個別のレベルはコンクリート内床管状化内および配管を通過するそのフローパスをスタートさせ上記コンクリート床を暖気し、次いで窓内通路および壁内通路に沿っておよび上方に移動し、次いで強制エアーフローを上記コンクリート内天井（コンクリートスラブ）管状化および配管内に移動し、上記コンクリート天井スラブを暖気し、上記プロセスは各レベルにおいてそれ自体反復をし、その独立した気候制御ユニットによって発生される強制エアーフローが発生され、同時に上記天井を越えておよび天井の上で、同一の近接したコンクリートスラブについて上記（コンクリートスラブ）の上方レベルのフローリングが存在し、上記底部および上部のレベルを分離しついで上方レベルの他の独立した気象制御ユニットは活性熱強制エアーフローを循環させ、さらに管状化および配管を経由して同一のコンクリート内床を暖気し、それ故上記同一の構造的な（コンクリートスラブ）近接した底部のレベルのための天井として作用し、そして又近接した上方レベルのための床として作用し、両方のレベルは２個の分離し独立した活性強制空気によって同時に過熱され、当該活性強制エアーフローはそれらの自身の床の２個の独立したシステムから流れ、一個のシステムは底部のレベルのために独立であり他のシステムは上部のレベルのために独立であり、複合街路建造物のために各「コンクリート内天井／床」スラブのためのコンクリートヒートシンク効果を生成し、
c)複数の強制活性エアーフローは上記コンクリート天井／床に配置されたビルド・イン管状化もしくは配管を経由して天井を介して流れ、上記コンクリート天井／床層において配置され、加えて天井活性強制エアー空洞としてのコンクリートスラブの底部に配置されかつ取り付けられている空洞を介して流れる上記活性強制エアーフローを含むのみならずそれに限定されず、上記コンクリートスラブに取り付けられた硬いもしくは軟らかいシート状の絶縁物質を実施して上記壁活性強制エアー通路／空洞を生成することを特徴とする本発明において記載された複合絶縁建築部材。
【請求項２０】
土台におけるボックスアウトスペースは床の四角形で立方容積スペースによって指定され及び生成され、ここでボックスアウトスペースを用い上記気候を調節し、電気パネル，測深ホットウオーターシステムは全て上記床四角形に対する障害なしでより有用でかつ望ましい土台の開発エリアを開放するボックスアウトスペース内で再配置されかつ合体され、従来の手のかかる管状化システムを除去しかつ測深ルートを簡単化し、全てのルートは上記絶縁されたボックスアウトスペースに対して相補的であり、上記絶縁されたボックスアウトスペースはスペースの網目状化を形成し例えば屋根／天井／壁／床システム等の本発明の全ての他の活性強制エアーシステムを調節しかつ戦略的にそれらを接続し上記強制エアー通路網目状体の柔軟性および適用範囲を促進することを特徴とする特許請求の範囲第１項記載の複合絶縁建築部材。
【請求項２１】
垂直および水平のボックスアウト円柱体付きの土台ボックスアウト円柱体スペース網目状体は、
a)一列に配列された垂直円柱体および水平円柱体ボックスアウトスペースは、上記壁構造体に取り付けられた外部構造体の一部としての土台ボックスアウトスペースと一緒に構築され、当該壁構造体は多重レベルの建造物に適用されるスペースの網目状体を形成するための戦略的な開口部を有し、多重レベル単一建築物に加えて、拡張すべき測深配管、熱／冷却ウオーターラインおよび電気配線を合体し、設置の容易さのために主たる床梁内への開口部およびスペースを介して特定のスポットに垂直および水平方向に経路が設けられ、更に従来の手のかかるかつ容量の大きいシート金属管状化システムを除去するように貢献され、上記活性強制エアーシステムの使用を対比させて、通路／開口部／空洞および空孔を利用する天井内、壁内および床内強制エアーフローを提供し、
b)垂直および水平円柱マルチレベルボックスアウトスペースは上記主たる壁構造体に取り付けられた絶縁外部構造体として構成され、上記垂直円柱は特許請求の範囲第１項に記載された土台ボックスアウトスペースで垂直に延在すると共におよび一列に配置され、次いで各床レベル上に水平なボックスアウト円柱体で網目状態化され、上記垂直構造体は床梁と共に同一レベルで平行に一列に配置され当該床梁は、外部および内部の活性強制エアー通路を機能させるとともに調節する戦略的に接続された開口部を有し、当該エアー通路は上記土台ボックスアウトスペース内の補助気候制御ユニットから接続され、そしてまた活性熱強制エアー用の通路を提供し、強制エアーは網目状化された開口部／通路／空洞／配管／チャンネル／空孔スペースにより天井／壁／床／窓システムを通過しかつ循環し、次いで上記補助気候制御ユニットに還流し、このような配置は容易に実施されることを要求し、上記気候制御ユニットを有することを含むがそれに限定されず、垂直ボックスアウト円柱体のスペース内の個別床／レベルの上に配置されることを特徴とする特許請求の範囲第１項記載の複合絶縁部材。
【請求項２２】
上記隠れたドレインウォ‐タシステムは、
a)雨どいおよびイヴシステムは屋根ラインおよびドレインチャンネルの底部に位置し、ドレイン溝からの雨水を受けそれをパイプへ下方に向け移行させ、
b)少なくとも１個の隠れダウンパイプは雨どいから導かれ、下方に延在し、何らかの建築構造体のために連結された２個の壁の隅に設けられ、ダウンパイプは二重パイプ構成とされ漏れがないことを保証し、
c)ここにおいてすべてのドレイン溝およびドレインチャンネルおよびダウンパイプは矩形状もしくは円形状のいずれであってもよいが、それに限定されず、２個の壁が接合されている隅スペースを調節することを特徴とする本発明に記載された複合絶縁建築部材。
【発明の詳細な説明】
【技術分野】
【０００１】
本発明は一般的に建築物質に関し、特に商業および住居建築建造物産業のための価値、構造的一体性ならびに心地よさ及びエネルギーの保存の立場でより良い品質を提供する建築プロセスに関する。本発明は単一構成部材である垂直複合鋼部材（間柱）から始め、次いで板材、ビーム、壁パネルシステム、窓システム、梁システム、温度調整屋根システムおよび複合断熱パターンを用いてシステム屋根、壁および床用の断面構造体に組み込まれ、上記複合断熱パターンを用いて各空洞を生成する。本発明を利用する全体的概念は、構成部材およびパーツのすべての設計に目的を絞り、プレハブ組み立てプロセスを容易化すると共にエネルギーの効率性を達成する。
【０００２】
エネルギー保存の分野では、産業はエネルギー保存の既存の方法に対して絶えず色々な改善を行いつつある。
【背景技術】
【０００３】
同一の目的ために設計された他の建築構成部材が存在する。その典型例として、１９６４年１２月１５日に発行されたケラーによる米国特許第３，１６１，２６７号が存在する。
【０００４】
他の特許としては、１９６５年１１月１６日に発行されたヴァ‐ジェスによる米国特許第３，２１７、４５５号が存在する。
更に他の特許としてはブッチャーによる米国特許第３２５、８８９号が存在し、更に他の特許としてパルマーによる１９７２年２月日発行された米国特許第３６４１７２４号が存在する。また他の特許としてジョンソンによる１９７２年２月２２日に発行された米国特許第３６４３３９４号が存在します。また更にクルムビによる１９７３年６月５日発行の米国特許第３７３６７１５号が存在する。さらにまたべルギュイス等による米国特許第４５７１９０９号が存在し、さらにまたレイノルズによる１９８７年６月９日発行の米国特許第４６７１０３２号が存在する。
【０００５】
また他の特許としてマッカーシーによる１９９１年１月１日発行の米国特許第４９８１００３号が存在する。また更にマゾン等による１９９３年１１月３０日に発行された米国特許第５２６５３８９号が存在する。またグラーによる１９９３年１２月１４日に発行され他米国特許第５２６９１０９号が存在し、また更にリチャードによる１９９８年６月１６日に発行された米国特許第５７６５３３０号が存在する。
【０００６】
他の特許としてオジャラによる１９９９年９月２１日に発行された米国特許第５９５３８８３号が存在する。また更にセングによる２０００年１２月１２日に発行された米国特許第６１５８１９０号が存在する。さらにダルフォンド等による２００５年２月２２日発行の米国特許第６８５７２３７号が存在し、またさらにべレスによる１９９７年９月１０日発行のヨーロッパ特許出願第ＥＰ０７９４２９４同号が存在する。なおまた更にカサン  セルダによる１００６年１１月２３日発行の国際特許出願第ＷＯ２００６／１２３００５号が存在する。
【０００７】
米国特許第３、１６１、２６７号
発明者：ロバートアールケラー
発効日：１９６４年１２月１５日
プレハブ建築パネルは互いに機械的に接続された硬いグリッド部材から形成されるグリッドから構成され、このグリッド部材の各々は各縁においてウェブおよび複数のフランジを有しかつ上記ウェブに対してある角度で延在し、上記フランジの各々は略平坦で互いに平行であり、上記グリッド部材は二方向に延在しこのグリッド部材によって取り囲まれる多数の開口スペースを画定し、上記ウェブの一方の縁における上記フランジは第一の組の接合面を画定し、上記接合面は単一の平面において一列に配置され、第一の外部シート部材は上記グリッドを超えて上記平面内で延在し上記第一のシート部材は外方耐磨耗面および内部の接合面を有し上記内部の接合面は上記第一組の接合面に互いに面するように接着剤の層で接合され、上記接着剤の層は上記第一のシート部材の協同接合面と上記第一の組の接合面との間に直接置かれ、上記第一のシート部材は上記開口スペースを越えて連続的に延在し、多数の堅い予め形成された背面シート部材を備え、１個の背面シート部材は上記グリッドにおける上記開口スペースの各々に嵌合され、各背面シート部材は上記開口スペースを越えて置かれる上記第一のシート部材のエリアに略相当するエリアを有し、各背面シート部材は上記エリアを略通して上記第一のシート部材に対面するように柔軟な接着剤の層によって接合される水平な接合面を有し、上記背面シート部材の各々は上記第一のシート部材より厚くかつ上記第一のシート部材およびグリッド部材よりも構造的に小さな密度を有し、上記ウェブの他方の縁の上の上記フランジの外表面は第２の組の接合面を画定し、第２の組の接合面は単一面において一列に配置され、第２の外方シート部材は上記第２の組の接合面に接着・固定され上記第２の組の接合面は上記背面シート部材に対して離隔した関係で上記第２のシート部材を位置ずけ、上記平面に平行な上記開口スペースの最小寸法は上記平面間の間隔よりほぼ大きいことを特徴とするプレハブ建築パネルである。
【０００８】
米国特許第３２１７４５５号
発明者：ジョセフ  Ｈ  バージェス
発行日：１９６５年１１月１６日
一対の対向した横方向に離隔した面板と、上記面板間の閉鎖室を確定する上記面板の周縁の周りの閉鎖縁部等を含むモジュール状パネルであって上記縁部は横方向に離隔した対抗側部を有し複数の結合した縁部は上記縁部を確定し、上記縁部の各々は内方及び外方面を有する外方を覆いを有し、当該外方覆いは上記周縁から内方へのＵ字状突出部の対抗した脚を備えたＵ字状の横方向断面部を有し、上記Ｕ字状の横方向断面体は上記Ｕ字状の断面体の最も内側の端部と一致した最も内側の端部において終端し、第１および第２の強化ストリップを備え、各強化ストリップは上記拡大した部分の一方において埋設され、各強化ストリップは上記Ｕ字状縁部の１個の脚の内面に溶融され、Ｕ字状の横方向断面を有する第３の縦方向強化ストリップを備え、当該第３の縦方向強化ストリップは上記最も内側の端部に対抗した上記Ｕ字状の断面の端部において上記外方覆い内に配置され、かつ上記外方覆いの内面に融着され、上記最も内側の端部から外方に延在するＵ字状の縁部の各脚における縦方向溝をさらに有し、上記面板は上記外方覆いと各面板との間、各面板と上記第１および第２の縦方向の強化ストリップと上記第３の縦方向強化ストリップとの間に断熱物質が存在するように上記溝内で収容しその結果上記外方覆いが上記対抗した面板間および上記縦方向の強化ストリップの間での何らかの直接的な接触を遮断し、上記周囲の縁部の一方のから他方の側への横方向のパスは低い伝導性を有することを特徴とするモジュール状パネルである。
【０００９】
米国特許第３、２５８、８８９号
発明者：リチャード  Ａ  ブッチャー
発行日：１９６６年７月５日
（１）  木材製の天井板と、当該天井板から縦方向に離隔して木材製の床板を有する枠を備え当該枠はさらに互いに横切る方向に離隔した木材製の梁を有し、上記木材製の梁は上記板を介して上記梁内に延在する締結部材によって上記板に締結され、（２）上記フレームの上のパネルを更に備え、当該パネルの一方の側を隣接した梁に配設した状態で上記天井板へ縦方向に延在し、（３）上記パネルを上記枠に締結する手段を更に有し当該手段は上記天井板に強固に接着される硬い折り目の粗いポリウレタン物質、床板梁及び上記パネルの上記側からなる上記締結手段は一方の梁から次の梁へ延在し、上記パネルの上記側から上記フレームの他方に延在し上記締結手段は上記部分を実質的に硬くすることに十分であるのみならず上記枠の上記他の側への部分的な道をも硬化するのに十分でありそれによって書く一対の梁の間で、上記天井板から上記面板へ延在する実質的なスペースが配管および配線のために準備されていることを特徴とするプレハブ構造体である。
【００１０】
米国特許第３，６４１，７２４号
発明者：  ジェームス  パルマー
発行日：  １９７２年２月１５日
住宅用壁構造は建築物から除かれた壁部の構造のために発展され、その建築物内へその上端部における一体のボックスビーム構造が、断熱および反射性物質を上記壁内部の一体要素として設けた状態で、含まれています。ボックスビーム構成体は上記壁部の内に直接建造されており、そして強化ファクターを提供し任意の位置におけるドアおよび窓の置換を許可すると共に、任意のポイントにおけるトラスの置換を許可し、さらに上記壁に沿って任意の点に沿ってトラスたる木の置換を許可する。
【００１１】
米国特許第３，６４３，３９４号
発明者：  ボディ  Ｇ  ジョンソン
発行日：  １９７２年２月２２日
積載負担能力のある壁パネル形状の建築構造体モジュールは、ガラスファイバー強化プラスチック樹脂と、積載負担用の略円柱上の構造部材と、そして火を遅らせる性質を有するモジュール付きの断熱目的のための強化および泡プラスチックとから構成され、隣接したモジュールを容易に相互接続を可能にする周縁チャンネル部材をさらに備えている。上記モジュールは当該モジュールの建造を容易にする生産ライン技術において順序的なステップが遂行されるように手順を与える方法を採用することによって構成される。
【００１２】
米国特許第３，７３６，７１５号
発明者：  レナルド  Ｊ  クルムヴィラ
発行日：  １９９３年６月5日
プレハブ負荷支持建築パネルが開示されている。当該パネルは、耐湿度石膏ボードが固着されている金属間柱梁から構成されています。ある厚さ有するポリウレタンは上記フレームに取り付けられ周縁ケーシングにより支持され、そして上記石膏ボードに接合されています。上記パネルのための外部の最終生産物は合成プラスチックから構成され、上記ポリエチレンに接合されたガラスファイバー建材上に籠手で塗られている。
【００１３】
米国特許第４，５７１，９０９号
発明者：  トーマス  Ｇ  ベルグルス
発行日：  １９８６年２月２５日
断熱建造物は、内部の壁および建造物を形成する内部構造体を有している。伸びた木製のスペーさ部材は断熱締結体で好ましく上記構造体の上に載置されます。上記各スペーサ部材は上記内部構造体の外部から離隔している。泡断熱は上記スペーサ部材と一般的に同一レベルの深さにまで上記内部の構造体の外部をカバーする。上記泡に対して覆いを一面にかけます。上記建造物はこのタイプの建築物において典型的に見出されるパネル継ぎ手を必要しないことに特徴がある。このような継ぎ手は上記断熱を介して有害な熱移送を許容する。
【００１４】
米国特許第４，６７１，０３２号
発明者：  ウイリアム  Ａ  レイノルド
発行日：  １９８７年６月９日
ストレス・外板建造パネルは構造的な強化部材を含み、当該建造強化部材は上記建造パネルの２個の対抗した外板部材に交互に隣接して位置しており、各々の建築部材の各々は、高い密度で硬い泡物質のブロックによって対抗した外板部材から離隔しており、そして上記外板部材の間のスペースの残りは適切な位置で泡状化された泡断熱物質によって占有され、当該泡断熱物質は上記外板部材におよび構造的強化部材に接着され、重要な量の強度および耐圧縮ストレス性を提供する。上記対抗した外板部材は互いに離隔し、複数のブリッジ部材による建造中および建造後の適切な間隔において保持されます。この複数のブリッジ部材は断熱泡物質以外によって外板部材間で単なる直接的接続を形成し、その結果上記パネルの断熱品質が最大化される。
【００１５】
米国特許第４，９８１，００３号
発明者：  グラント  マッカーシ
発行日：  １９９１年１月１日
ユニークな壁パネルは、鋳型プロセス中に埋設された構造部材で拡大ポリスチレンモールド内の拡大ポリスチレンビートから建造される。上記構造部材は１６インチセンターにおいて置かれる４個の間柱により２個に分離された形状となっている。隣接パネルは共に嵌合される組み合う溝と棟を有している。本発明の利点は、全体の断熱壁が上記断熱におけるクラック（ひび）もしくはスペースなしで生成される点にあります。これらの軽量パネルは上記建築場所へ搬送可能であり、そこで低部板と頂部板が適用されると共にこれらのパネルが組み合わされ好ましい断熱壁を形成する。
【００１６】
米国特許第５，２６５，３８９号
発明者：  マーク  Ｃ  マゾン等
発行日：  １９９３年１１月３０日
複合建築パネルは例えば拡大ポリスチレン等の物質を含む泡状化重合体のコアを含み、上記複合建築パネルは２バーとのエポキシ接触材による上記コアの背面において形成された垂直溝内に保持された複数均一に離隔した開放ボックス菅を有し、上記菅は連続的な水平チャンネルの一方の脚にそれらの端部において機械的に接続され、この水平チャンネルは水平溝的における上記コアに接着・固定された脚を有する。上記コアの前面はシームレスで連続しており、かつ外部断熱仕上げシステムコーティングで塗布されてもよい。
【００１７】
米国特許第５，２６９、１０９号
発明者：  Ｖ  ラオグラ
発行日：  １９９３年１２月１４日
断熱ロードベアリング壁（１０，１０‘）は押し出しポリマ泡（２０，２２，５０，５２，５４，５６）のパネルを備え、当該押し出しポリマー泡内に管状のロード搬送枠部材（１２，１４，４８）が一体化されている。さねは各パネル（１０、１０’）の一方の垂直縁において形成され、さらに溝が上記対抗した垂直縁において形成される。管状枠部材（１２，１４，４８）は押し出しポリマー泡に接合されている。
【００１８】
米国特許第５，７６５，３３０号
発明者：  ミッシェル  Ｖ  リチャード
発行日：  １９９８年６月１６日
プレハブ壁パネルは矩形状の壁枠を備え、当該壁枠は頂部および低部レール部材の間に一列に配置された頂部および低部レール部材と、複数の離隔した間柱部材とを有する。ポリウレタンボードストックは上記矩形状壁枠の第１の側部に固定され、それにより上記頂部および低部レール部材および上記複数の間柱部材で複数の矩形状空洞を画定し、ここにおいて各空洞は間柱部材は上記厚さの深さを有している。上記プレハブ壁パネルは適切な位置の泡状化されたポリウレタンの層を有し、このポリウレタンは上記ボードストックに隣接した各空洞の一部をカバーすると共に、上記ポリウレタンボードストックへ上記構造的壁枠に接合します。ポリウレタン泡の層は各空洞の深さより実質的に小さい厚さを有しており、それにより各空洞は副次的トレード設置を調節するための有用なスペースを有している。
【００１９】
米国特許第５，９５３，８８３号
発明者：  レオ  Ｖ  オジャラ  
発行日：  １９９９年９月２１日
断熱パネルは底部と、複数の内方部材と、複数の外方部材、上記内方部材と上記外方部材との間のスペーサと、外部の外被と、蒸気バリアと、頂部部材と、さらに平面的内部壁とを備えています。蒸気断熱壁パネルは断熱体で充填された空洞の内側にまさに位置したテッドエアースペースを有している。蒸気壁パネルは締結器なしで木材枠ホームに固定され蒸気パネルの全ての深さを通過するように適合している。各締結器は上記断熱壁パネルの一体化を壊すことなく上記枠に飲み上記のパネルの上記内方部材を硬く固定化する。
【００２０】
米国特許第６，１５８，１９０号
発明者：  ステファン  セング
発行日：  ２０００年１２月１２日
この複合間柱は内方および外方への２個の金属形状を断熱物質で組み合わせ、住居構造における間柱として通常使用される類似の金属部材以上の値（Ｒ−値）を有する複合構造部材を形成する。上記複合建築部材は住居構造における間柱として通常使用される類似の鋼部材に匹敵する強度を有している。１個の形状が他の形状を包含する。凶器複合構造部材は任意の直接的な金属接続を除去し、かくして上記複合部材の総合断熱値（Ｒ−値）を減少する任意の熱的短絡を除去する。断熱物質で生成された内方および外方の形状は複合構造部材を形成し、この複合結合部材は圧縮における断熱物質を保持すると共に上記内方および外方部材を機械的に結合する。
【００２１】
米国特許第６，８５７，２３７号
発明者：  レイモンド  Ｆ  ダルフォンド
発行日：  ２００５年２月２２日
断熱熱的破壊個所付きのモジュール状壁構造部材は上記モジュール壁部材を横切って連結的な熱的パスの生成を阻止する。上記モジュール状壁は断熱枠構造体で形成され、この断熱枠構造体は介挿された断熱熱的破壊個所付きの開放枠に固定されている。上記断熱枠構造体は上方のトラック部材および低部トラック部材に結合された複数の垂直トラック部材で形成することもできる。少なくとも断熱物質の１個のシートは上記断熱枠構造体に介挿されています。上記開放枠構造は上方の枠組みトラックおよび低い方の枠組みに結合された複数の垂直な枠組み間柱を有することも可能である。
【００２２】
ヨーロッパ特許出願第ＥＰ０７９４２９４号
発明者：  レイナ  ベレス
公開日：  １９９７年９月１０日
壁（１０）は個別に結合された多層構成要素（１）を有し各構成要素は一方もしくは双方の側の接合された木製ウールの被覆された表面（３）で断熱パネルとくに泡パネル（２）を備えている。各構成要素は１個もしくはそれ以上の溝（４）を有し、この溝は少なくとも１個の端部壁の上に上記被覆面に並列に伸びている。少なくとも１個の支持ストリップ（５）は上記溝に押し込みにかわで止められ、この支持ストリップは上記パネルの内側に配設することも可能であり、さらにその周囲に伸びることも可能である。上記パネルの上方の縁部の近くにも溝が存在し、さらにその低い縁の近くにも更に溝が存在している。
【００２３】
国際特許出願第ＷＯ２００６／１２３００５号
発明者：  アルフレッド  ケサン  セルダ
公開日：  ２００６年１１月２３日
本発明は建築物用のプレハブ構成部材に関し、壁覆い体としての使用に意図されると共に擬似天井におけるたる木間のアーチ形天井を形成するように意図されている。発明の構成要素は薄いレンガ（６、１２、１２ａ、２２）の組立て体を支持するポリマー物質のベース（基材）５を備えてなるボディ（１、１１、２１、３１）により形成される。本発明によれば、空洞（３）は上述したレンガ間に設けられ、そして各空洞（４）はボディ（１、１１、２１、３１）の各々の間に設けられ、上記空洞は充填物質で覆われている。本発明は建築用プレハブ構成部材を製造する方法にも関し、当該方法はモールド（鋳型）を使って達成させられるものであって、そしてレンガを要求されたサイズと厚さにカットし、上記モールドの該当する空洞内で上記レンガを配設し、上記レンガ間の上記空洞内に充填物質を置木、ベースポリマー物質を噴出し、さらに上記部分を上記モールドから除去する。これらの建築構成部材は、設計された目的にとっては適切であるものの、上記建築構成部材は以下に記載するような本発明の目的のために適切ではない。本発明は産業、商業および住居建築産業のために価値、構造的一体性、および心地よいならびにエネルギー保存の立場でより良い品質を与える建築プロセスを提供する。本発明は垂直な複合ｓｈ支持鋼部材〔間柱〕である単一の構成部材から始め、次いで板、ビーム、床梁、屋根トラスシステムおよび複合断熱パターンを作成し種々の空洞を生成する。本発明を利用する全体の概念として、構成部材および各パーツの全ての目的をプレハブ建築プロセスを容易化し、エネルギーを保存することに焦点が向けられている。
【００２４】
これらの建築構成部材は、それらが設計される目的にとっては適切である可能性があるあるかもしれないが、以下に記述するような本発明の目的にとっては適切でないであろう。本発明は産業、商業および住居産業用価値、構造的一体性、および心地よさ並びにエネルギー保存の立場でより良い品質を与える建築プロセスを提供する。本発明は垂直複合支持鋼部材（間柱）である単一の構成部材から始め、次いで板、ビーム、床梁、屋根トラスシステムおよび複合断熱パターンを生成し空洞を生成する。本発明を利用する全体的概念としては、プレハブ建築プロセスを容易化しおよびエネルギーを節約すべく、構成部材およびパーツのすべての設計に焦点をあてることをその目的とする。
【発明の概要】
【発明が解決しようとする課題】
【００２５】
本発明の主たる目的は、産業、商業および住居建築産業の建築プロセスを容易化するエネルギーを効率的に節約する手段を備えたプレハブ式建築構成部材を提供することにある。
【００２６】
本発明の他の目的は、異なった構成において提示されるいくつかの複合断熱部材（間柱）を提供するものであり、上記複合断熱部材は、硬い泡断熱付きの媒体としての泡およびＯＳＢストリップ部材が強制的に接合された構造体と、気密性空洞とを有するが、上記複合断熱部材は外部壁および内壁のための垂直支持部材と同じ機能として作用するものである。
【００２７】
本発明の他の目的は、１６”もしくは２４”で離隔した２×６”間柱間に挿入されるべき種々の構成部材を形成する複合断熱パターンを提供するものであり、ここで1個の構成部材は離隔した状態で一緒に積層される硬いスタイロフオームの種々の片から構成し、その他の断熱構成部材の形成を容易化するものである。
【００２８】
本発明の他の目的は、異なった構成において提示されるいくつかの複合断熱部材（間柱）を提供するものであり、上記複合断熱部材は、硬い泡断熱付きの媒体としての泡およびＯＳＢストリップ部材が強制的に接合された構造体と、気密性空洞とを有するが、上記複合断熱部材は外部壁および内壁のための垂直支持部材と同じ機能として作用するものである。
【００２９】
本発明の他の目的は、断熱の最も効果的なやり方が形成される場合、断熱における使用のための真空断熱を提供するものであり、さらにファイバーガラスの断熱値よりも約５から７倍の断熱値を得ることが出来る真空断熱を提供するものである。本発明は応用に依存して薄いガラスストリップと一緒に挟まれたガラスシートの２個もしくは３個の片を使用して上記支持縁、シールさらにガラスペレット、を形成しパネル内に支持点を形成するものである。加熱装置は適切な温度を適用することによって４個の縁を回り道をして使用される。かくして、全体として全てのユニットがＳＭＥガラス物質とシームレスにシールされ、そして全てがガラス真空断熱パネル（ＶＩＰ）である一片として一緒に溶融されるものである。
【００３０】
本発明の他の目的は、上記ガラスＶＩＰにおいて、その二重および三重の窓ガラス構成が複合断熱壁窓パネルとして上記壁断熱部材の一部として使用可能である真空条件における「刷り」窓ガラスであり、更に「刷り」窓ガラス断熱ガラス特徴壁パネルとして使用されるものである。以下に記述のごとく、本発明はその一部の内容として「随意―繰り返し」ビルドインオンおよびオフ真空システムを実施することのあり、このシステムは建築構造のためのシステムに「刷り」ガラスから「非刷り」ガラスへ促進しかつ建築構造体の上記システムにおいて共存すると共に種々の高いレベル断熱値を獲得する目的で活性強制熱流体を用いて窓および壁ロードベアリング構造体のために一体化されている。
【００３１】
本発明の他の目的は、壁、天井内ならびに床内間に最適に実施される活性熱空洞並びに非活性空洞を生成しＲ値を改善することにある。本発明において描写される２タイプの活性熱空洞が存在し、以降混乱を避けるために、上記２個の空洞を記述すると共にそれらの空洞間の差を識別することが必要である。すなわち第１の空洞は「独立」な活性熱空洞として記述されるもので、この第１の空洞は構造的要求に依存して全ての壁、天井内および床内（またコンクリート床内）間の１インチの最小の半分である薄い中空スペースで生成される。この場合、上記「独立」な空洞は全体の熱ブランケットとして一緒に接続され、より高い温度で上記各空洞において強制エアーが移動し、次いで冷却エアーシステム用室内エアーが移行し、逆も同様である。上記熱強制エアーのソースは比較的小さい容量を有する補助炉もしくは補助エアコンユニットを備えている。上記第２の活性熱強制エアー空洞は「床内」活性熱空洞として以下記述される。この「床内」活性熱空洞は床梁との中間からその床梁に沿ってフローリングの下で生成され，この熱強制エアーソースは本発明では主たる気候制御ユニットから生成される。この「床内」活性熱空洞の主たる機能は上記床機能を調節して、更にその強制エアールートを拡大し本発明における２つの他の機能を容易化する。即ち１）壁内強制周囲エアーが室内に放出され床マウントエアー調節器を存在させ、２）強制エアー窓空洞除氷器を生成する。上記補助炉からの第１の「独立な」活性熱空洞のための強制エアー容積は、主たる気候制御システムからの床内強制エアーの容積に比べては比較的非常に小さく、そしてその強制エアー容積は比較における質量容積である。究極の効果的Ｒ−値を達成する概念は物理法則が指示することにある。即ち、暖かいエアーは常に上記冷たい側に移動し、それ故生成された「独立な」活性熱強制ブランケットが外部の冷却温度に対して断熱される。その自身のパス内のより高い温度の強制エアーは室内における低い温度エアーより高い「独立に」温度エアーが通過し、それ故結果的に上記より低い室温度エアーが室温エアーに基づくより冷たい外部に逃げることが可能である。この室温エアーは壁内における「独立な」強制エアーブランケットによって阻止される。さらに、「強制」活性熱強制エアー空洞の機能を説明する。この活性熱強制エアー空洞は生成された「独立な」熱強制エアー空洞間に挿入されている亜鉛引き金属シートを有し、その結果上記亜鉛引き金属シートはより高い温度で活性強制エアーによってまた加熱されるであろう。それ故、上記金属シートは（上記活性強制エアーと一緒に）より高い温度を有するバリアをも形成し、次いで活性熱強制エアーは室内のエアーになる。かくして室温エアーはより高い温度を有するマルチサーマルバリアを通過することが出来ない。
【００３２】
本発明の他の目的は活性強制エアーを利用することであり、複数挟まれた泡部材を備えてなる温度調節された屋根システムを生成することである。ここで、各泡パネルは、活性強制エアー空洞が屋根外被の下での熱いエアーを収集するようになっており、全ての上記泡パネルの通路からの全ての活性強制エアーは中心チャンネル内に流入し、次いで再び方向ずけられるかもしくは外側へ吹き出される。
【００３３】
更に他の目的は活性および非活性エアー通路の組み合わされた利益を利用することであり、すなわち壁内、天井内および床内であり普通の機械的なシステムの配置を再び変更することである。この機械的なシステムは例えば炉、ウォーターヒータ、シート金属エアーダクト及び測深であり上記機械的なシステムを隠すことにより非破壊土台を生成しかくしてより楽しみのあるスペースを得る。
【００３４】
本発明の付加的な目的は、説明が進むにつれ明瞭になるであろう。
【課題を解決するための手段】
【００３５】
これらの建築構成部材は、それらが設計される目的にとてっては適切である可能性があるかもしれないが、以下に記述するような本発明の目的にとっては適切でないであろう。本発明は産業、商業および住居産業用価値、構造的一体性、および心地よさ並びにエネルギー保存の立場でより良い品質を与える建築プロセスを提供する。本発明は垂直複合支持鋼部材（間柱）である単一の構成部材から始め、次いで板、ビーム、床梁、屋根トラスシステムおよび複合断熱パターンを生成し空洞を生成する。本発明を利用する全体的概念としては、プレハブ建築プロセスを容易化しおよびエネルギーを節約すべく、構成部材およびパーツのすべての設計に焦点をあてることをその目的とする。
【００３６】
上述した目的及び他の目的、及び利点は以下に続く説明から明らかになるであろう。説明に際し、その一部を形成する添付図面を先ず参照し、さらに本発明が実施可能である特定の実施の形態が例示により示される。これらの実施の形態は充分詳細に記述され当業者をして本発明を実施可能にさせる。なお他の実施の形態は利用可能であり、かつ構造的な変形は発明の範囲の範囲から離れることなく実施可能である。添付図面において、類似の参照番号はいくつかの図面を通して同じもしくは類似の番号を指し示す。
【００３７】
それ故、以下の詳細な説明は限定的の意味合いで書き取られるべきものではなく、さらに本発明の範囲は添付された特許請求の範囲に最もよく定義される。
【図面の簡単な説明】
【００３８】
本発明をより充分に理解することを可能にするために、例をあげて添付された図面を参照して本発明は以下説明されるであろう。
【図１】図１は従来例の上図面である。
【図２】図２は使用における本発明の例示された図である。
【図２Ａ】図２Ａは２×６垂直複合断熱部材（間柱）の異なった構成の上図面である。
【図２Ｂ】図２Ｂは間柱を用いて適用されたガラス真空断熱パネル（VIP）および活性熱空洞を備えた２×６垂直複合断熱部材（間柱）の異なった構成の上図面である。
【図２Ｃ】図２Ｃは間柱１の構成を示す図ある。
【図３】図３は壁構造用の他の強化断熱部材の上面および側面図である。
【図３Ａ】図３Ａは複合断熱低部および頂部土台板を示す断面図である。
【図３Ｂ】図３Ｂは複合断熱部材(ネイルボード)を示す断面図である。
【図３Ｃ】図３Ｃは水平な窓土台板の側端面図である。
【図４】図４は本発明（複合断熱構成部材）の側面図である。
【図４Ａ】図４Ａは本発明（複合断熱構成部材）の側面図である。
【図４Ｂ】図４Ｂは本発明（複合断熱構成部材）の側面図である
【図４Ｃ】図４Ｃは本発明（複合断熱構成部材）の側面図である。
【図５】図５は複合間柱および壁組立て体である。
【図５Ａ】図５Ａは複合間柱および壁組立て体である。
【図５Ｂ】図５Ｂは複合間柱および壁組立て体である。
【図５Ｃ】図５Ｃは複合間柱および壁組立て体である。
【図５Ｄ】図５Ｄは複合間柱および壁組立て体である。
【図５Ｅ】図５Ｅは複合間柱および壁組立て体である。
【図５Ｆ】図５Ｆは複合間柱および壁組立て体である。
【図５Ｇ】図５Ｇは複合間柱および壁組立て体である。
【図５Ｈ】図５Ｈは複合間柱および壁組立て体である。
【図５Ｉ】図５Ｉは複合間柱および壁組立て体である。
【図６】図６はガラス真空断熱パネル（VIP）組立て体の上図面である。
【図６Ａ】図６Ａは硬い泡部材で周囲に覆われたガラス真空断熱パネル（VIP）の断面図である。
【図６Ｂ】図６Ｂは本発明（VIP、硬い泡および間柱）の断面図である。
【図６Ｃ】図６Ｃは硬い泡で挟まれたVIPおよび生成された空洞付きのVIPを示す図である。
【図６Ｄ】図６Ｄは硬い泡で挟まれたVIPの断面図である
【図６Ｅ】図６ＥはVIP生成空洞の内面側の付加的窓ガラスの平面図である。
【図６Ｆ】図６ＦはVIP生成空洞の両側部の付加的窓ガラスの平面図である。
【図６Ｇ】図６Ｇは空洞内の真空条件なしでの二重窓非刷りガラスVIPの側部および平面図である。
【図６Ｈ】図６Ｈは空洞内の軽いカラー液体で予め充填された二重窓非刷りガラスVIPの側部および正面図である。
【図６Ｉ】図６Ｉは二重窓ガラスVIPとの関係を示す機械装置（プログラム可能な、測深、制御装置、および流体で充填された貯蔵所）の断面図である。
【図６Ｊ】図６Ｊはプログラム可能な測深、制御装置、および流体で充填された貯蔵所）と相互に動作し、かつそれらに接続されている空洞内の軽いカラー液体で予め充填された二重窓非刷りガラスVIP側面および正面図である。
【図６Ｋ】図６Ｋは圧力のかかった真空条件を生成すべく空洞からポンプにより汲み出された軽いカラー流体を示す、二重窓非刷りガラスVIPの側面図および正面図である。
【図６Ｌ】図６Ｌは空洞がより暗いカラー流体で充填されることを示す、二重窓非刷りガラスVIPの側面図および正面図である。
【図６Ｍ】図６Ｍは二重の窓ガラスVIPの側面図および正面図であり、これらの図面において「より暗い」カラー流体はポンプで汲み出され、そして圧力のかかった条件が空洞内で生成されることが例示される。
【図６Ｎ】図６Ｎは２個の空洞付きの三重窓非刷りガラスVIPの側面図、正面図および背面図であり、これらの図面において１個の空洞は強制流体による耐久性のある圧力をかけた真空条件おいて予め処理され、かつ他の空洞はカラー流体で予め充填される繰り返し可能な真空プロセスのために予め処理されることが例示される。
【図６Ｏ】図６Ｏは三重窓非刷りガラスVIPの側面図、正面図および背面図であり、これらの図面において１個の空洞は軽いカラー流体で予め充填され、かつ他の空洞は強制流体で耐久性のある真空条件であらかじめ処理されることが例示される。
【図６Ｐ】図６Ｐはプログラム可能なポンプシステム、制御システム，さらに貯蔵所と相互に動作しかつそれらに接続された２個の空洞付きの三重窓非刷りガラスVIPの側面図、正面図および背面図であり、これらの図面において１個の空洞は軽いカラー流体で予め充填されかつ他方の空洞は強制流体による耐久性のある真空条件において予め処理されることが例示される。
【図６Ｑ】図６Ｑは２個の空洞を備えた三重窓非刷りガラスVIPの側面図、正面図および背面図であり、これらの図面において圧力をかけた真空空洞にも変形される一方の空洞から軽いカラー流体がポンプで汲み出され、かつ他方の空洞は強制流体による耐久性のある真空条件において予め処理されることが例示される。
【図６Ｒ】図６Ｒは、図６Ｑは２個の空洞を備えた三重窓非刷りガラスVIPの側面図、正面図および背面図である。
【図６Ｓ】図６Ｓは、図６Ｑは２個の空洞を備えた三重窓非刷りガラスVIPの側面図、正面図および背面図である。
【図６Ｔ】図６Ｔは、図６Ｑは２個の空洞を備えた三重窓非刷りガラスVIPの側面図、正面図および背面図である。
【図６Ｕ】図６Ｕはドア断熱部材として使用可能である。
【図７】図７はマスター枠装置組立て体の側面図である
【図７Ａ】図７Ａはマスターワークフレーム装置組立て体の側面図である。
【図７Ｂ】図７Ｂは頂部機構に関するマスターワーク枠組立て体の側面図である。
【図７Ｃ】図７Ｃは低部機構に関するマスターワーク枠組み装置組立て体の側面図である。
【図７Ｄ】図７Ｄはマスターワーク枠組み組立て体を更に説明する側面図である。
【図７Ｅ】図７Ｅは上記壁組み体枠の一方の側上に載置される垂直壁支持部材（ＶＷＳＭ）の断面図である。
【図７Ｆ】図７Ｆは水平位置受け間柱における旋回機構に載置される上記マスター枠装置組立て体の側面部である。
【図８】図８は複合壁枠装置組立て体および搬送／輸送枠の調整位置の側面図である。
【図８Ａ】図８Ａは適切な位置に配置された間柱を備えたマスターワーク壁製造組立て体の垂直側部である。
【図８Ｂ】図８Ｂは壁枠骨組みをその上に備えた上記壁枠製造組立て体の垂直側面図である。
【図８Ｃ】図８Ｃは設置された断熱構成部材と配線を備えて壁枠製造組立て体の垂直側面図である。
【図８Ｄ】図８Ｄは設置されてドライウォールを備えた上記壁枠製造組立て体の垂直内部側面図である。
【図８Ｅ】図８Ｅは設置された壁外被を備えた完成した複合壁の垂直外部側面図である。
【図８Ｆ】図８Ｆは完成した壁の保護最終プロセスを示す図である。
【図８Ｇ】図８Ｇはフォークを搬送するための搬送および輸送機構の調整およびプロセスを示す図であり、この図において完成した複合壁が上記生産組立て体から移動しつつあることが示されている。
【図８Ｈ】図８Ｈは上記搬送フォークを示す図面であり、この図面においては上記製造組立て体から完成した複合壁が係合されていることが例示されている。
【図８Ｉ】図８Ｉは適切な位置に安全ストラップで後退する搬送フォークを示している。
【図８Ｊ】図８Ｊは完成した複合壁および搬送フオォークの展開図である。
【図９】図９は屋根トラス亜鉛引き鋼部材を示す。
【図９Ａ】図９Ａは天井梁の断面および側面図である。
【図９Ｂ】図９Ｂは垂直梁を備えた天井梁の適用例である。
【図９Ｃ】図９Ｃは垂直間柱および天井断熱構成部材の適用例である。
【図９Ｄ】図９Ｄは屋根裏スペースに対する断熱トラスシステムの適用例である。
【図９Ｅ】図９Ｅは上記天井梁を用いて適用された複合断熱パターンの断面図である。
【図９Ｆ】図９Ｆは天井壁枠および天井梁に対する複合断熱パターンの適用例である。
【図１０】図１０はハーフ・ハーフの切り妻天井プレハブ組立て体を示す。
【図１０Ａ】図１０Ａは切り妻天井トラス組立てたい用装置と可動トラスアンカーステ−ションの正面図および側面図である。
【図１０Ｂ】図１０Ｂは上記切り妻天井組み立て体用の他の装置の調節位置の側面図である。
【図１０Ｃ】図１０Ｃは上記切り妻天井トラス組立て体用装置およびアンカーステーションの適用例を示す平面図である。
【図１０Ｄ】図１０Ｄは上記切り妻天井トラス組み立て体用の装置とアンカーステーションの上に設置された床トラスシステムの適用例を示す側面図である。
【図１０Ｅ】図１０Ｅは垂直位置の上の完成した切り妻屋根の側面図である。
【図１１】図１１は製造プロセス用の部分において画定される寄棟天井を示す図である。
【図１１Ａ】図１１Ａは分離して組立てられる断面寄棟天井を示す図である。
【図１１Ｂ】図１１Ｂは上記寄棟装置組立て体を示す図である。
【図１１Ｃ】図１１Ｃは調節された位置における上記切り妻トラス組立て体ステーションの側面図である。
【図１１Ｄ】図１１Ｄは上記可動トラスアンカーステーションおよび他の可動ステーションシステムを備えた切り妻天井トラス組立て体の平面図である。
【図１１Ｅ】図１１Ｅは上記天井トラスシステムおよび組立て体プロセスの正面図である。
【図１１Ｆ】図１１Ｆは上記天井トラスシステムおよび組立て体プロセスの正面図である。
【図１１Ｇ】図１１Ｇは上記切り妻天井トラス装置組立て体の上に置かれた完成したハーフ切り妻トラスの完成部である。
【図１１Ｈ】図１１Ｈは垂直位置における完成した断面ハーフ切り妻天井トラスの側面図である。
【図１２】図１２は独立した活性熱空洞の強制エアーパスを示す図である。
【図１２Ａ】図１２Ａは上記壁内の上記不活性空洞、およびＶＩＰに関連する独立した活性熱空洞エアーブランケットの強制エアーパスを示す図である。
【図１２Ｂ】図１２Ｂはより高いエネルギー省力要求に対して求められた建築物用金属シートに関連した独立した活性熱エアー断熱の変形例を示す図である。
【図１２Ｃ】図１２Ｃは間柱、外被、ボードおよび間柱と一体のシート状金属および硬い泡を備える複合活性熱空洞から構成される上記断熱構成部材の適用例を示す図である。
【図１２Ｄ】図１２Ｄは多重レベル建築物用の独立した活性熱強制エアーパスの適用例を示す図である。
【図１３】図１３は上方および天井を横切って変化する独立な活性熱強制エアーブランケットの動きの正射影図である。
【図１３Ａ】図１３Ａは対抗した側壁を変化する天井内の独立した活性熱強制エアーブランケットの動きの適用例を示す図である。
【図１３Ｂ】図１３Ｂは壁の他の２組のうちの１つにおける独立した活性熱空洞エアーブランケット独立した上方の動きの適用例を示す図である。
【図１３Ｃ】図１３Ｃは壁の他の２組のうちの１つにおける独立した活性熱空洞ブランケット強制エアーブランケット強制エアーの下方への運動の適用例を示す図である。
【図１３Ｄ】図１３Ｄは気候制御ユニットを収容するためのボックスアウトスペース付きの貴基台コンフリー壁構造体の上断面図である。
【図１３Ｅ】図１３Ｅは上記気候制御ユニットからの強制エアー導管システムを収容するためのボックスアウトスペース付きの主たる床壁構造体の上断面図である。
【図１３Ｆ】図１３Ｆは上記気候制御ユニットからの強制エアー導管システムを収容するためのボックスアウトスペース付きの上記上部の床壁構造体の上断面図である。
【図１３Ｇ】図１３Ｇはより望ましい開発のための障害から自由な基台を許容する気候制御ユニット収容するための生成されたボックスアウトスペース、並びにすべての３レベルに到達しそこから還流する強制エアー導管システムを収容するための一列に配置された多重ボックスアウトスペースを示す側面図である。
【図１３Ｈ】図１３Ｈは外方の導管ボディが設けられかつ気候ユニットに接続されていることを示す側面図であり、この図において主たる外方活性強制エアーパスおよび活性強制エアーパスへ延在する種々の多重レベルとが描写されている。
【図１３Ｉ】図１３Ｉは内方の導管ボディが設置され気候制御ユニットに接続されていることを示す側面図であり、主たる内方活性強制エアーパスおよび内方の活性強制エアーパスに延在する種々の多重レベルが描写されている。
【図１３Ｊ】図１３Ｊは基台ボックスアウトスペース多重レベル垂直円柱ボックススペースの相互に作用する組み合わされた機能、および気候制御ユニットさらに全体の多重レベル活性熱強制エアー通路およびパスが示されている例示されている正影側面図である。
【図１３Ｋ】図１３Ｋは外部多重レベルフローリング構造体に設けられると共に取り付けられさらに水平位置に測深パイプおよび電気配線を取り囲むことが可能である延伸した水平ボックスアウト構造体に焦点が当てられていることを示す裁断側面図である。
【図１３Ｌ】図１３Ｌは図１３Ｋを９０度回転した他の側面図であり、上記測深パイプ多重レベル垂直円柱のボックスアウトスペース内へ垂直に位置し、上記細長い水平ボックスアウト構造体を経由してその他の床レベルにそれらのルートを延長することが示され、上記主たる測深パイプの延長ルートに即するように適合した電気配線およびウォーターラインを示している。
【図１３Ｍ】図１３Ｍは図１の平面図であり、上記基台壁からのボックスアウトスペースについての形成および関係をさらに例示するものであり、さらに垂直円柱制御ボックスアウトスペース、細長い水平ボックスアウト構造体、主たる測深パイプおよび床梁間の空孔スペース内に延在する拡張部をさらに例示している。
【図１３Ｎ】図１３Ｎは生成されたボックスアウトスペースからの基台において自立する他の独立な活性熱強制エアーブランケットの動きの適用例である。
【図１３Ｏ】図１３Ｏは両側部における「空孔」スペースを生成するコルゲートされたパターンを示す、コルゲートされた金属天井構成部材の既存の従来の片の水平裁断面図である。
【図１３Ｐ】図１３Ｐは既存の従来の典型的な天井構造水平断面図であり、本発明における水平裁断面図であり、本発明における他の活性熱強制エアーパスとして利用される「空孔」スペースの生成を示す。
【図１３Ｑ】図１３Ｑは住居用のハウスの裁断面図であり、この図において住居用ハウスは屋根裏上の屋根外被の下で通過する活性強制エアー通路システムを有する壁構造を備えていることが示されている。
【図１４】図１４は複合床梁の側断面図である。
【図１４Ａ】図１４Ａはアンカーに対する付加的な床のための複合内部床側板（ＯＳＢ）の断面および側面図である。
【図１４Ｂ】図１４Ｂはアンカーに対する付加的な床のための外部複合断熱側板（ＯＳＢ）の側断面図である。
【図１４Ｃ】図１４Ｃは色々な床部材すなわち外部複合断熱側板、内部梁側板、および主たるかつ断面の壁を形成する床梁の諸関係および適用例の裁断側面図である。
【図１４Ｄ】図１４Ｄは床装置組立て体の非可動ステーション「Ａ」の正面図である。
【図１４Ｅ】図１４Ｅは上記床装置組立て体のトラックの上を可働する全てのステーション「Ｂ」「Ｃ」さらに「Ｄ」の正面図である。
【図１４Ｆ】図１４Ｆは上記床装置に相対的な主要な床構成体の側面図である。
【図１４Ｇ】図１４Ｇは上記床装置組立て体の上に置かれる組立てられた主たる床の側面図である。
【図１４Ｈ】図１４Ｈは上記床装置組立て体の上の各側の上の上記主たる床および２個の付加的な床を組立てる適用例の側面図である。
【図１４Ｉ】図１４ＩはＯＳＢ床外被が設置されない状態の平面図であり、この図においては全てのサイズを有する主たる床および付加的な床を組立てることができる４個のプラットフオーム（ＡＢＣＤ）の諸関係が例示される。
【図１５】図１５は強制エアー通路用の開口部を備えた低部板の上断面図であり、また２個の複合断熱間柱の間に適用された複合断熱パターンを示している。
【図１５Ａ】図１５Ａは床の下の強制エアーチャンネルを生成する上記床梁の機能を説明する上記床梁の側断面図である。
【図１５Ｂ】図１５Ｂは床外被ボードなしの露出した主たる床構造体の平面図であり、上記行かない床内強制エアー循環ルートおよび上記低部板内の開口部を示し、さらに構成された床内空洞の側面図を示す。
【図１５Ｃ】図１５Ｃは床内強制エアー循環の適用例を示す図であり、この図において上記床内強制エアー循環パスは阻止された不活性空洞に延在し、さらに部屋周囲エアーのための上記壁内強制エアーおよびガラスＶＩＰと間柱との関係が生成されることが例示される。
【図１５Ｄ】図１５Ｄは開口部付きの上記複合床張りを示す図である。
【図１５Ｅ】図１５Ｅは制御されかつ選択可能である強制エアー循環領域が示される平面図であり、この図において必要において柔軟性に基づき例えば冷たいセラミックタイルフローリングを有する可能性がある浴室、梁間の個別スペースは上記床梁内の最適な開口部を介して接続可能であることが例示されている。
【図１５Ｆ】図１５Ｆは上記複合床梁上の強制エアー循環用の床内空洞を生成するよう使用される物質の適用例を示す図であり、この図において多くのタイプの物質が例えば硬い泡シート、ＯＳＢ部材、シート金属およびコルゲートされた物質が使用可能である。
【図１５Ｇ】図１５Ｇは例えば設計された床梁システム、亜鉛引き鋼単一もしくは二重の梁システム、さらに木材床梁システム等の既存の床梁システムに適用される生成された床内強制エアーシステムのための例を示す。
【図１５Ｈ】図１５Ｈは上記窓枠の頂部上にスナップされて置かれた強制エアー偏向器を備えた窓強制除氷システムの側面図であり、また上記窓頂氷器の強制エアーパスを示しています。
【図１５Ｉ】図１５Ｉは床内強制エアーシステムに関連した偏向器付きの窓除氷器を示す図であり、窓に延在しない独立な活性熱空洞エアーブランケットを示しさらにガラスＶＩＰ真空断熱パネルを示す。
【図１５Ｊ】図１５Ｊは図１５Ｉを参照する図面であり、窓表面およびガラスＶＩＰに延在する活性熱空洞エアーブランケットに独立に単一の窓ガラスを上記窓除氷器システムに付加する相互に動作する関係を示しており、かくして恩恵を拡大する。
【図１５Ｋ】図１５Ｋは図１５Ｊを参照するもので、さらに床内強制エアーの組み合わされた諸関係と恩恵を示し、窓、壁、およびガラスＶＩＰを通過する活性強制エアーブランケットに独立に単一の窓ガラスを空洞窓に付加し究極的な断熱効果を獲得することである。
【図１５Ｌ】図１５Ｌは複合断熱壁パネルの側部断面図を示すもので窓除氷器および部屋への窓内強制エアー環境に延在する窓内強制エアー循環の相互に作用する関係および機能を説明するものである。
【図１６】図１６は隠れた雨水排水システム付きの複合壁パネル構造体の平面図である。
【図１６Ａ】図１６Ａは壁内隠された雨水排水システムの断面図である。
【図１６Ｂ】図１６Ｂは２個のレベル用矩形状通路隠された雨水排水システムの垂直断面図である。
【図１６Ｃ】図１６Ｃは隠された雨水排水システムの平面図である。
【発明を実施するための形態】
【００３９】
以下の議論は本発明のひとつの実施の形態（およびその実施の形態の種々の変形例）を詳細に記述する。しかしながら、この議論はそれらの実施の形態に発明を限定してなされるべきでなく、当業者はまた他の多くの実施の形態を認識するであろう。発明の完全な範囲の定義に対しては、読み手は添付された特許請求の範囲に従う。
【００４０】
図１は従来例の平面図である。２個の従来技術２０が示される。まず初めに、２×６木製の間柱２２付きの既存の木製枠構造体が示される。第２に２×６木製間柱２２付の既存の木製枠構造体がフアイバーガラス絶縁２６をドライウオール２８と配向された撚り線ボード１６間に配向した状態であることが例示されている。本発明は建築プロセスを改善し、さらに産業、商業および住居建築産業のための価値、構造的一体性、心地良さより良い品質を提供する。本発明は複合垂直絶縁支部鋼部材（間柱）である単一の構成部材から始めて次いで板、ビーム、床梁、屋根トラスおよび複合断熱パターンを生成し、かくして空洞を生成する。本発明を利用する全体的概念として、その目的は構成部材およびパーツの全ての設計に焦点をあてプレハブ工法プロセスを容易化することである。
【００４１】
図２は使用における本発明のプレハブ式断熱建築物の例示された図である。本発明のプレハブ式断熱建築物１０の主たる目的は択一的なプロセスを提供し、既存の物質を利用して改善されたエネルギー値ファクターを備えたより効率的なやり方で住居用ホーム、さらに市場で容易に入手可能な既存の製造装置を建造することである。
【００４２】
図２Ａは配向された撚り線ボード（ＯＳＢ）部材１６、亜鉛引き鋼１４および硬い泡断熱在１８を備えた２×６の複合断熱垂直部材（間柱）１２の異なった構成の平面図である。
【００４３】
図２Ｂはガラス真空断熱パネル（ＶＩＰ）３４，および上記間柱で適用された独立な活性熱空洞３６を備えた２×６の複合断熱垂直部材（間柱）１２である。
【００４４】
図２Ｃは間柱番号１の構成１２の上面および側面図であり、この構成１２は配向された撚り線ボード（ＯＳＢ）部材１６、亜鉛引き鋼１４およびガラス真空断熱パネル（ＶＩＰ）３４付きの硬い泡断熱材１８を備え、かくして強制エアー通路用の独立な活性熱空洞３６を形成する。また、測深及び電気用間柱ボディ上の開口部３２を図２Ｃの側面図が示す。
【００４５】
図３は側面図及び断面図の双方に２×６複合断熱強化部材２６４を示す。この強化部材２６４はＯＳＢ部材１６、硬い泡部材１８、および亜鉛引き部１４で構成される、すなわちドアジャムおよび窓土台板用の頂部および低部板に沿う強制用に垂直もしくは水平に使用可能である。さらにそのボディ上に種々の開口部、すなわち壁内強制エアー用開口部３４６、独立な活性熱強制エアー用開口部３４８、および測深および電気用開口部３１２が示される。
【００４６】
図３Ａは頂部の土台板４０と、低部土台板４２の断面図である。この図において２個のＯＳＢ部材１６が挟まれていることが示され、一片の硬い泡１８および金属１４とＯＳＢ部材１６との間に延在してブリッジ効果を阻止する。それは（１８）そのサイズ２”×１０”もしくは２’×１２”を増加するように床梁システム用外部側板として使用可能である。開口部３５０は壁内強制エアー用の加熱された強制エアー３５２およびそこを通る測深および電気用強制エアー３１２の強制エアー通路を容易化するために設けられている。
【００４７】
図３Ｂは複合断熱「ネール・ボード」４４を示す図である。その主たる使用は複合断熱垂直部材（間柱）１２に基づき例えば螺子もしくはネイル４８等の締結器付きの低部を設置するためのネイルボードとして作用、そして低部板４２は亜鉛引き鋼１４に覆われる。それは強化部材としても使用可能である。この図３では、両端部にＨ−状亜鉛引き鋼１４の２個の片で２個のＯＳＢ部材１６はその間に一片もしくは硬い泡部材１８を挟み、両端が２個のＯＳＢストリップ部材１６で挿入され熱ブリッジ効果を阻止する。さらに低部土台板４２、床外被４６およびドライウオール２８に一緒に低部５０を設置するための適用例が示されている。さらにまたそのボディの上の種々の開口部、すなわち壁内強制エアー用開口部３５６、独立な活動活性熱強制エアー用開口部３５４、および測深および電気用開口部３１２が示されている。
【００４８】
図３Ｃは水平窓強化土台板５２の側部端面図である。この複合部材は頂部および低部窓土台板の双方のために使用可能である。かくして硬い泡１８およびＯＳＢストリップ１６を含む「Ｈ」状の亜鉛引き鋼１４の２片を構成し、両端における螺子溝５６付きの鋼ブラケットフランジ５４を用いることが可能でこの部材を他の垂直部へ固着する。上記「Ｈ」状鋼１４間に２個の片の間に接触点が存在しない。
【００４９】
図４は本発明の側面図である。この側面図には「不活性空洞」３８およびスペーサ５８が示されており、これらの部材はプラスチックもしくは膜物質で硬い泡１８の種々の厚さを有するシートを積層することにおいて、並びに耐久性用のプラスチックもしくは膜物質で４個の縁が覆われている。ここで示される壁内電気配線を収容すると共に、垂直間柱のボディ上の開口部と一緒に配管設置を測深するためのより大きな空洞３８は図示される。さらに、上記ケ−シングのまわりに保  護覆い６０も示されている。
【００５０】
図４Ａは本発明の側面図である。不活性空洞３８を備えた図４の同じ構成および配置が示されている。しかしながら、より小さな複合３６も生成され、かつ硬い泡１８の層内で一体化されており、これらの空洞は以下の図１２において説明されるであろう独立な活性熱空洞３６である。
【００５１】
図４Ｂは本発明の側面図である。この図には保護ケーシングなしで、しかし活性および不活性空洞３８を備えた図４の同じ構成および配置が示されている。泡シートが４個の縁の上のスペーサ５８としての泡のストリップを接合することによって一緒に積層される。以下のバージョンは「置くおよびにかわ」用および「嵌合する切削」オーサイズおよび現場でのスペーサ用のバージョンである。
【００５２】
図４Ｃは本発明の側面図である。この図においては、ガラス真空断熱パネル（ＶＩＰ）３４が硬い泡構成部材１８に付加されていることが示されている。これらの断熱パターンは以下の硬い泡構成部材、すなわちＶＩＰ３４，独立な活性熱空洞３６、および不活性空洞３７へ一体化され、さらに硬い泡１８を含む断熱パターンが共に存在している。
【００５３】
図５は複合間柱および壁組立て体６２の断面図である。この図には複合部材（間柱１）の硬い泡部材１８、ガラス真空断熱パネル（ＶＩＰ）３４、および独立活性熱空洞３６並びに不活性空洞３８が例示されている。ガラス真空断熱パネル（ＶＩＰ）３４および独立な活性熱空洞３６は、応用が要求するにつれて間柱内で適用可能である（図２Ｂにも図示）。ドライウオール２８および外被４６はその対向側部上に設置されている。
【００５４】
図５Ａは壁組立て体６２の他の平面図である。この図には、複合部材（間柱２）硬い部材１８、ガラス真空絶縁パネル（ＶＩＰ）３４，独立した活性熱空洞３６、および不活性空洞３８が例示されている。ガラス真空断熱パネル（ＶＩＰ）３４および独立な活性熱空洞３６は、応用が要求するにつれて間柱内で適用可能である（図２Ｂにも図示）。ドライウオール２８および外被４６はその対向側部上に設置されている。
【００５５】
図５Ｂは壁組立て体６２の他の平面図である。この図には、複合部材（間柱２）硬い部材１８、ガラス真空絶縁パネル（ＶＩＰ）３４，独立した活性熱空洞３６、および不活性空洞３８が例示されている。ガラス真空断熱パネル（ＶＩＰ）３４および独立な活性熱空洞３６は、応用が要求するにつれて間柱内で適用可能である（図２Ｂにも図示）。ドライウオール２８および外被４６はその対向側部上に設置されている。
【００５６】
図５Ｃは壁組立て体６２の他の平面図である。この図には、複合部材（間柱２）硬い部材１８、ガラス真空絶縁パネル（ＶＩＰ）３４，独立した活性熱空洞３６、および不活性空洞３８が例示されている。ガラス真空断熱パネル（ＶＩＰ）３４および独立な活性熱空洞３６は、応用が要求するにつれて間柱内で適用可能である（図２Ｂにも図示）。ドライウオール２８および外被４６はその対向側部上に設置されている。
【００５７】
図５Ｄは壁組立て体６２の他の平面図である。この図には、複合部材（間柱２）硬い部材１８、ガラス真空絶縁パネル（ＶＩＰ）３４，独立した活性熱空洞３６、および不活性空洞３８が例示されている。ガラス真空断熱パネル（ＶＩＰ）３４および独立な活性熱空洞３６は、応用が要求するにつれて間柱内で適用可能である（図２Ｂにも図示）。ドライウオール２８および外被４６はその対向側部上に設置されている。
【００５８】
図５Ｅは壁組立て体６２の他の平面図である。この図には、複合部材（間柱２）硬い部材１８、ガラス真空絶縁パネル（ＶＩＰ）３４，独立した活性熱空洞３６、および不活性空洞３８が例示されている。ガラス真空断熱パネル（ＶＩＰ）３４および独立な活性熱空洞３６は、応用が要求するにつれて間柱内で適用可能である（図２Ｂにも図示）。ドライウオール２８および外被４６はその対向側部上に設置されている。
【００５９】
図５Ｆは壁組立て体６２の他の平面図である。この図には、複合部材（間柱２）硬い部材１８、ガラス真空絶縁パネル（ＶＩＰ）３４，独立した活性熱空洞３６、および不活性空洞３８が例示されている。ガラス真空断熱パネル（ＶＩＰ）３４および独立な活性熱空洞３６は、応用が要求するにつれて間柱内で適用可能である（図２Ｂにも図示）。ドライウオール２８および外被４６はその対向側部上に設置されている。
【００６０】
図５Ｇは壁組立て体６２の他の平面図である。この図には、複合部材（間柱２）硬い部材１８、ガラス真空絶縁パネル（ＶＩＰ）３４，独立した活性熱空洞３６、および不活性空洞３８が例示されている。ガラス真空断熱パネル（ＶＩＰ）３４および独立な活性熱空洞３６は、応用が要求するにつれて間柱内で適用可能である（図２Ｂにも図示）。ドライウオール２８および外被４６はその対向側部上に設置されている。
【００６１】
図５Ｈは壁組立て体６２の他の平面図である。この図には、複合部材（間柱２）硬い部材１８、ガラス真空絶縁パネル（ＶＩＰ）３４，独立した活性熱空洞３６、および不活性空洞３８が例示されている。ガラス真空断熱パネル（ＶＩＰ）３４および独立な活性熱空洞３６は、応用が要求するにつれて間柱内で適用可能である（図２Ｂにも図示）。ドライウオール２８および外被４６はその対向側部上に設置されている。
【００６２】
図５Ｉは壁組立て体６２の他の平面図である。この図には、複合部材（間柱２）硬い部材１８、ガラス真空絶縁パネル（ＶＩＰ）３４，独立した活性熱空洞３６、および不活性空洞３８が例示されている。ガラス真空断熱パネル（ＶＩＰ）３４および独立な活性熱空洞３６は、応用が要求するにつれて間柱内で適用可能である（図２Ｂにも図示）。ドライウオール２８および外被４６はその対向側部上に設置されている。
【００６３】
図６はガラス真空断熱パネル（ＶＩＰ）３４組立て体の平面図である。溶融したガラスは４個の支持体ペレット６４，４個のガラスストリップ縁６６、およびガラスニップル６８を有している。
【００６４】
図６Ａは硬い泡１８縁で周囲を取り囲まれた単一および二重パネルＶＩＰ３４の断面図であり、また三重窓ガラスＶＩＰ３４の形成を説明する図である。
【００６５】
図６Ｂは本発明の断面図である。この図６Ｂには硬い泡絶縁１８付もしくはそれを備えていないＶＩＰ３４が図示されている。また図６Ｂは本発明の種々間柱１２の統一機能をおよび応用を例示している。
【００６６】
図６Ｃは不活性空洞３８を生成する他の硬い泡部材に関連した硬い泡１８がその間に挟まれたＶＩＰ３４を示す図であり、また本発明の統一された機能および種々の間柱１２の適用をも示している。
【００６７】
図６ＤはＯＳＢ外部壁外被４６とドライウオール２８との間の単一の不活性空洞３８を生成するスペーサとしての硬い泡１８がその間に挟まれたＶＩＰ３４の断面図であり、また本発明の統一された機能および種々の間柱１２の適用をも示している。
【００６８】
図６Ｅは中心に離間した異なった断熱垂直部材（間柱）１２の平面図であり、この図において上記ＶＩＰ３４とスペースとしての上記硬い泡は、上記中心に位置する間柱１２間の上記ＶＩＰ３４の上記内部側部に隣接した一片の単一の窓ガラス７０を設置することによってＶＩＰ３４の内部側上の独立した活性熱空洞３６を形成すべく構成されている。この図６Ｅはまた本発明の種々の間柱１２の統一された機能および応用を例示している。
【００６９】
図６Ｆは上記複合垂直断熱部材（間柱）１２とＶＩＰ３４を示す平面図である。（図６Ｅに言及した）上記複合垂直断熱部材およびスペーサとしての硬い泡部材は不活性空洞３８を生成する上記ＶＩＰ３４の外側部に隣接した他の単一窓ガラス片によって設置されており、それ故各空洞は特徴のあるガラス付きのＶＩＰ３４のいずれかの側の上で生成される。上記外被４６および上記ドライウオール２８は上記複合断熱垂直部材（間柱）１２に適用される。図６Ｆは又本発明の種々の間柱１２の統一された機能並びに応用を例示する。
【００７０】
図６Ｇは二重非刷りガラス窓の側面図および正面図である。参照番号１aはこの段階におけるＶＩＰ１のボディの空洞を示し、この場合空洞１aは真空状態ではない。また参照番号１bは張り出した流体排水出口を示す。
【００７１】
図６Ｈは１aとして図に言及されている空洞付き二重非刷りガラス窓ＶＩＰ１のボディの側面および正面図であり、それは遂行されるべき後者の圧力がかけられた真空プロセスを準備し並びに予め条件ずける目的のためにより軽いカラー流体１cで予め充填される。
【００７２】
図６Ｉはプログラム可能なポンプ装置、制御装置、管状化機構、さらに流体が充填された貯蔵所を備えている。例示されるように、参照番号１dは上記硬い泡支持部材を示し、この泡支持部材１dは枠構造体に設定されたガラスＶＩＰボディの重量の緩衝材用として使用される。参照番号１bはスプリット・フロー制御バルブ２に接続された張り出された流体排水出口を示す。これは全ての流体を輸送する管状化機構３によって達成される。管状化機構３その通路を分離し、かつ２個のプログラム可能なポンプ４に接続される。上記管状化機構３は次いでそれらの通路を拡げ、一方の通路は上記軽い流体５aを保持する貯蔵所５へ伸びており、他方の通路は流体６aを保持する貯蔵所６へ伸びている。この貯蔵所５は点線で双方が示されているＶＩＰ１ならびに空洞１aの接続されたボディからの還流流体のための充分な余地をそのままにしておくためにその充分な内容まで充填されてはいない。加えて，図６Ｉは一体化された機械的な装置との関係を例示している。
【００７３】
図６Ｊは上記機械的装置に接続されて二重の非刷りガラス窓ＶＩＰ１のボディの側面図および正面図を示す。例示されるように、上記機械的な装置は流体５aおよび６aで充填され２個の貯蔵所５と６を備えた管状化機構３によって接続された制御装置で上記プログラム可能なポンプ４で接続されている。参照番号１aは上記枠構造体に設定されたＶＩＰパネルの重量の緩衝材となる硬い泡支持部材を例示する。参照番号１bは張り出された流体排水出口であり、貯蔵所へ戻る流体。一番新しい水滴を排水することを助長し上記軽いカラー流体５aおよび暗いカラー流体１０aの残渣の混合物を最小値まで減少化させる。参照番号２はスプリット・フロー制御バルブでこのスプリット・フロー制御バルブは分離された軽いカラー流体５aおよびより暗いカラー流体６aを案内しそれらの自身の指定された貯蔵所５および６に還流する。参照番号３は上記流体排水出口１b、上記スプリットフローバルブ２、プログラム可能な装置および２個の貯蔵所５と６に接続する管状化機構である。この予め条件ずけられた段階におけるＶＩＰボディの空洞は図２で参照して軽いカラー流体１cで予め充填されている。この貯蔵所５はレベルにおいて充分な流体を保持するとまさにほとんど空に意図的に放置し、上記管状化機構３の端部をカバーし後者の手順における真空効果を得ることに関連する一貫性を維持する。その流体は貯蔵所５内の流体で引き出されると共に混合される際軽いカラー流体４のための余地を与え、流体５aとなる。ところで、貯蔵所６はより暗い流体６aで完全に充填され、そしてその運動のために容易に入手可能である。
【００７４】
図６Ｋは二重非刷りガラス窓ＶＩＰ１および機能における一体化された機械的装置のボディの側面および正面図である。参照番号１eはＶＩＰ１の空洞の段階を示し、流体は軽いカラー流体１cを撤収することにより圧力がかけられそして真空化され図４で参照した流体５aになる。この点において、上記流体１c／５aはポンプにより汲み出され、そして満タンである貯蔵所５で保持される。より暗い流体６aはまた貯蔵所６内で維持され、さらに容易に屈折にとって入手可能である。この段階における二重非刷りガラス窓ＶＩＰの実施の形態は「随意繰り返し」圧力のかけられた真空条件を達成するサイクルである。
【００７５】
図６Ｌは二重非刷りガラスＶＩＰ１と作用における一体化された機械的装置を示す。例示されるように、流体は暗いカラー流体６aであり、ここで流体はＶＩＰ１のボディの空洞の圧力をかけられた真空スペース内で汲み出されかつ充填される。貯蔵所６はレベルにおいて充分な流体を保持するにまさにほとんど空に意図的にして、管状化機構３の端部をカバーし、それが真空効果を生成するので流体の一貫性を維持する。上記流体はＶＩＰ１のボディの空洞内にあるより暗いカラー流体６aの還流のための余地を与え、かつ上記貯蔵所６へポンプで汲み出して戻すように循環される。ところで、貯蔵所５は軽いカラー流体５aで完全に充填され、そしてその屈折のための容易に入手可能である。
【００７６】
図６Ｍは二重非刷りガラスＶＩＰ１と作用における一体化された機械的装置を示す。例示されるように、流体は暗いカラー流体６aであり、ここで流体はＶＩＰ１のボディの空洞の圧力をかけられた真空スペース内で汲み出されかつ充填される。貯蔵所６はレベルにおいて充分な流体を保持するにまさにほとんど空に意図的にして管状化機構３の端部をカバーし、それが真空効果を生成するので流体の一貫性を維持する。上記流体はＶＩＰ１のボディの空洞内にあるより暗いカラー流体６aの還流のための余地を与え、かつ上記貯蔵所６へポンプで汲み出して戻すように循環される。ところで、貯蔵所５は軽いカラー流体５aで完全に充填され、そしてその屈折のための容易に入手可能である。
【００７７】
図６Ｎは中間の窓ガラスシートによって分離される２個の取り付けられた並んで配置されたボディ７aおよび７bを生成する。図６Ｎは流体排水出口８fを有する真空化されていない空洞７cを備えたボディ７aを示す。図６Ｎは上記中間窓ガラスシートの他方の側にＶＩＰ７の背面図として空洞７dを備えたＶＩＰ７のボディ７bを示す。これにより、この段階でのボディ７bの空洞７dは予め処理され他「耐久性のある」圧力をかけられ真空化された状態にあり、その条件は市場において入手可能である従来例の種々のプロセスを選択することによって達成可能であり、そしてその条件はこの続く特許の記述を通しての「耐久性のある」真空化された条件として維持される。参照番号７eは上述した従来の工場での真空プロセスを容易化すべく設けられたニップルを示す。
【００７８】
図６Ｏは三重窓非刷りガラスＶＩＰ７の側面図、正面図および背面図を示し、ここで参照番号７は２個の分離した取り付けられたボディであり、参照番号７dは予め処理されたボディ７ｂの空洞であり、それは従来の「耐久性のある」圧力のかけられた真空化された条件であり、さらに参照番号７eはニップルを示す。図８を参照して流体排水出口７f付きのボディ７a空洞７cのスペースは軽いカラー流体５aで予め充填される。この「予め充填された」プロセスは、プログラム可能機械装置で一体化されるボディ７aの空洞を利用することによって最近の「随意繰り返し」真空プロセスが達成される。
【００７９】
図６Ｐは図３を参照すると上記機械的装置と一体化の２個のボディ／空洞付きの三重非刷りガラス窓ガラスＶＩＰ７の側面図、正面図および背面図を示す。断面図として例示されるように、上記機械的装置はプログラム可能な測深および制御装置を備えている。参照番号１dは枠構造体に設定されるガラスＶＩＰボディの重量の緩衝材として作用するよう使用される硬い泡支持部材である。参照番号７fスプリットフロー制御バルブス二接続され張り出された流体排水出口を示し、この接続は全ての流体を輸送する管状化機構３によって達成され、この管状化機構３はその通路を分離し、かつ２個のプログラムポンプを接続する。次いで上記管状化機構３は拡がっている。この場合、１個は貯蔵所５内に延び、上記軽い流体５aで保持し、他方はより暗い流体６aを保持する貯蔵所６に延びる。参照番号７dはボディ７bの空洞を示し、この空洞が耐久性のある圧力をかけられた真空条件において予め処理される。参照番号７eはニップルを示す。図９に例示したように軽いカラー流体５aを使用してボディ７aの空洞を予め充填並びに予め条件付け、この段階で、圧力真空プロセスが始まり、そして流体５aを貯蔵所５内に撤収することによりいつでも達成でき、この貯蔵所５はボディ７aの空洞から還流した軽いカラー流体５a用の充分な余地を残すようにこの時点でそのフル容量に充填されない。貯蔵所に充填されている際、流体６aは休止モードにある。
【００８０】
図６Ｑは機械装置に一体化された二重のボデイ／空洞付きの三重非刷ＶＩＰ７を示す。例示されたように、一体化されたプログラム可能なな測深、および制御装置が設けられ、そして二つの貯蔵所は流体で充填される。参照番号７gは上記ボデー７aの空洞の段階を例示しており、当該ボデー７aは軽いカラー５aを撤収する効果によって「随意繰り返し」真空化状態に置かれる。この軽いカラー５aはポンプバックされ並びに満杯の貯蔵所５において保持される。上記より暗い流体６aは貯蔵所６に残存する。しかるに、ボデー７bの予め処理されて「耐久性のある」圧力化され真空化された７dが適切な状態にある。二重圧力化された真空断熱パネル７は１個の窓ガラスボデー内で生成される。
【００８１】
図６Ｒは機械的装置と一体の二重のボデイ／空洞付きの三重非刷り窓ガラスを示す。より暗いカラー流体６aはポンプで汲み出され、そしてボデー７a「随意繰り返し」圧力化され真空化された空洞を満たす。貯蔵所６は意図的にほとんどまさに空の状態にされレベルにおける充分な流体を保持し、管３の端部をカバーし流体の一貫性を維持し、これは繰り返しの真空効果の生成に関連し、またボデー７a の空洞からのより暗いカラー流体６aの還流のための余地を与える。ところで、貯蔵所５は軽いカラー流体５aで充分に充填され、その一仕事のために容易に利用可能である。しかるにボディ７bの予め処理された「耐久性のある」圧力のかけられた真空化された空洞７dは適切にそのままである。
【００８２】
図６Ｓは機械装置に一体化された２個のボデイ／空洞付き三重非刷りガラスＶＩＰ１３を例示する。例示したように、プログラム可能な測深装置および制御装置が接続されており、２個の貯蔵所が流体で充填されている。参照番号１５aはボデー１３aの空洞の段階を示し、この空洞はより暗い流体１０aを撤収することによる「随意繰り返し」圧力のかけられ真空化された状態にある。この時点で、流体１０aはポンプで汲み出され、貯蔵所１０において保持される。貯蔵所１０が充填されていることが示される。軽いカラー流体９aは満杯の状態で貯蔵所１０においてそのままにされる。この段階における三重窓ガラスＶＩＰ１３の二個のボデイ／空洞は圧力のかけられ真空化された状態にある。１個は「耐久性のある」真空化された状態にあり、他方は「随意繰り返し」圧力のかけられた真空化された状態にある。二重圧力のかけられた真空断熱パネルＶＩＰ１３は１個の三重窓ガラスボデー内で生成され、そしてユニークな窓ユニットに変形される。
【００８３】
図６Ｔは三重窓ガラスＶＩＰ７を示し、それが１個の窓システムになるので、機械化装置および熱装置に一体化されている。参照番号８は気候条件に応じてヒートもしくは冷却熱交換機を示し、参照番号８aは流体６a用熱移送ラインを示し、参照番号８bは流体５a用熱移送ラインを示す。
【００８４】
図６Ｕはドア用の断熱部材として実施される二重窓ガラスＶＩＰ９の側面および正面図を示す。この図６Ｕにおいて参照番号６aは未処理真空空洞であり、参照番号９bはドアノックの開口部である。この二重窓ガラスドアは出口金属ドアフレーム内に挿入され負的な熱移送の立場で最も弱いポイントの一つである効率的な絶縁部材になる。
【００８５】
図７は本発明の側面図である。垂直壁部材（ＶＷＳＭ）７６を各側に有するマスター枠装置組立て体７４が側面図として示されている。いくつかの大きなアルミニュウム（ＭＷＦ）マスターワーク枠７４（サイズはローカルな市場要求に応じて柔軟に与えられ得る）は外部壁と内部壁を組立てるための床上に耐久性のあるように設置および生成される。これらのＡＭＷＦ７４はステーションに対して柔軟性を与えるよう建造されかつ容易に周囲を稼動し、動力機構７８は電気的リモート装置により容易に制御される垂直、水平、上方向および下方の位置において旋回させることを可能とする。初めに、ＭＷＦ７４は水平レベルに置かれ頂および底部土台板を受け、全ての間柱はＭＷＦ７４の上に平坦に（また水平に）置かれ、並びに１６”もしくは２４”o.c.だけ離隔し次いで稼動可能な胴部レベルで調節され職人が同時に壁の両側で働くことを可能にし全ての頂部および底部の土台板、窓およびドア小口を締結並びに設置し、かくして間柱全てを仕様に応じて離隔させる。上記ＭＷＦはさらに第１の枠側部８０、第２枠側部８２、頂部リリースバー８４、枠低部板、８６、木製板８８、フォークリフト搬送用開口部９０、低部リリースバー９２、ステーションボルト９６、および重量支持体９４を備えている。
【００８６】
図７Ａは本発明の側面図である。上記ＭＷＦ７４は垂直位置から水平位置に回転するように図示されている。また上方および下方の昇降機構９８が例示されている。
【００８７】
図７Ｂは本発明の側面図である。上記ＭＷＦ７４とその頂部１０４の上に配置される頂部リリースバー８４との間の関係が例示される。図７Ｂは上記頂部リリースバー８４、上記ステーションボルトガイドトラック１００および上記ステーションボルト９６に螺合する締結ノブ１０２を側面図として例示する。
【００８８】
図７Ｃは本発明の上記ＭＷＦ７４の側面図である。上記低部リリースバー９２、上記主枠１０６上記ステ−ションボルト９６およびその案内トラック１００についての関係をさらに説明するように側面図として例示されている。
【００８９】
図７Ｄは本発明の側面図である。図７Ｄは間柱１２を水平方向に描写した際、頂部低部リリースバー８６および９２に内に取り付けられる間柱の端部を例示する。この配置は全ての間柱１２を稼動可能なレベルで全ての間柱１２を水平に位置させる。上記リリースバーはまた組み立てプロセスのための支持体を提供する。図７Ｄは縦方向に描写した際、ドライウォール２８の設置の間頂部および低部リリースバー８４を備えた間柱１２と上記設置プロセス間のＯＳＢ外部壁外被４６との関係を例示する。
【００９０】
図７Ｅは主たる組み立て枠の上に載置される縦方向壁支持部材、（ＶＷＳＭ）７６の断面図でありこの図において上記（ＶＷＳＭ）７６が上記第１の枠側部のボディに載置されている。図７Ｅは上記ＶＷＳＭ７６の両端部が上記主枠上に載置された上裁断図であり、この図において頂部および低部リリースバーが組み立てプロセスによりその系合が開放される際上記主枠が直立位置において上記壁組立て体６２を保持することが例示されている。両端部のＶＷＳＭ７６は調節可能であり、壁仕様のサイズに応じて案内棒１０８と共に水平に移動することがこの図において例示されている。また頂部マウント部材１１０、壁を保持する金属部材１１２、およびベース部材１１４が図７Ｅに例示されている。
【００９１】
図７Ｆは上記マスターワーク壁枠装置組立て体７４の側面図である。この図７Ｆにおいて上記マスターワーク７枠７４は水平位置にあり、そして稼動可能なレベルまで低下することが例示されている。また図７Ｆにおいて上記間柱１２は上記枠７４内に置かれ並びに仕様に応じた適切な位置に締結されていることが例示されている。
【００９２】
図８は二つの機能を有する複合壁枠装置組立て体７７の側面図であり、この図において一つの機能は完成構造体を搬送並びに輸送し貯蔵することであり、他方の機能はバイヤーにパスワードを用いてオンラインでプロセスライブを視聴させるプロダクションプロセスのライブビデオクリップを送るモニターシステムを送ることが例示されている。また図８にはその各端部から延在する脚１１８によって支持される水平なトラック支持体１１６が示されている。またさらに図８においては動力化され他１２０が搬送フオーク１２２が進行する経路に沿って上記トラック支持体１１６の下側に配置されていることが例示されている。また図８においてはビデオカメラ１２４が各脚１１８の内方部に配置され、かつ垂直壁組立て体部材74における各ワークエリアに向けて配置されライブストリーミングビデオをインターネットサーバーに供給することが例示されている。さらにまた図８においては、電動モーター１２６がトラック１２０に沿って後方および前方へ搬送フォークを駆動することが例示されている。
【００９３】
図８Ａは適切な位置に置かれた間柱１２付きの上記マスターワーク壁枠装置組立て体７４の側面図である。上記マスターワーク枠７４が水平位置にあり、並びに心地よい稼動可能なレベルまで下降する。全ての板小口および間柱１２は組み合わされ複合断熱壁枠の骨組みを形成する。
【００９４】
図８Ｂは上記壁枠製造組立て体の垂直側面図である。上記垂直壁部材に直立位置において固着されたマスターワーク枠７４が例示されている。窓開口部付きの壁骨組みは窓小口ビーム１２８で組立てられ例えば断熱部材、窓構成部材、電線およびボックス等の他のパーツおよび構成部材を収容するようになっている。全ての構成部材は設計図用の仕様により厳密に適切な位置に全て設置されるべきである。両側透視図を反映する同じ壁の二組の設計図が存在する。
【００９５】
図８Ｃは上記壁枠生産組立て体６２の垂直側面図である。間柱１２の間に充填された断熱部材１８の垂直側面図が示されている。電線１３０、コンセントボックス１３２および照明スイッチ１３４が設置されている。
【００９６】
図８Ｄは壁枠生産組立て体６２の垂直側面図である。設置されたドライウオール２８、設置された窓、すべて露出する電気ボックス１３０およびスイッチ１３４、接続用配線１３０を備えた完成した複合壁の内側部の垂直面図が例示されている。
【００９７】
図８Ｅは完成した複合壁６２の垂直外部側面図である。設置されたＯＳＢ外部壁外被４６、および、露出する接続用電線１３０を備えた完成した複合壁６２の外面図である。完成した複合壁６２はフォークブレードをブレード開口部９０内に挿入することによって上記マスターワーク枠壁組立て体から離隔するようになっている。
【００９８】
図８Ｆは保護仕上げプロセスを例示する。設置された窓３６付きの仕上げられた複合壁６２の裁断面図が示されている。２個の保護泡パッド１３８は上記窓枠を挟む。ＯＣＢ外部壁外被４６は泡パッド１３８のための背面構造を提供する。輸送および現場での設置のための保護を提供する。
【００９９】
図８Ｇは上記壁枠生産組立て体の図面である。上記複合壁６２は完成され、そして枠製作品内から除去されるようになっている。上記搬送フォークは電動モーター１２６によって搬送トラック１２０に沿って駆動され上記壁６２を除去する。
【０１００】
図８Ｈは壁枠生産組立て体の図面である。上記搬送フォーク１２２が上記完成した壁組立て体６２を移送するために雇いいれた搬送フォーク１２２が例示されている。既述したように、上記カメラ１２４は全体のプロセスを監視し続ける。
【０１０１】
図８Ｉは適切な位置に安全ストラップ１４０を備えた複合壁６２を回収する搬送フォーク１２２を例示している。窓は泡保護パッドによって保護される。
【０１０２】
図８Ｊは壁６２とマスター枠ワークの断面図である。この図８Ｊにおいて上記壁６２内の構成部材の明瞭な断面が示され、さらにこの完成した複合壁は上記搬送フォーク１２２によってマスターワーク枠から回収された。頂部土台板４０、上記硬い泡１３８、窓１３６、上記ＯＳＢ外被１３６、上記ドライウオール２８、および上記低部土台板４２が例示されている。
【０１０３】
図９は中心支持部材１４４、ウェブ  支持部材１４６、およびたる木ビーム１４８を備えてなる亜鉛引き鋼部材である屋根トラスを例示する。
【０１０４】
図９Ａは上記ドロップダウン天井梁１５０の断面図であり、この天井梁１５０は延在した上方の主たる梁部１５２と、この主たる梁部１５２の半部に先行して終端する端部を備えた低部ドロップダウン梁部１５４を有しておりそれによって上記主たる梁部１５２の各端部における延伸部を画定しこの主たる梁部１５２は構造体の工事が終了したら頂部の土台の上に置かれるべき底部から垂直方向に突出する亜鉛引き鋼の１４個のフランジを有している。上記ドロップダウン部１５４はその底部の上でドロップダウンフランジをさらに含んでおり、それにより硬い泡空洞部材の内包のための２個のフランジの間のスペースを画定する。ＯＳＢストリップ１６は梁１５０のコアを形成し金属から金属への熱移送を短絡すると共に上記断熱部材および天井ドライウオールが置かれている「ドロップダウン」ペイロードのための支持体を提供する。
【０１０５】
図９Ｂは上記ドロップダウン天井梁１５０の適用例である。頂部板の主たる梁部１５２が例示されており、この梁の上記ドロップダウン部１５４は複合垂直支持部材（間柱）１２の頂部およびその間に位置しそしてたる木ビーム１４８を支持する。
【０１０６】
図９Ｃは上記天井梁の適用例である。頂部板４０の上の主たる梁１５２が例示されており、この梁の上記ドロップダウン１５４は上記複合垂直支持部材（間柱）１２の頂部に位置すると共に上記たる木ビーム１４８を支持する。独立な活性熱空洞３６および不活性空洞３８がＶＩＰ３４および硬い泡断熱材１８と共に例示されている。
【０１０７】
図９Ｄは上記屋根裏スペース１６０に対向する天井梁１５０の適用例である。屋根たる木１４８間溝内に設置された不活性空洞３８を備えた硬い泡部材１８の断面図が例示されている。天井梁１５０のドロップダウン部は不活性空洞３８が上記溝の間に設定された状態で硬い泡断熱部材を受容する。より重いガラスＶＩＰ３４は上記梁１５０の金属フランジ上に置かれ、そして上記ウェブ支持部材１４２はナット１６２ボルト１６４を用いて一片として上記屋根たる木１４８および梁１５０に接続並びにボルトにより締結されている。
【０１０８】
図９Ｅはこの天井に適用された複合断熱パターンの断面図である。硬い泡断熱材１８の複合絶縁パターンおよびガラスＶＩＰ３４が例示され、独立な活性熱空洞３６および不活性空洞３８を形成し、上記梁１５０のドロップダウン部の構成の相互に作用する恩恵に基づき適用可能である。
【０１０９】
９Ｆは壁枠および天井梁１５０の適用例である。天井梁１５０、たる木ビーム、ガラスＶＩＰ３４、硬い泡部材１８のドロップダウン間のより広い範囲が活性熱空洞３６および不活性空洞３８に独立に例示されている。
【０１１０】
図１０は切妻１６６プレハブ構造体を例示する。この切妻形状屋根１６６は断熱材を提供する目的で中間でそれを分離することにより２個のパーツに分割できる。
【０１１１】
図１０Ａはステーションボデー構造体１７２、種々な屋根ピッチ用調整可能な高さを有する昇降機構１７８、およびスペーサ１８０を備える切妻屋根トラス組み立て体アンカーステーション１６８ための装置の正面および側面図でありトラックの上に取り付けられるべき切妻ビームおよび車輪１７４を調整する。
【０１１２】
図１０Ｂは切妻屋根トラス組み立て体可動トラスアンカーステーション１６８用の装置の側面図である。可動トラスアンカーステーション１６８、アンカー機構８８および天井枠支持体「Ａ」１８４および天井枠支持体「Ｂ」１８６の諸関係の側面図が例示されている。点線は上記トラス枠１８２の半分が適当な位置に置かれていることを例示している。
【０１１３】
図１０Ｃは切妻屋根トラス組み立て体可動トラスステーションのための装置の適用例を示す平面図である。図１０Ｃは半分の切妻屋根トラス組み立て体１６６および可動トラスアンカーステーション１６８の平面図を示す。また図１０Ｃは天井枠支持体「Ａ」１８４および天井枠支持体「Ｂ」１８６を示す。たる木ビーム１４８、支柱部材１９０、側板１９２および天井梁１５０は設置されている。この図１０Ｃにはアンカーバー上に取り付けられたたる木ビーム１４８が平面図として例示され、点線は天井梁１５０がたる木ビーム１４８の下の同一位置に直接置かれている。
【０１１４】
図１０Ｄは切妻屋根トラス組み立て体可動トラスアンカーステーション１６８ための装置の側面図である。この図１０Ｄにおいては半分の切妻屋根トラス組み立て体１８２、可動トラスアンカーステーション１６８、ビーム後天井枠支持体「Ａ」１８４および「Ｂ」１８６、支柱ウェブ部材１４６、側板、および天井梁１５０が締結ブラケットで設置されかつ固定されている。
【０１１５】
図１０Ｅは設置された屋根外被および屋根板１９８が設置されていることを示す側面図である。可動アンカーステーション１６８が取り除かれて適切な位置を越えてフリップされたこのアンカーステーションのための余地を作成する。この半分の切妻屋根は遠くへ搬送されるよう準備されている。この作業は天井搬送装置１９６もしくは油圧クレーンによって実施される。
【０１１６】
図１１は切妻屋根２００装置および組み立てプロセスを例示する。
【０１１７】
図１１Ａは切妻屋根２００装置および組み立てプロセスを例示する。切妻屋根２００は２個の半分の切妻部１８２と切妻端部２０４を備えている。
【０１１８】
図１１Ｂは切妻屋根２００装置および組み立てプロセスを例示する。天井枠支持体「Ｃ」２０６および天井枠支持体「Ｄ」２０８は支持体「Ｂ」１８６と同一構成である。点線は上記各部材上に置かれる天井梁１５０を示し、アンカー機構１８８は屋根ピッチに対して上下方向に調整可能である。
【０１１９】
図１１Ｃはトラス組立て体ステーション１６８の側面図である。Ｏ．Ｃ．スペーサー付きの天井枠支持体「Ｃ」２０６は中心に接近したり離隔したりするよう移動する。この天井枠支持体「Ａ」１８４は耐久性のあるように床の上に位置している。機構１８８は直角位置上方に９０度だけ旋回させる。アンカー機構１８８は屋根ピッチに対して上下方向に調節可能である。高い中心位置からのたる木ビーム１４８は上記屋根四角形の低い隅に下方に傾斜する。天井梁１５０、スペーサー１８０、および垂直支持部材２１４がまた例示されている。
【０１２０】
図１１Ｄは可動トラスアンカーシステム１６８の平面図である。この平面図は可動トラスアンカーステーション１６８、天井枠支持体「Ａ」１８４、「Ｂ」１８６、「Ｃ」２０６および「Ｄ」２０８の諸関係および調整を例示する。上記２個の加えられた部材「Ｃ」２０６「Ｄ」２０８はスペーサー１８０を含み、さらに互いに対抗して離隔する方向にトラック２１０上に及んでいる。
【０１２１】
図１１Ｅは上記寄棟トラスアンカーステーション１６８の平面図である。この平面図は可動トラスアンカーステーション１６８、天井枠支持体「Ａ」１８４、「Ｂ」１８６、「Ｃ」２０６および「Ｄ」２０８の諸関係および調整を例示する。上記垂直支持部材は枠支持体「Ａ」１８４の上に載せられている。また図１１Ｅにはたる木ビーム１４８、上記天井梁１５０および旋回機構２１２についての諸関係が例示されている。
【０１２２】
図１１Ｆは上記寄棟トラス可動アンカーステーション１６８の平面図である。図１１Ｆには可動トラスアンカーステーション１６８、および天井枠支持体「Ａ」１８４、「Ｂ」１８６「Ｃ」２０６および「Ｄ」２０８が例示されている。点線は天井枠支持体「Ｃ」２０６および「Ｄ」２０８の上に置かれるたる木ビーム１４８の下に置かれる。また、図１１Ｆには天井枠支持体「Ａ」１８４、「Ｂ」１８６、上記側板１９２、上記ブリッジ部材２１６、および二重の隣接板２１４も例示されている。
【０１２３】
図１１Ｇにおいは寄棟トラス可動アンカーステーション１６８の半分の仕上げ部を示す図である。設置された屋根外被および屋根板１９８を備えた半分の寄棟トラス部２１８の仕上げ部が例示されている。
【０１２４】
図１１Ｈは仕上げられた断面の半分の寄棟屋根２１８の側面図である。この図１１Ｈにおいて上記寄棟トラス組立て体２１８の半分と、天井枠支持体「Ａ」１８４の仕上げ部が例示されている。完成した半分の断面寄棟２１８は屋根外被および屋根板を備えている。この可動トラスアンカーステーションはプロセス全体に亘って動かされる可動アンカーステーションのための余地を作る方法から除去された。この断面の半分の屋根は天井搬送装置１９６もしくは油圧クレーンによって遠くに搬送されるように準備される。
【０１２５】
図１２は上記独立した活性熱エアー空洞３６の強制エアー通路２２０を例示する。この強制エアー通路２２０は専用の補助炉２２２を介して伸びて、さらに構造体の種々の壁、床および天井全体を通リチャンネルを形成するシールされた独立な活性熱空洞３６を介して通過し上記構造体は上記コンクリート床２２４内の独立した活性熱空洞を含んでいる。上記屋根裏天井および壁は硬い泡断熱材１８で断熱され、そして太陽光駆動式ファン２２８は屋根の上に配置されたソーラーパネル２２６によって起動され屋根裏温度を調節する。また、図１２には熱コントロールを切り替えることによって同じ強制エアーパス２２０を用いる冷却強制エアーを発生する補助エアーコンユニット２２３が例示されている。
【０１２６】
図１２Ａは壁内の不活性空洞３８並びにガラスＶＩＰに関連する独立した活性熱空洞エアーブランケット３６の強制エアーパス２２０を例示している。この強制エアーパス２２０はガラスＶＩＰ３４と泡断熱材１８を組み合わせで不活性空洞３８を加えることで図１２に図示するように同様に構成される。本発明はガラスＶＩＰ３４の２個もしくは３個の片を使用する。加熱装置は適切な温度を適用することによって四隅を回るように使用される。かくして全体として全体のユニットは上記ＳＭＥガラス物質でシームレスでシールされ全体が一片として一緒に溶融される。また図１２Ａにおいては上記補助エアーコンユニットが例示されている。
【０１２７】
図１２Ｂはより高いエネルギー省力要求のために探し求められた建築物用の活性熱エアー断熱材のバージョンを例示し、上記活性熱エアー断熱材は連接した独立の活性熱空洞３６付きのケーシング２３２、亜鉛引き金属シート２３０、および硬い泡断熱材１８を備える。
【０１２８】
図１２Ｃは連接した独立な活性熱空洞３６を備える断熱構成部材の適用例であり、ここでシート金属２３０および硬い泡１８は間柱、外被ボードおよび間柱と一体の状態にある。
【０１２９】
図１２Ｄは加熱された強制エアーパスの適用例である。炉２２２からの加熱された強制エアー２２０は生成された独立な活性熱空洞３６における循環パターンにおいて通過し、上記加熱強制エアーパスは建築物を加熱する３個の強制手段を提供する。先ず第１に、主床上で、加熱された強制エアーは床外板の下で通過し、上記コンクリート床２２４を加熱する。かくして熱は上昇する。第２に強制エアーは内部壁内の生成した独立な活性熱空洞３６を通過し部屋内の心地よい温度を維持する。第３に、生成された独立な活性熱空洞３６内に上記天井を横切って連続的に通過し、中間の上方フローリング用の同一のコンクリートスラブであるコンクリート天井２３４を加熱し、そしてこのコンクリート床スラブ２２４は分離した床内独立活性強制エアー空洞システム内において分離した強制エアーによっても加熱される。実際、同一のコンクリート床スラブ２２４が低部および上部床を分離することによって２個の同一のコンクリート床スラブ２２４は２個の同一タイプの分離システムにより過熱される。頂部レベル天井２３４が例示される。例示される頂部レベル天井２３４は二重層の独立な強制熱エアー空洞３６によって加熱される。また図１２Ｄにおいては硬い泡断熱パネル、ガラスＶＩＰ３４、非活性空洞３８、ガラス壁２３８、上記２３４からの周囲の熱を上昇させる付加された単一の窓ガラスおよび炉への還流エアー２４２が例示されており、壁内活性熱空洞エアーブランケット強制エアー運動は、上記対向側部への屋根裏を横切って上記主たる床および上部の床を上方にその向きを変化する。
【０１３０】
図１３は壁に内の熱空洞エアーブランケット強制エアー２２０の上方の運動を示す正射影図である。この図１３Ａにおいて壁内の独立の活性熱空洞２６エアーブランケット強制エアー２２０は天井梁１５０、垂直間柱１２頂部板４０低部板４２およびＯＳＢ床外被３０によって方向づけられるように対向した側壁へ向け屋根裏を介して主たる床上部床へ上方に通過し、そして上記強制エアーは上記低部内の床梁間主たる床の下のダクト２４６内へ入っていく。上記硬い泡構成部材１８は上記対向側壁の頂部板４０に達する上記天井を横切りかつその上に水平方向の運動における強制エアー２２０用の独立した活性空洞３６付きの屋根裏における断面図を例示する。
【０１３１】
図１３Ａは（詳細については図１３を参照）類似の構成を有する対向側壁における独立した活性熱空洞エアーブランケット３６強制エア２２０ー下方運動を例示する図である。活性熱空洞３６エアーブランケット３６強制エアー２２０は屋根裏を横切って上記主たる床および上部の床内に下方に向きを変化し、低部における補助炉へ還流する。強制エアー２２０は低部壁の下のダクトに戻りそこから還流する。
【０１３２】
図１３Ｂは壁の他の２組の内の一つにおけるエアーブランケット強制エアー２２０運動を有する独立した活性熱空洞３６の応用例を例示する図面である。図１３Ｂにおいて強制エアー２２０が主たる床の壁内を通過し、水平運動のための間柱２４８に開口部が存在しないことが図示されている。上記強制エアーが上部の床に達するので、間柱２５０内の開口部が上記強制エアー２２０を水平方向に通過させる。最も左端の図面において強制エアー２２０は最適に注ぎ込み上記ダクト２４６を介して低部における補助暖炉に還流する。
【０１３３】
図１３Ｃは壁の他の２組の内の一つにおけるエアーブランケット強制エアー２２０運動の適用例を例示する図である。図１３Ｃにおいて強制エアー２２０は上記主たる床の壁内において上方向に通過し水平運動のための間柱２４８内に開口部が存在しないことが例示されている。上記強制エアーが上方の床に到達するので間柱１２における開口部は強制エアー２２０が水平方向に通過させる、最も左側の図面において強制エアー２２０は最適に注ぎ込まれダクト２４６を介して低部内の補助炉に還流する。図１３Ｄにおいてボックスアウト壁３７０付きの低部壁構造体４０２の頂部断面図が例示されており、この低部壁構造体４０２はボックスアウト壁３７０内で上記気候制御ユニット３７４を収容するとともに固定するための低部床からのボックスアウト３７２が生成されさらにこの気候制御ユニット３７４は外方の強制エアーダクト３８０と内方の強制エアーダクト３９２を備えている。
【０１３４】
図１３Ｄにおいて、ボックスアウト壁３７０付きの壁構造体４０２の頂部断面図が示されている。さらにこの図面には、上記気候制御ユニット３７４を収容し一体化するための低部床からのボックスアウト３７２が上記低部壁構造４０２内に生成される。さらに図１３Ｄにおいては気候制御ユニット３７４は外方の強制エアーダクトボディと内方の強制エアーダクトボディ３９２を備えている。
【０１３５】
図１３Ｅにおいてはボックスアウト壁３５８付きの主たるレベルの壁構造体４０４の上断面図が図示されており、このボックスアウト壁３５８は図１３Ｄに例示した上記低部壁構造体４０２と一列に配列されかつその頂部にボックスアウトスペース３６６を生成する。さらに垂直円柱を形成する低部ボックスアウトスペース３７２と一列に配列される主たる床ボックスアウトスペース３６６に焦点が移る。これについては図１３を参照。
【０１３６】
図１３Ｆにおいてボックスアウト壁３６４付き上部壁構造体４０６の上断面図が示されており、このボックスアウト壁３６４は図１３Ｅに示される主たるレベルの壁構造体４０４に一列に配置されかつそのうえにボックスアウト壁３６０を生成する。また上記主たるレベルのボックスアウトスペース３６６と一列に配列された上記上部レベルボックスアウトスペース３６０に焦点が絞られる。上記ボックスアウトスペース３６６は低部ボックスアウトスペース３７２に一列に配置された３個のレベル垂直円柱ボックスアウトスペースを形成し、かくしてボックスアウトスペースの多重レベル垂直円柱を形成する。
【０１３７】
図１３Ｇは図１３Ｄ，図１３Ｅおよび図１３Ｆに関連する実施例である。上記低部壁構造体３７０を結合し並びに一列に配列する。多重レベル垂直円柱ボックスアウトスペースの形成の全体の側面図が例示されている。上記低部壁構造体３７０はボックスアウトスペース３７２を有し、上記主たるレベルボックスアウト構造体３６４はボックスアウトスペース３６６を有し、上記上方レベル構造体３５８はボックスアウトスペース３６０を有する。上記気候制御ユニット３７４を収容する低部ボックスアウトスペースが明瞭に例示されており、この気候制御ユニット３７４は障害物となる低部床を開放し従来の手のかかる導管状化システムから自由により望ましい開発およびスペースを考慮する。
【０１３８】
図１３Ｈは上記低部ボックスアウトスペース３７２における設置された強制エアー「外方」導管状化システムボディ３８０が例示されている実施例の側面図である。上記導管状化システムボディ３８０は、上記主たるおよび上方床への一列に配列された多重レベル垂直円柱ボックスアウトスペース（ボックスアウトスペース３６０，３６６および３７２の形成、図１３Ｇ参照）内におけるその通路を張り巡らし、天井レベルまで達し、かくして各床レベルへの種々な外方通路に接続する。上記活性熱強制主たるパス３７８は上記外方の導管状化システムボディ３８０内に存在し、そして上記気候制御ユニット３７４から上方に移動し、この気候制御ユニット３７４は上記低部ボックスアウトスペース３７２内に収容されている。さらにこの図１３Ｈには上記低部レベルからの種々の外方の活性熱強制エアーパスの諸関係が明瞭に例示されている。参照番号４１６は低部スラブ内の活性強制エアーパスを示し、参照番号３８６は低い側の水平活性強制エアーパスを示し、参照番号４１２は上記主たる床の床内活性強制エアーを示し、参照番号３８４は低い側の水平活性強制エアーパスであり、参照番号４０８は上記上方床の上記床内活性強制エアーパスであり、参照番号３８２は水平の活性強制エアーパスであり、そして参照番号３７６は天井内活性強制エアーパスを示す。
【０１３９】
図１３Ｉは設置された強制エアー「内方」導管状化システムボディ３９２の２を示す実施例である。この導管状化システムボディ３９２は、上記主たるおよび上方床への自立した低部床内の気候制御ユニットに接続された一列に配列された多重レベル垂直円柱ボックスアウトスペース内におけるその通路を張り巡らし、天井レベルまで達し、かくして各床レベルへの種々な外方通路への途中に接続される。上記内方導管状化ボディ３９２内を移動する上記活性熱強制エアー主要パス３９４は上記気候制御ユニット３７４に戻り、この気候制御ユニット３７４は低部ボックスアウトスペース３７２に収容されている。図１３Ｉでは天井レベルからの種々な「内部」活性強制エアーパスの諸関係が明瞭に例示されている。参照番号３８８天井内強制エアーパスを示し、参照番号３９０は上記上方の水平強制エアーパスを示し、参照番号４１０は上記上方床の床内強制エアーパスを示し、参照番号３９６は上記主たる床の上記上方水平強制エアーパスを示し、参照番号４１４は上記主たる床の上記床内強制エアーパスを示し、参照番号３９８は低部の上方水平の強制エアーパスを示し、そして参照番号３７４はコンクリート床スラブ内強制エアーパスを示す。
【０１４０】
図３Ｊは図１３Ｈおよび図１３Ｉの完全に一体化した側面図であり、組み合わされた機能および諸関係が明瞭に図示されている。この図１３Ｊにおいて上記ボックスアウトスペース３７２、多重レベル垂直円柱ボックスアウトスペース（ボックスアウトスペース３６０、３６６および３７２の形成、図１３Ｇ参照）、外方および内方エアー導管状化システム、完成システムとして一緒に接続および循環する全ての外方および内方の活性強制エアーパスを例示する。例示された各床上の配列された複合断熱壁パネルは泡ストリップ４００によって半分に分割され水平の低い側外方および上方内方強制エアー通路パターンを生成する。低部コンクリート床のために上記スラブ内コンクリート床内において外方に移動する上記活性強制エアーパス４１６が例示されており、さらに上記気候制御ユニット３７４に戻る上記内部の活性強制エアーパスが例示されている。上記活性強制エアーパスは低部レベルに対しては低い水平の活性強制エアーパス３８６内への１２個の間柱内開口部を介して外方に移行し、次いで同様に分割されかつ配列された垂直壁パネル空洞内における内方で上方水平活性強制エアーパス３９８内に非障害壁パネルの指定された部分を介して上方に移動する。上記主たる床内レベルに対して上記活性強制エアーパス４１２は副次的床の下および床梁間において床内において外方に移行することが例示されている。またこの図においては、上記内方活性強制エアーパス４１４が上記気候制御ユニット３７４に戻ることも例示されている。主たる床に対して上記活性強制エアーは低い水平活性強制エアーパス３８４における１２個の間柱内の開口部を介して外方に進行しついで同様に分割されかつ配列された垂直壁パネル空洞内における内方上方水平強制エアーパス３９６内への非障害壁パネルの指定された部分を介して上方に進行することが例示されている。上方床内レベルに対して上記活性強制エアーパス４０８は副次的床の下および床梁間床内において外方に進行することが例示されており上記内方活性強制エアーパス４１０は上記気候制御ユニット３７４に戻ることも例示されている。上記上方床に対して上記活性強制エアーは低い水平な活性強制エアーパス３８２における１２個の間柱内開口部を介して外方に進行し、次いで同様に分割され配置された垂直壁パネル空洞内で内方への上方水平活性強制エアーパス３９０への非障害的な壁パネルの指定された部分の上方に移動することが例示されている。上記天井レベルに対して上記活性強制エアーパス３７６は天井空洞内で外方に進行することが例示されており、また上記内方活性強制エアーパス３８８は上記主たる強制エアーパス内に現れてそして上記気候制御ユニット３７４に戻ることもまた例示されている。
【０１４１】
図１３Ｋは３個の水平ボックスアウト構造体４２０の裁断面図に床に対する各位置を例示する側面図であり、各々の構造体４２０は主たる測深パイプ４２２の一片の水平裁断面内において取り囲まれており、さらに所定の長さにおいて９０度傾斜し並びに主たる測深パイプ４２４の他の垂直片に接続されていることが例示されている。
【０１４２】
図１３Ｌは図１３Ｋの９０度だけ角度ずけされた眺めを示す側面図である。この図面は図１３Ｋにおける細長い水平ボックスアウト構造体４２０の諸関係および諸機能がより明確に例示されており、上記水平なパイプ片４２２および垂直パイプ片４２４に関連している。上記パイプ片４２４は垂直なボックスアウトスペース内で地面圧力から自立し次いで細長い水平のボックスアウト構造体４２０内に取り囲まれているこの延伸パイプ片４２２で水平方向に押し入る。ここで、裁断面を備えた他のパイプ片４２６は上記パイプ片に対して９０度押し入りその長さを副次的床および床梁間において空孔内にその長さを延伸する。また図１３Ｋも参照されたい。その水平方向のスペース内で生成される細長いボックスアウト構造体の構成は４２８、水平パイプ片４２２ウォーターライン４３０、電線４３６および活性熱強制パス４３４を備えている。
【０１４３】
図１３Ｍは上記主たる床の平面図であり、さらに上記細長いボックスアウト構造体４２０に関連した多重レベル垂直円柱ボックスアウトスペースを例示するものであり、ここで上記ボックスアウト構造体４２０は上記水平パイプ片４２２、電線４３０、ウォーターライン４３６および呼び樋垂直パイプ片４２４内で取り囲まれている。参照番号４２６は副次的床の下および床梁間で現れる、パイプ片４２２の呼び樋化された延伸パイプを示し、参照番号４３４は電線４３０の延伸片を示し、そして参照番号４４０は上記ウォーターライン４３６の呼び樋付き延伸片を示す。
【０１４４】
図１３Ｎは他の活性熱強制エアーパス４４１が例示されている側面図であり、低部レベルにおいて始まる強制エアーパス４４１を強調して描いた図である。この１３Ｎを参照すると強制エアーは上記ボックスアウトスペース３７２内に位置している上記気候制御ユニット３７４から外方に移動し、上記壁パネルの低部における開口部を介して水平方向に進行開口部および通路を介して上方向に移動し上記天井通路／空洞に到達し、ついで天井を横切り対向壁に進行し、さらに次いで上記同じ運転パターンにおける低部内の上記気候制御ユニット３７４に還流する。
【０１４５】
図１３Ｏは既存のコルゲートされた金属天井構成部材４４４の水平な裁断面図であり、この天井部材４４４は商業および産業建築物における屋根作成構造体の内部の部分として広く使用されている。参照番号４４６は内部の「空孔」スペースを示し、参照番号４４８は外部の「空孔」スペースを示し、この外部の空孔スペースについては今まで決して使用されてこなかった。本発明においては強制エアーを「空孔」スペース内を通過させてこれらの「空孔」スペースを利用しこれらのコルゲートされた「空孔」スペースの各々の一つにおいて活性熱強制エアーパスを生成する。
【０１４６】
図１３Ｐは典型的な屋根構造体に一体化されるべき上記活性熱強制エアーシステムの形成、構成、その諸関係をさらに例示する水平断面図である。この典型的な壁構造体は適切な位置に外部断熱材４５４を有する既存のコルゲートされた金属天井構成部材を備え、外部の中空スペース４４８、その頂部に設置された外部の屋根作り用物質４５２、および付加される内部の天井物質を生成しかくして内部の「中空」スペース４４６を生成し「中空」スペース４４６および４４８は強制エアーパスのためのスペース／空洞である。
【０１４７】
図１３Ｑは断熱屋根裏構造体をさらに例示する断面図であり、この断熱屋根裏構造体は複合断熱パネルとして一緒に挟まれ泡断熱部材４５６および４５８を備え空洞を生成し、上記強制エアー４６２用の通路４６０になる。この図１３Ｑにおいて上記パネルは上記屋根外被の直下に設置された屋根たる木部材（親出願における９Ｄを参照）の上に設置されるべきであることが例示されている。中心チャンネル４６４は、上記内部壁構造体の頂部および中心において設置される延伸した矩形上のボディにおいて構成された硬い泡部材から製造される、この内部壁構造体は一方から他方へ９０度傾斜して置かれ、上記屋根の両側部から位置している上記パネルに取り付けられる。このパネルは上記中心チャンネル４６４の各側の上の開口部に整合するハイピッチ端部の上に開口部を有し、そして互いに一緒に一列に配置され、次いで接続された強制エアー通路４６０および通路４６６を形成し強制エアーを上記各パネルから中心チャンネル４６２内へ入れることを許可する。上記中心チャンネル４６２の機能は上記全てのパネルから集められかつ入った全ての強制エアーを収集すると共に集中することであり次いで外側へ散逸されるかもしくはそのルートを利用されるべきいずれかのソースに変更する。この構造体は特に熱気候のために散出されるべき不要なホットエアーのために特に設計されている。
【０１４８】
図１４は測深および電気用の強制エアー通路のためおよび開口部３２のための開口部／溝２８２付きの複合床梁２５２の断面および側面図である。この図１４では、上記複合床梁２５２はＯＳＢ部材１６と亜鉛引き鋼構造的部材を備えている。
【０１４９】
図１４Ａは測深および電気用の強制エアー通路および開口部３２のための開口部／溝２８２付きの複合床梁２５４の断面および側面図である。上記複合床梁２５２はＯＳＢ部材１６と亜鉛引き鋼構造的部材を備えている。内部床梁２５４はアンカーされるべき付加的な床のために設けられている（図１４Ｃ参照）。
【０１５０】
図１４Ｂはアンカーされるべき床梁２５２用の外部複合断熱梁側板２５６（図１４Ｃを参照）の断面および側面図であり、上記外部複合断熱材は梁側板２５６はＯＳＢ部材１６、硬い泡部材１８、亜鉛引き鋼構造的部材１４、および測深並びに電気用の開口部３２を備えている。
【０１５１】
図１４Ｃは床部材の諸関係を示す断面図であり、主たる床２７２および断面床２７０の形成を例示している。図１４Ｃにおいて、その左側には、床内強制エアー通路、さらに測深および電気用の開口部３２を備え、梁２５２は複合外部梁側板２５６と複合内部梁２５４（両部材は裁断面図で示す）との間にアンカーされており断面床２７０を形成する。右側には複合床梁２５２の２個の片の裁断面図が示されており、この複合床梁２５２は床外被４６の下に設置された泡部材１８を有する中心上に離隔しその床内強制エアー用の中空スペースを生成しかくして主たる床２７２並びに断面床２７０の構造体がドライウォール２８で完成される。
【０１５２】
図１４Ｄは非可動ステーション２６０「Ａ」の正面図である。職人にとって地面の上方にプラットホームを持ち揚げ表面および底面を加工する。安全レール２５８は高さ方向に容易に調整可能である。
【０１５３】
図１４Ｅは可動ステーション２６２「Ｂ」、「Ｃ」および［Ｄ］の正面図であり、全ての可動ステーションはトラック上で車輪上を可動である。職人にとって地面の上方に安全手すり２５８を持ち揚げ表面および底面を加工する。安全手すり２６６は高さ方向に容易に調整可能である。
【０１５４】
図１４Ｆは主たる床組立て体の側面図である。所望の高さのための調整可能なプラットホーム２６６付の動力化された床梁組み立て体装置「Ａ」２６０は固定的であり可動ではない。動力化された床梁組立て体ステーション「Ｂ」２６２は所望の高さのための調節可能なプラットホーム２６６を有すると共にトラック上で可動である。上記側板２６４は上記床梁２５２に固着され、上記支持部材２６８は９０度傾斜して上記梁に取り付けられている。
【０１５５】
図１４Ｇは上記主たる床組立て体の側面図である。図１４Ｇには上記床梁２５２に載置された梁側板２６４が例示されており、この梁側板２６４は２個のステーション「Ａ」２６０および「Ｂ」２６２のプラットホ−ムの上に置かれている。上記床が一旦設置された外被ボードで完成させられるとステーション「Ａ」２６０は回収され通路から動かされる。かくして仕上げられた床はこれらの支持部材２６８の上に置かれ、次いで搬送装置が移動し上記床を持ち上げ出荷のための貯蔵所に移動させる。
【０１５６】
図１４Ｈは主たる床２７２および付加的な床７０の側面図でありこれらの床の各側の上に予め設置された床内強制エアーチャンネルを有する。
【０１５７】
図１４Ｉは設置されたＯＳＢ床外被なしでの平面図である。この図１４Ｉにおいては全てのサイズを有する主たる床および付加的な床を４個のプラットホーム（ＡＢＣＤ）２６０，２６２の諸関係が例示されている。また、車輪およびトラック上の支持部材２６８が例示されている。
【０１５８】
図１５は床内強制エアー通路用の開口部３５０付きの断面底部土台板４２の平面図を例示する。上記間柱１２および硬い泡部材１８は、上記独立の活性熱空洞３６およびガラスＶＩＰ３４に対する関係について壁内床内強制エアー循環を形成する。低部土台板４２内のこの開口部３５０は上方向に開放され、並びに阻止された不活性空洞３８（図示せず、図１５Ｃ参照）に接続される。また上記間柱１２の上面および側面図が例示される。この床内ホットエアーはこれらの以下の実施例のために使用される。上記床内強制エアーは上記低部土台板４２内の開口部を介しておよび上方に進行し、壁内の上記阻止された不活性空洞３８を介して部屋外に出ていく。これらの出口３５０のサイズは上記エアーフローの容積を制御するように調節可能である。床内強制ホットエアーは上記床の下を進行し、かくしてこの床を加熱する。
【０１５９】
図１５Ａは上記床３０の下の床内強制チャンネル２８４を生成する床梁２５２の機能を説明する上記床梁２５２の側断面図である。また図１５Ａには測深および電気用の開口部３２、硬い泡１８ＯＳＢ部材１８、および水平方向に進行する床内強制エアー用の床梁２５２の頂部の上の開口部２６２が例示されている。
【０１６０】
図１５Ｂにおいて、底部の例示は上記床外被ボード４６を備えていない露出した主たる床構造体の平面図であり、この図１５Ｂは上記床内循環ルートを示し、上記床内強制エアー３２０は上記床梁２５２の間で上記主たるダクト２４６を介して上記主たる炉から入り上記生成された固い泡エアーチャンネルシステム２７６へ流入する。低部板２７４内の開口部２８０は床内強制エアー３２０のために設けられており、上記強制エアーは室内への窓および壁エアー調節器を介しておよび上方へ進行する（図１５Ｃ参照）。上部の例示は上記床の下で生成された強制エアーチャンネル２８４の断面図を示し、さらに上記構成部材および開口部の配置は上記床内および壁内強制エアーシステムに関することが説明される。
【０１６１】
図１５Ｃは上記壁内および床内強制エアー循環、および不活性空洞３７、独立な活性熱空洞３６、およびガラスＶＩＰの諸関係の適用例を示す図である。床内強制エアー３２０は上記床梁間の上記生成された床内強制エアーチャンネル２８４を介して上記主たるエアーダクト２４６から移動し、上記低部板２７４の溝２８０上記床上方に到来する。上記垂直壁間柱１２は上記間柱の側部の上における泡ストリップ２７８の裁断面図が例示されている。上記水平パーテション２７８は不活性空洞をブロックし、この阻止された不活性空洞から上記壁内強制ホットエアーを生成する。またＯＳＢ外部壁外被４６、硬い泡部材１８およびドライウオール２８の諸関係が例示されている。
【０１６２】
図１５Ｄは開口部２８２はおよび開口部３２付きの上記複合床梁２５２を例示する図である。これらの開口部は強制エアーが他の方向に向けられる際にのみ必要とされる。例えば急強制エアーを次の隣接したチャンネルへ水平方向に進行させる。
【０１６３】
図１５Ｅは制御されかつ選択することが可能である強制エアー循環強制エリアが例示される平面図であり、この場合必要に応じて柔軟性例えば冷たいセラミックタイルフローリングを有することが可能である浴室にもとずいて上記循環エリアが制御かつ選択可能である。梁２５２の間の個々のスペースは床梁２５２内の最適な開口部２８２および低部プレート２７４を介して開口部２８０で接続可能であり、床内強制エアー３２０が上記壁、窓上方向に進行することを容易化し周囲エアーを室内に放出する。上記床外被ボードを備えていない露出した床構造の平面図は床梁２５２間の主たるダクト２４６から生成された空孔スペース２８４を介して上記床内強制エアー循環ルートを例示する。
【０１６４】
図１５Ｆはコンクリート床のみならず床梁もしくは床の任意のタイプ例えば設計された床梁亜鉛引き鋼「Ｃ」チャンネル床梁、木製床梁の上床内強制エアー循環用生成された床内空洞用のいくつかの適用例を例示している。材料は例示されたように硬い泡空洞／チャンネル２８６、コルゲートされたシート空洞／チャンネル２８６、亜鉛引き鋼金属空洞／チャンネル２９２もしくはＯＳＢ空洞／チャンネル２８８を形成することが出来る。本発明のこのシステムは既存の床梁システムのほとんど任意のタイプに適用することが可能であり、このシステムでは商業用フローリングおよび広い領域のコンクリートフローリングに対して優れた柔軟性を有している。その一例として、温度が床外被を介して上昇し床および床上部の部屋スペースを暖め、かくして非常に経済的なやり方で床内加熱の効果を生成する。このシステムは例えばセラミックタイル床、硬い木製の床、およびコンクリート床等のフローリングを暖めるために特に優れた恩恵を与える。
【０１６５】
図１５Ｇは既存の設計された床梁システム２９４、亜鉛引き鋼単一もしくは二重の梁システム２９６、および木製床梁システム２９８に関する本発明の適用例を例示する。
【０１６６】
図１５Ｈは上記窓枠２０８の頂部面上にスナップされた窓強制エアー偏向器の側面図である。またこの図１５Ｈにおいては上記土台窓ガラス３０６、スナップ・オン装置３０４、上記支持ポイント３０２および窓防氷強制エアールートが例示されている。
【０１６７】
図１５Ｉは偏向器３００付きの窓防氷器の諸関係の適用例を例示しさらに二重窓枠３１４に延在しない独立な活性熱空洞エアーブランケット（活性熱空洞３６を例示する）床内空洞２８４からの床内強制エアー３２０は床梁間を移動しガラス窓３１４の内部表面へ通過する。それから床内強制エアー２３０は、窓防氷器として指定されるべき窓土台板に到達する際の床内強制エアーを示し、強制エアー３１０は室内へ入ってくる周囲温度を上昇させる。また上記ガラスＶＩＰ３４および独立な強制エアー空洞３６の各位置が例示されており、強制エアーは窓土台をから窓へ通過しないことが例示されている。
【０１６８】
図１５Ｊは単一の窓ガラス３１８を窓防氷器に付加する相互作用関係（図１５Ｉを参照）を例示する。この形成体において、独立な活性熱空洞エアーブランケット３６は分離され他の空洞に接続されていない。
【０１６９】
この図１５Ｊにおいて窓偏向器３００はガラスＶＩＰ３４に延在し、それにより二重窓ガラス３１４への恩恵を拡大する。
【０１７０】
図１５Ｋは図１５Ｉおよび図１５Ｊを参照する図である。この図１５Ｋにおいて、空洞窓防氷器付きの接続された壁部が例示されており、上記二重ガラス窓に隣接した単一窓ガラスを付加して独立した活性熱空洞３６を形成し、上記独立した強制エアー熱ブランケット２２０の拡張ルートが例示されこの拡張ルートは上方向に伸び壁３１４と窓ガラス３１８との間の生成された空洞３６内への上記窓土台板内の開口部を通過し、然るに上記床内強制エアー３２０は上記単一の窓ガラス３１８の他の側の上の床内空洞２８４から来る。ここでかくして、上記床内強制エアー３２０は上記強制エアー偏向器によって方向ずけされ部屋内に上昇していき窓の究極的な断熱効果を達成する。
【０１７１】
図１５Ｌは上記床内強制エアーシステムの各関係および機能性を説明する幅広い範囲を例示するものであり、この床内強制エアー３２０システムは空洞窓防氷器の拡張された恩恵を促進する。この図１５において、壁内強制エアーフローは部屋の空気の周囲温度のために用いられ床内加熱に向けられている。上記床内強制エアー３２０は主たる気候制御によって発生され独立した活性強制エアーシステムから分離される。ここにおいて、複合壁構造体の側断面図が例示されておりこの複合壁構造体は空洞窓除氷器を備え、（図１５Ｃおよび図１５Ｉを参照）さらに壁内および床内強制エアー３２０循環も例示されている。上記床内強制エアー３２０は床内空洞シャンネルから上方へ進行し上記窓１３６に方向づけされ窓除氷器強制エアー３１０になる。また図１５Ｌは同一の床内強制エアー３２０パスを例示し、この強制エアー３２０は上記壁内におけるブロックされた空洞内に上方向に通過し、そして壁内のエアー調節器を経由して部屋内に放出される。図１５Ｌは上記不活性空洞およびエアー調節器３１６をブロックする泡ストリップ２７８を例示する。
【０１７２】
図１６は雨水排水システムを備えた壁パネル構造体の平面図である。この雨水排水システム３２２は二重配管付きの壁内排水パイプ３２４を含み水漏れの無いことを保証し鋼強化支持部材３２６によって固定される。また図１６には間柱１２ＯＳＢ外部外被３０、硬い泡断熱材１８、ドライウオール２８、ＶＩＰ３４，活性熱空洞３６が例示されている。
【０１７３】
図１６Ａは壁内の隠された雨水排水システム３２２側断面図である。図１６Ａにおいて、上記床ライン雨どいおよびエヴァスルーシステム３２８、壁内隠れたダウンパイプ３２４、ダウンスポウト３３０、低部セメント壁３３４、および地面の勾配付け手段３３２との間の関係が例示されている。
【０１７４】
図１６Ｂ図は矩形状壁通路付き隠された雨水排水システム３２２垂直断面図である。図１６Ｂにおいて、上記床ライン雨どいおよびエヴァスルーシステム３２８、壁内隠れたダウンパイプ３２４、上方床３３８、ダウンスポウト３３０、および地面の勾配付け手段３３２との間の関係が例示されている。
【０１７５】
図１６Ｃは矩形壁通路開口部３４０付きの隠れた雨水排水システム３２２の平面図である。すべての排水開口部３４０、排水チャンネル３４２、ダウンパイプ３２４、頂部の開口部４０、および低部板４２はすべて矩形状であり、システム３２８を介して雨どいおよびエヴァにおける壁間隅部スペースを収容する。
【０１７６】
上述した構成要素、もしくは２個あるいは３個の構成要素の各々は、一緒に上述したタイプから異なる方法の他のタイプにおける有用な応用を見出すことも可能であろう。
【０１７７】
本発明のある新規な特徴が例示され並びに記載され、かつ添付された特許請求の範囲において指摘されているものの、例示された装置の形式および詳細において並びにその動作において種々の省略、変形、置換および変更が、本発明の精神から如何なるやり方でも離れることなく、当業者により行うことが可能であるので、本発明は上記した詳細な記載に限定されることを意図しない。
【０１７８】
他者が本発明の本質もしくは特定の観点の必須の特徴を、従来例の観点から、明瞭に構成する特徴を省略し種々の応用のために、現在の知識を応用することにより、本発明を容易に採用することが、更なる分析なしで、前述した記載から本発明の要旨が充分開示されるであろう。
【符号の説明】
【０１７９】
添付図面に記述的に向かうとすると、類似参照番号はいくつかの図面に亘って類似の構成要素を示し、各図面は本発明のプレハブ断熱建築構成部材および組み立て体装置を例示する。使用される参照番号については、以下の番号付けは種々の図面に亘って使用される。
１  二重窓非刷りガラスＶＩＰボディ
１a  この段階での真空条件なしで二重窓非刷りガラスＶＩＰボディの空洞
１b  二重窓非刷りガラスＶＩＰ用の突出した流体排水出口
１c  予め充填された軽いカラー強制流体
１d  硬い泡支持部材
１e  圧力がかけられ真空化された空洞が軽いカラー流体を抜き取ることによって生成される。
１f  圧力がかけられ真空化された空洞が暗いカラー流体を抜き取ることによって生成される。
２  プログラム可能なスプリットフローガイド
３  流体を輸送するために使用される管状化システム
４  強制流体の動きを容易化するプログラム可能な流体ポンプ
５  軽いカラー熱強制流体用貯蔵所
５a  軽いカラー熱強制流体
６  より暗いカラー熱強制流体用貯蔵所
６a  より暗いカラー強制流体
７  側面図における三重窓非刷りガラスＶＩＰのボディ
７a  「随意繰り返し」真空パネルは三重窓非刷りガラスＶＩＰの２個の取り付けられたボディ
７b  「耐久性のある」真空パネルは三重窓非刷りガラスＶＩＰの２個の取り付けられたっ一つのボディ
７c  非真空条件が生成された状態でのボディ１３aの「空洞」
7d  ボディ１３bの予め処理された耐久性のある真空かされた「空洞」
７e  「耐久性のある」三重非刷りガラスＶＩＰの真空プロセス用の突き出したニップル
７f
「随意繰り返し」三重窓非刷りガラスＶＩＰ用の突き出した排水出口
７g  軽いカラー流体を回収することによって生成される「圧力をかけられ真空化された」空洞
７h  より暗いカラー流体を回収することによって生成される「圧力をかけられ真空化された」空洞
８  強制熱流体５aおよび６a用に容易化された熱交換器
８a  貯蔵所６と熱交換器８との間で行ったり来たりするよう移動する強制流体１０a用の熱移送ライン
８b  貯蔵所５と熱交換器８との間で行ったり来たりするよう移動する強制流体５a用の熱移送ライン
９  ドア用の断熱部材として一体化されている二重窓非刷りガラスＶＩＰボディ
９a  ガラスＶＩＰボディ９の真空化された空洞
９b  ドアノブ用開口部
９c  真空プロセスを容易化するニップル
１０  本発明のプレハブ断熱建築構成部材および組立て体装置
１２  複合断熱垂直部材（間柱）
１４  亜鉛引き鋼
１６  配向された撚り線ボード（ＯＳＢ）
１８  硬い泡断熱
２２  木製間柱
２４  従来の間柱
２６  ファイバーガラス断熱
２８  ドライウオール
３０  ＯＳＢ床外被
３２  測深および電気用開口部
３４  ガラス真空断熱パネルＶＩＰ
３６  独立した活性熱空洞
３８  不活性空洞
４０  頂部土台板
４２  低部土台板
４４  ネイルボード
４６  外部ＯＳＢ壁外被
４８  ネイル
５０  ベースボード
５２  窓強化土台板／小口
５４  フランジ
５６  螺合溝
５８  スペーサー
６０  保護覆い
６２  複合断熱組立て体
６４  ＶＩＰ支持ペレット
６６  ＶＩＰストリップ縁
６８  ＶＩＰガラスニップル
７０  内部特徴ガラス
７２  外部特徴ガラス
７４  マスターワーク枠組立て体
７６  垂直壁支持部材
７７  搬送／輸送枠
７８  動力化された機構
８０  第一の枠側
８２  第二の枠側
８４  頂部リリースバー
８６  枠低部板
８８  木材板
９０  フオークリフトを搬送するための開口部
９２  底部リリースバー
９４  重量支持体
９６  ステーションボルト
９８  昇降機構
１００  ステーションボルトの案内トラック
１０２  締結用ノブ
１０４  主枠の頂部
１０６  主枠の底部
１０８  案内棒
１１０  頂部マウント部材
１１２  金属部材
１１４  ベース
１１６  トラック支持レール
１１８  トラック支持脚
１２０  動力化されたトラック
１２２  搬送フォーク
１２４  ビデオカメラ
１２６  電動機
１２８  窓小口ビーム
１３０  電線
１３２  コンセントボックス
１３４  照明スイッチ
１３６  窓ガラス
１３８  保護泡パッド
１４０  安全ストラップ
１４２  屋根トラス
１４４  中心支持部材
１４６  ウェブ支持部材
１４８  たる木ビーム
１５０  ドロップダウン天井梁
１５２  主たる梁部
１５４  ドロップダウン梁部
１５６  主たる梁フランジ  
１５８  ドロップダウンフランジ
１６０  屋根裏スペース
１６２  ナット
１６４  ボルト
１６６  切り妻屋根システム
１６８  可動トラスアンカーステーション
１７２  ステーションボディ構造体
１７４  車輪 
１７６  アンカーバー
１７８  昇降機構
１８０  スペーサー
１８２  ハーフトラス枠
１８４  第１の天井枠支持体「Ａ」
１８６  第２の天井枠支持体「Ｂ」
１８８ アンカー機構
１９０  支柱部材
１９２  側板
１９４  締結ブラケット
１９６  搬送装置
１９８  屋根外被および屋根板
２００  寄棟屋根
２０４  寄棟端部
２０６  第３の天井枠支持体「Ｃ」
２０８  第４の天井支持体「Ｂ」
２１０  １６８のトラック
２１２  旋回機構
２１４  二重隣接板
２１６  ブリッジ部材
２１８  寄棟トラス部
２２０  独立な熱強制エアー
２２２  補助炉
２２４  コンクリート床 
２２６  ソーラーパネル
２２８  太陽熱駆動型の調整ファン
２３０  亜鉛引き金属シート
２３２  ケーシング
２３４  コンクリート天井
２３６  内部壁
２３８  ガラス壁
２４０  付加された単一の窓ガラス
２４２  炉への還流エアー
２４６  ダクト
２４８  開口部を備えていない間柱
２５０  開口部付き間柱
２５２  複合床梁
２５４  内部複合床梁
２５６  外部複合床側板
２５８  安全手すり
２６０ ステーション「Ａ」
２６２  ステーション「ＢＣＤ」
２６４  複合断熱強化部材
２６６  プラットホーム
２６８  梁枠支持部材
２７０  断面床
２７２  主たる床
２７４  低部板
２７６  硬い泡床内エアーチャンネル
２７８  水平泡ストリップ
２８０  低部板における溝／開口部
２８２  床梁における溝／開口部
２８４  床内活性空洞／チャンネル
２８６  硬い泡空洞／チャンネル
２８８  ＯＳＢ空洞／チャンネル
２９０  コルゲートされたシート空洞／チャンネル
２９２  シート金属空洞／チャンネル
２９４  設計された床梁空洞／チャンネル
２９６  亜鉛引き「Ｃ」鋼単一もしくは二重床梁空洞／チャンネル
２９８  木材製床梁空洞／チャンネル
３００  窓強制エアー偏向器
３０２  支持ポイント
３０４  スナップ・オン  デバイス
３０８  窓枠
３１０  窓強制熱エアー
３１２  間柱における測深用および電気用開口部、頂部および低部土台板、ネイルボード、強化部材
３１４  二重窓ガラス
３１６  オンウォールエアー調節器
３１８  単一窓ガラス
３２０  床内強制エアー
３２２  雨水排水システム
３２４  壁内の隠された排水パイプ
３２６  鋼強化部材
３２８  排水路およびイヴスルー
３３０  下向き樋
３３２  グランド勾配付け手段
３３４  低部セメント壁
３３６  屋根ライン
３３８  上部床
３４０  排水開口部
３４２  排水チャンネル
３４４  軒裏スペース
３４６  複合部材２６４における壁内強制エアー用開口部
３４８  複合部材２６４における活性強制エアー用開口部
３５０  複合部材４０および４２における壁内強制エアー用開口部
３５２  複合部材４０および４２内の活性強制エアー用開口部
３５４  複合部材４４における壁内強制エアー用開口部
３５６  複合部材４４内の活性強制エアー用開口部
３５８  強制エアー導管を収容するためのボックスアウト上部壁
３６０  進行および還流強制エアー導管を収容するためのスペース
３６２  上部レベル用ボックスアウト壁を支持するための床部材
３６４  強制エアー導管を収容するためのボックスアウト主たるレベル壁
３６８  主たるレベル用のボックスアウト壁を支持するための床部材
３７０  （炉）を収容するためのボックスアウトコンクリート壁  
３７２  低部におけるボックスアウトスペース
３７４  気候制御ユニット（炉）
３７６  外方パスにおける天井内活性熱強制エアー
３７８  ダクト内を通過する進行活性熱強制エア−
３８０  進行する活性熱強制エアーダクト
３８２  パス内における上部床活性熱強制エアー
３８４  パスにおける主たる床活性熱強制エアー
３８６  パスにおける低部活性熱強制エアー
３８８  パスにおける天井内熱強制エアー
３９０  還流活性熱強制エアー
３９２  還流活性熱強制エアー用エアーダクト
３９４  ダクト内を通過する還流活性熱強制エアー
３９６  パスにおける主たる床還流活性熱強制エアー
３９８  パスにおける低部活性熱強制エアー
４００  壁パネルを分割し外方向及び還流活性熱強制エアーを生成する泡ストリップ
４０２  低部コンクリート壁
４０４  主たる床外壁
４０６  上部床外壁
４０８  上部床内外方活性熱強制エアーパス
４１０  上部床内還流活性熱強制エアーパス
４１２  主たる床内外方活性熱強制エアーパス
４１４  主たる床内還流活性熱強制エアーパス
４１６  低部床スラブ内外方活性熱強制エアーパス
４１８  低部床スラブ内還流活性熱強制エアーパス
４２０  延伸した水平のボックスアウトスペース
４２２  水平ボックスアウトスペースの内側に設置された測深パイプ部の裁断面図である。
４２４  地面から自立した垂直円柱ボックスアウトスペースの内側における主たる測深パイプの断図
４２６  パイプ４２２に対して９０度に傾けた測深パイプが上記副次的床の下の空洞に延在している水平裁断面
４２８  水平ボックスアウトスペース内の中空スペースを充填する泡断熱材
４３０  水平ボックスアウトスペース側に設置されている電線の一片の裁断面
４３２  上記垂直円柱ボックスアウトスペース内で垂直に設置された電線の一片
４３４  水平ボックスアウトスペースの内側に水平に設置される活性熱強制エアー用の空洞
４３６  水平ボックスアウトスペースの内側ウオーター管の一片の裁断面
４３８  垂直円柱ボックスアウトスペース内の垂直に設置されたウオーターパイプの一片
４４０  電線の一片であり、ここで上記水平のボックスアウトスペースに９０度傾けて電線４３０の延長部が設置され、この延長部は副次床の下の空孔スペースに延在する
４４２  上記土台ボックスアウトユニットから外方への壁パネル内の土台内で自立する他の活性熱強制エアーパス
４４４  天井および屋根構造体の一部を形成するコルゲートされた金属天井構成部材の既存の従来例
４４６  コルゲートされたパターンにより生成された内部「中空」スペース
４４８  コルゲートされたパターンにより生成された内部「中空」スペース
４５０  活性熱強制エアーパス用の内部の「中空」スペースを生成する適切な位置の断熱シート物質の最適な片
４５２  通常の屋根用物質
４５４  通常の屋根用断熱物質
４５６  シート状の上部の硬い泡部材
４５６a  シート状の低い硬い泡
４５８  泡部材の２１個の片によって挟まれたパネル内の強制エアー空洞
４６０  挟まれた泡部材の空洞内を通過する強制エアーチャンネル
４６２  硬い泡から製造される延伸した四角形強制エアーチャン
４６４  強制エアー通路として使用される中心チャンネルの空洞
４６６  硬い泡パネルの空洞から入る強制エアー
４６８  天井ライン
【図１】
2011508837.tif 000003
【図２】
2011508837.tif 000004
【図２Ａ】
2011508837.tif 000005
【図２Ｂ】
2011508837.tif 000006
【図２Ｃ】
2011508837.tif 000007
【図２Ｄ】
2011508837.tif 000008
【図２Ｅ】
2011508837.tif 000009
【図３】
2011508837.tif 000010
【図３Ａ】
2011508837.tif 000011
【図３Ｂ】
2011508837.tif 000012
【図３Ｃ】
2011508837.tif 000013
【図４】
2011508837.tif 000014
【図４Ａ】
2011508837.tif 000015
【図４Ｂ】
2011508837.tif 000016
【図４Ｃ】
2011508837.tif 000017
【図５】
2011508837.tif 000018
【図５Ａ】
2011508837.tif 000019
【図５Ｂ】
2011508837.tif 000020
【図５Ｃ】
2011508837.tif 000021
【図５Ｄ】
2011508837.tif 000022
【図５Ｅ】
2011508837.tif 000023
【図５Ｆ】
2011508837.tif 000024
【図５Ｇ】
2011508837.tif 000025
【図５Ｈ】
2011508837.tif 000026
【図５Ｉ】
2011508837.tif 000027
【図６】
2011508837.tif 000028
【図６Ａ】
2011508837.tif 000029
【図６Ｂ】
2011508837.tif 000030
【図６Ｃ】
2011508837.tif 000031
【図６Ｄ】
2011508837.tif 000032
【図６Ｅ】
2011508837.tif 000033
【図６Ｆ】
2011508837.tif 000034
【図６Ｇ】
2011508837.tif 000035
【図６Ｈ】
2011508837.tif 000036
【図６Ｉ】
2011508837.tif 000037
【図６Ｊ】
2011508837.tif 000038
【図６Ｋ】
2011508837.tif 000039
【図６Ｌ】
2011508837.tif 000040
【図６Ｍ】
2011508837.tif 000041
【図６Ｎ】
2011508837.tif 000042
【図６Ｏ】
2011508837.tif 000043
【図６Ｐ】
2011508837.tif 000044
【図６Ｑ】
2011508837.tif 000045
【図６Ｒ】
2011508837.tif 000046
【図６Ｓ】
2011508837.tif 000047
【図６Ｔ】
2011508837.tif 000048
【図６Ｕ】
2011508837.tif 000049
【図７】
2011508837.tif 000050
【図７Ａ】
2011508837.tif 000051
【図７Ｂ】
2011508837.tif 000052
【図７Ｃ】
2011508837.tif 000053
【図７Ｄ】
2011508837.tif 000054
【図７Ｅ】
2011508837.tif 000055
【図７Ｆ】
2011508837.tif 000056
【図８】
2011508837.tif 000057
【図８Ａ】
2011508837.tif 000058
【図８Ｂ】
2011508837.tif 000059
【図８Ｃ】
2011508837.tif 000060
【図８Ｄ】
2011508837.tif 000061
【図８Ｅ】
2011508837.tif 000062
【図８Ｆ】
2011508837.tif 000063
【図８Ｇ】
2011508837.tif 000064
【図８Ｈ】
2011508837.tif 000065
【図８Ｉ】
2011508837.tif 000066
【図８Ｊ】
2011508837.tif 000067
【図９】
2011508837.tif 000068
【図９Ａ】
2011508837.tif 000069
【図９Ｂ】
2011508837.tif 000070
【図９Ｃ】
2011508837.tif 000071
【図９Ｄ】
2011508837.tif 000072
【図９Ｅ】
2011508837.tif 000073
【図９Ｆ】
2011508837.tif 000074
【図１０】
2011508837.tif 000075
【図１０Ａ】
2011508837.tif 000076
【図１０Ｂ】
2011508837.tif 000077
【図１０Ｃ】
2011508837.tif 000078
【図１０Ｄ】
2011508837.tif 000079
【図１０Ｅ】
2011508837.tif 000080
【図１１】
2011508837.tif 000081
【図１１Ａ】
2011508837.tif 000082
【図１１Ｂ】
2011508837.tif 000083
【図１１Ｃ】
2011508837.tif 000084
【図１１Ｄ】
2011508837.tif 000085
【図１１Ｅ】
2011508837.tif 000086
【図１１Ｆ】
2011508837.tif 000087
【図１１Ｇ】
2011508837.tif 000088
【図１１Ｈ】
2011508837.tif 000089
【図１２】
2011508837.tif 000090
【図１２Ａ】
2011508837.tif 000091
【図１２Ｂ】
2011508837.tif 000092
【図１２Ｃ】
2011508837.tif 000093
【図１３】
2011508837.tif 000094
【図１３Ａ】
2011508837.tif 000095
【図１３Ｂ】
2011508837.tif 000096
【図１３Ｃ】
2011508837.tif 000097
【図１３Ｄ】
2011508837.tif 000098
【図１３Ｅ】
2011508837.tif 000099
【図１３Ｆ】
2011508837.tif 000100
【図１３Ｇ】
2011508837.tif 000101
【図１３Ｈ】
2011508837.tif 000102
【図１３Ｉ】
2011508837.tif 000103
【図１３Ｊ】
2011508837.tif 000104
【図１３Ｋ】
2011508837.tif 000105
【図１３Ｌ】
2011508837.tif 000106
【図１３Ｍ】
2011508837.tif 000107
【図１３Ｎ】
2011508837.tif 000108
【図１３Ｏ】
2011508837.tif 000109
【図１３Ｐ】
2011508837.tif 000110
【図１３Ｑ】
2011508837.tif 000111
【図１４】
2011508837.tif 000112
【図１４Ａ】
2011508837.tif 000113
【図１４Ｂ】
2011508837.tif 000114
【図１４Ｃ】
2011508837.tif 000115
【図１４Ｄ】
2011508837.tif 000116
【図１４Ｅ】
2011508837.tif 000117
【図１４Ｆ】
2011508837.tif 000118
【図１４Ｇ】
2011508837.tif 000119
【図１４Ｈ】
2011508837.tif 000120
【図１４Ｉ】
2011508837.tif 000121
【図１５】
2011508837.tif 000122
【図１５Ａ】
2011508837.tif 000123
【図１５Ｂ】
2011508837.tif 000124
2011508837.tif 000125
【図１５Ｃ】
2011508837.tif 000126
【図１５Ｄ】
2011508837.tif 000127
【図１５Ｅ】
2011508837.tif 000128
【図１５Ｆ】
2011508837.tif 000129
【図１５Ｇ】
2011508837.tif 000130
【図１５Ｈ】
2011508837.tif 000131
【図１５Ｉ】
2011508837.tif 000132
【図１５Ｊ】
2011508837.tif 000133
【図１５Ｋ】
2011508837.tif 000134
【図１５Ｌ】
2011508837.tif 000135
【図１６】
2011508837.tif 000136
【図１６Ａ】
2011508837.tif 000137
【図１６Ｂ】
2011508837.tif 000138
【図１６Ｃ】
2011508837.tif 000139
【国際調査報告】
2011508837.tif 000140
2011508837.tif 000141